(57)【要約】細胞（表面または細胞内）受容体を結合するペプチド、例えば核受容体は、細胞の形で表される組合せペプチドライブラリーをスクリーニングして同定でき、結合をレポートするための信号生成システムと共に、各細胞は１のメンバーペプチドと受容体を相互発現する。「２ハイブリド」アッセイは特に関心がある。スクリーンはリガンド、特に外因性リガンドの存在で行われる。スクリーニングが複数の異なる受容体コンフォメーションのために行われる場合、このライブラリースクリーニングはまた受容体に対しコンフォメーション特異的ペプチドを同定するために役立ち、次いで各パネルペプチドの存在で受容体と相互作用するようにそれらの能力として疑問の化合物を「フィンガープリンティング」するためのパネルに用いられる。これらのフィンガープリンティングは参照化合物のそれらを受容体によって介在される既知の生物活性体と比較できる。【特許請求の範囲】
【請求項１】
結合ペプチドがペプチドの組合せライブラリーのメンバーであり、前記ライブラリーが受容体を結合するメンバーの能力に対しスクリーニングされる、前記受容体を結合する前記結合ペプチドを同定する方法において、その改良が
前記受容体は細胞の表面または細胞内受容体であり、
前記ライブラリーは複数の細胞で発現され、各細胞は前記受容体、またはそのリガンド結合受容体部分、および前記ライブラリーの１メンバーを相互発現し、前記細胞は前記ライブラリーの全メンバーを集合的に発現し、
各細胞はさらに前記受容体または部分と実施可能に結合した信号生成システムを提供し、前記メンバーが前記受容体または部分を前記細胞内または細胞上で結合するかどうかを表示する信号を生成するようにし、
前記細胞は、スクリーニングするとき、全ての多細胞生物体またはそのような生物体の組織または器官に統合されず、
前記受容体が最初のコンフォメーションにあるとき前記ライブラリーの前記ペプチドが最初のスクリーニングでスクリーニングされ、前記ライブラリーのペプチドの１またはそれ以上が第二の異なるコンフォメーションにおいて前記受容体に結合するため第二のスクリーニングでスクリーニングされ、前記第二のスクリーニングは最初のスクリーニングと同時にまたは続いて行われ、
これによって受容体への結合が受容体コンフォメーション感受性であるペプチドが同定される、結合ペプチドの同定方法。
【請求項２】
前記受容体が細胞内受容体である請求項１記載の方法。
【請求項３】
前記受容体が核受容体である請求項１記載の方法。
【請求項４】
前記受容体がエストロゲン受容体である請求項３記載の方法。
【請求項５】
前記受容体がアンドロゲン受容体である請求項３記載の方法。
【請求項６】
前記細胞が真核細胞である請求項１−５のいずれか１項記載の方法。
【請求項７】
前記細胞が哺乳類細胞である請求項６記載の方法。
【請求項８】
前記細胞が酵母細胞である請求項６記載の方法。
【請求項９】
前記受容体が脊椎動物受容体である請求項１−８のいずれか１項記載の方法。
【請求項１０】
前記受容体が哺乳類受容体である請求項９記載の方法。
【請求項１１】
前記受容体がヒト受容体である請求項１０記載の方法。
【請求項１２】
前記信号生成システムが細胞に対し内発的である請求項１ないし１１のいずれか１項記載の方法。
【請求項１３】
前記信号生成システムが細胞に対し外発的である請求項１ないし１１のいずれか１項記載の方法。
【請求項１４】
前記信号生成システムが前記受容体または部分にキメラ受容体を与えるように融合されている受容体結合成分からなる請求項１ないし１３のいずれか１項記載の方法。
【請求項１５】
前記信号生成システムが前記ペプチドにキメラペプチドを与えるように融合されているペプチド結合成分からなる請求項１ないし１４のいずれか１項記載の方法。
【請求項１６】
前記信号生成システムがさらに前記ペプチドにキメラペプチドを与えるように融合されているペプチド結合成分からなり、これによって信号は、ペプチド結合および受容体結合成分が、受容体にペプチドを結合する結果として物理的近接をもたらされるときに生成する請求項１４記載の方法。
【請求項１７】
細胞が哺乳類細胞である請求項１６記載の方法。
【請求項１８】
細胞が酵母細胞である請求項１６記載の方法。
【請求項１９】
前記化合物の１がＤＮＡ結合ドメインであり、前記成分の他の１が相補的トランス活性化ドメインであり、信号生成システムがさらに前記ＤＮＡ結合ドメインによって結合したオペレーターに操作可能に結合したレポーター遺伝子からなり、受容体へのペプチドの結合が前記レポーター遺伝子の発現を活性化する官能トランス活性アクチベータータンパク質の構成となる請求項１６記載の方法。
【請求項２０】
ドメインが単一の天然産転写アクチベータータンパク質のＤＮＡ結合およびトランス活性化ドメインと実質的に同一である請求項１９記載の方法。
【請求項２１】
ＤＮＡ結合ドメインがＧａ１４およびＬｅｘＡからなる群から選択される請求項１９記載の方法。
【請求項２２】
トランス活性化ドメインがＥ．ｃｏｌｉ Ｂ４２、Ｇａｌ４活性化ドメインＩＩ、およびＨＳＶ ＶＰ１６からなる群から選択される請求項１９記載の方法。
【請求項２３】
前記成分の１がレポーター酵素のアミノ末端部分であり、前記成分の他の１が前記酵素のカルボキシ末端部分であり、前記ペプチドの受容体への結合が官能レポーター酵素の前記部分からの構成となる請求項１６記載の方法。
【請求項２４】
酵素がＤＨＦＲ、ルシフェラーゼ、クロラムフェニコール、アセチルトランスフェラーゼ、ベータ−ラクタマーゼ、アデニレートサイクラーゼ、およびベータガラクトシダーゼからなる群から選択される請求項２３記載の方法。
【請求項２５】
前記スクリーニングが前記受容体の既知のアゴニストの存在で行われる請求項１ないし２４のいずれか１項記載の方法。
【請求項２６】
前記スクリーニングが前記受容体のアンタゴニストの存在で行われる請求項１ないし２４のいずれか１項記載の方法。
【請求項２７】
（Ｉ）請求項１−２６のいずれか１項に記載の方法によって受容体を結合するペプチドを同定し、受容体が中にある複数の異なる参照コンフォメーションのそれに依存する前記ペプチドは前記受容体に結合する能力において異なり、そして
（ＩＩ）（ａ）複数のメンバーからなるパネルを提供し、前記メンバーは上記（Ｉ）で同定されたペプチドを含み、受容体が中にある複数の異なる参照コンフォメーションのそれに依存する前記メンバーは前記受容体に結合する能力において異なり、ここで複数の参照物質の効果は、パネルの各メンバーの結合が知られているときに、受容体の生物学上の活性を調節することが知られ、各そのような参照物質に対し参照フィンガープリントとして特徴づけられ；
（ｂ）前記受容体に前記パネルの各メンバーを結合するときその効果を決定するように前記受容体に関連している未知の活性のテスト物質をスクリーニングし、これによって前記テスト物質に対しテストフィンガープリントを得て、
（ｃ）テストフィンガープリントを参照フィンガープリントと比較し、そして
（ｄ）その生物学上の活性が類似のフィンガープリントをもつ参照物質のそれに類似しているという仮定に基づき、テスト物質の生物学上の活性を予言することによって、化合物の受容体調節活性を予言するために複数の前記ペプチドを使用することからなる、
受容体の生物活性を調節する化合物の受容体−調節活性を予言する方法。
【請求項２８】
（ａ）複数のメンバーからなるパネルを提供し、前記メンバーは受容体が中にある複数の異なる参照コンフォメーションのそれに依存する前記受容体に結合する能力において異なり、そして
（ｂ）前記受容体に前記パネルの各メンバーを結合するときそれらの効果を決定するように前記受容体の生物学上の活性を調節することが知られている複数の参照物質をスクリーニングし、これによって各参照物質に対し参照フィンガープリントを得て、前記フィンガープリントは複数のパネル基礎の記述子からなり、各パネル基礎の記述子は前記受容体に特定のパネルメンバーを結合するとき参照物質の効果を特徴づけ、前記参照フィンガープリントのパネル基礎の記述子は前記受容体にそれぞれパネルメンバーのすべてを結合するとき参照物質の効果を集合的に特徴づける、
ことによって前記パネルメンバーによる結合での参照物質の効果が決定される請求項２７記載の方法。
【請求項２９】
前記パネルメンバーが、
（ａ）受容体に対し１またはそれ以上のリガンドを提供し；
（ｂ）少なくとも１のリガンド結合コンフォメーションを含む、少なくとも２の異なる参照コンフォメーションにおいて受容体に結合する能力に対し複数のメンバーからなる最初の組合せライブラリーをスクリーニングし、そして
（ｃ）前記スクリーニングに基づき、最初のライブラリーメンバーのパネルを提供し、そのコンフォメーションによって、前記パネルは受容体に結合するそれらの能力に関して異なるメンバーからなる、
からなる方法によって得られる請求項２８記載の方法。
【請求項３０】
少なくとも１の参照コンフォメーションが受容体の配位していないコンフォメーションである請求項２７記載の方法。
【請求項３１】
前記パネルが以下の（ｉ）、（ｉｉ）および（ｉｉｉ）の少なくとも２からなる請求項２９記載の方法。
（ｉ）配位していない受容体を結合するよりもさらに強くリガンド結合受容体を結合し、配位していない受容体を検出できるように結合する少なくとも１のメンバー、
（ｉｉ）配位していない受容体を結合するよりもさらに弱くリガンド結合受容体を結合する少なくとも１のメンバー、そして
（ｉｉｉ）配位していない受容体を結合するほど強くリガンド結合受容体を結合し、両者を検出できるように結合する少なくとも１のメンバー。
【請求項３２】
複数の異なるリガンドがパネルの特性を表す際に用いられる請求項１記載の方法。
【請求項３３】
前記受容体での参照物質の生物活性が複数の異なる組織に対し知られており、その結果前記組織のテスト物質の生物活性が予言される請求項２７記載の方法。
【請求項３４】
受容体が核受容体である請求項２７記載の方法。
【請求項３５】
受容体がエストロゲン受容体である請求項２７記載の方法。
【請求項３６】
受容体がアンドロゲン受容体である請求項２７記載の方法。
【請求項３７】
前記スクリーニングが同じ受容体を用いる同じペプチドライブラリーであるが、複数の異なる受容体コンフォメーションで行われる請求項１記載の方法。
【請求項３８】
前記コンフォメーションの１が配位していないコンフォメーションである請求項１記載の方法。
【請求項３９】
前記コンフォメーションの他の１が配位しているコンフォメーションである請求項３８記載の方法。
【請求項４０】
前記コンフォメーションの１が配位しているコンフォメーションである請求項１記載の方法。
【請求項４１】
前記コンフォメーションの１がアゴニストを配位しているコンフォメーションである請求項４０記載の方法。
【請求項４２】
前記コンフォメーションの１がアンタゴニストを配位しているコンフォメーションである請求項４０記載の方法。
【請求項４３】
前記コンフォメーションの他の１がアンタゴニストを配位しているコンフォメーションである請求項４１記載の方法。
【請求項４４】
第二のスクリーニングにおいて、第一のコンフォメーションでの受容体を結合したペプチドのみがスクリーニングされる請求項１記載の方法。
【請求項４５】
第二のスクリーニングにおいて、第一のコンフォメーションでの受容体を結合しなかったペプチドのみがスクリーニングされる請求項１記載の方法。
【請求項４６】
前記リガンドが外来的に加えられたリガンドである請求項４０記載の方法。
【請求項４７】
前記受容体が核受容体である請求項４０記載の方法。
【請求項４８】
前記受容体がエストロゲン受容体である請求項４７記載の方法。
【請求項４９】
前記受容体がアンドロゲン受容体である請求項４７記載の方法。
【請求項５０】
前記信号生成システムが、キメラ受容体を与えるように前記受容体または一部に融合される受容体結合成分からなり、前記信号生成システムがさらにキメラペプチドを与えるように前記ペプチドに融合されるペプチド結合成分からなり、これによって、ペプチドが受容体に結合する結果としてペプチド結合および受容体結合成分が物理的接近をもたらすとき信号が生成され、
ペプチド結合成分を発現する第一の交配タイプのハプロイド細胞および受容体結合成分を発現する異なる交配タイプのハプロイド細胞を交配することによって酵母細胞が得られる、請求項８記載の方法。
【請求項５１】
ステップ（ｂ）がインヴィトロで行われる請求項２７記載の方法。
【請求項５２】
ステップ（ｂ）が細胞基礎アッセイで行われる請求項２７記載の方法。
【請求項５３】
受容体コンフォメーションの少なくとも１がリガンド結合コンフォメーションである請求項１記載の方法。
【請求項５４】
リガンドが外来的に細胞に加えられ、その後受容体に結合し前記リガンド結合コンフォメーションを生成する請求項５３記載の方法。
【請求項５５】
リガンドが前記細胞によって相互発現されたペプチドである請求項５３記載の方法。
【発明の詳細な説明】
【０００１】
【発明の属する技術分野】
本出願は、ここに参考文献として組み込む２０００年７月１２日に出願した出願番号０９／６１４，８６５の一部継続出願である２００１年５月２１日に出願した０９／８６０，６８８の一部継続出願である。
【０００２】
関連出願のクロスレファランス
ここにすべて参考文献として組み込む１９９９年１月８日に出願した（１）６０／１１５，３４５、（２）１９９８年９月９日に出願した６０／０９９，６５６、Ｐａｉｇｅら、および（３）１９９８年４月２３日に出願した６０／０８２，７５６、Ｐａｉｇｅら、の仮ではないＰａｉｇｅらの１９９９年３月２６日のＰＣＴ／ＵＳ９９／０６６６４の一部継続であるＰａｉｇｅらの１９９９年１０月２８日出願の０９／４２９，３３１は、生物学上の活性につき化合物をスクリーニングするインヴィトロおよびインヴィヴォの方法に関する。
Ｔｈｏｒｐは米国特許出願０８／９０４，８４２、標的タンパク質の活性を調節する薬剤リードを同定展開する方法で、薬剤リードを同定する方法をいくつか開示している。本質において関心のあるタンパク質は、１またはそれ以上の他それ以上の状態で、（ａ）１またはそれ以上の特徴ある試薬をもつ化学反応性、および／または（ｂ）１またはそれ以上のａｐｔａｍｅｒ（特に核酸）へのその結合、により特徴付けられ、そのため記述子の同等配列が発生し、１またはそれ以上の活性を媒介とする参照薬剤が知られている参照タンパク質に更に多くまたは少なく類似するものとして特徴付けられる記述子の配列を生じる。関心のあるタンパク質に対する適当な薬剤リードは更に類似する参照タンパク質に対する参照薬剤に類似するものである。
ＦｏｗｌｋｅｓらはＰＣＴ／ＵＳ９７／１９６３８、０８／７４０，６７１、０９／０５０，３５９および０９／０６９，８２７、相補的組合せライブラリーを用いる薬剤の同定に、最初の組合せライブラリー、例えばペプチドの使用を開示し、標的タンパク質の天然リガンドのための代理として働くことができる結合ペプチドの一組を得ている。小さい有機化合物ライブラリーは（好ましくは天然で組合せる）次いで標的タンパク質への代用物の結合を阻害する化合物をスクリーニングする。
上記出願の全部をここに参考文献として組み込む。
発明の分野
この発明は標的タンパク質の生物学的活性を媒介する薬剤を同定する方法に関する。またこの方法で有用な、またはさらに直接に前記標的タンパク質の生物学上の活性を媒介しまたは前記標的タンパク質それ自体に結合する際に有用な試薬、特にペプチドに関する。
【０００３】
【従来の技術および発明が解決しようとする課題】
背景技術の記述
タンパク質結合および生物学上の活性
多くのタンパク質の生物学上の活性はそれらの能力にあり、１またはそれ以上の結合パートナー（リガンド）に特異的に結合する能力にあり、それ自体タンパク質、または他の生体分子であることができる。
【０００４】
タンパク質の結合パートナーが既知である場合、結合タンパク質とその結合パートナーの相後作用が生物学上の活性にいかに影響するかを研究するために比較的直接的である。さらに、コンプレックスの形成を拮抗的に阻害し、または既に形成されたコンプレックスを解離する化合物の能力に対し化合物をスクリーニングできる。このようなインヒビターは少なくとも相互作用の部位にインヴィヴォに伝えられるならば、タンパク質の生物学的活性に影響するようである。
結合するタンパク質が受容体である場合、および結合パートナーが生物学上の活性のエフェクターである場合、インヒビターは生物学上の活性を弱めるであろう。結合パートナーが、結合によって、生物学上の活性をブロックすると、その時は相互作用するインヒビターは、事実上、作用薬である。
【０００５】
受容体活性のモジュレーターのためのスクリーニング
受容体活性のモジュレーターのためのスクリーニングの現状は受容体のリガンド結合ポケットからの標識リガンドの置換を含む。例えば、スクリーンはエストロゲン受容体からの放射線標識エストラジオールの置換に対するものであることができる。このアッセイは唯一受容体に対し化合物の相対的アフィニティに関係する情報を与え、受容体への化合物の活性は何も示さず、それが受容体活性の作用薬または拮抗薬として作用するかどうかである。これは受容体活性のモジュレーターに対するスクリーニングにおいて克服すべき製薬会社の主な問題点である。
今日まで作用薬と拮抗薬間を区別できるように開発されたアッセイは細胞基礎のアッセイおよびレポーター遺伝子系を含む。ＭｃＤｏｎｎｅｌｌら、Ｍｏｌｅｃ．Ｅｎｄｏｃｒｉｎｏｌ．、９：６５９（１９９５）。これらの系では、受容体とレポーター遺伝子は培養基の細胞に一緒にトランスフェクションする。レポーター遺伝子はただ活性受容体の存在で活性化するだけである。受容体活性を媒介する化合物の能力はレポーター遺伝子活性の相対力によって決定される。これらアッセイは時間の浪費であり、異なる細胞ラインで、または異なるレポーター遺伝子または応答メンバーを用いて可変の結果を生じることができる。したがって、データーは注意して解釈されなければならない。
また、開発された方法は受容体の異なるコンホメーションの状態の利点となる。作用薬または拮抗薬の存在でのエストロゲンレイセプターのタンパク質分解消化は変性するポリアクリルアミドゲルに顕著なバンドパターンを生じる。一定のコンホメーションでは、受容体は特定部位で消化から保護され、一方異なるコンホメーションがその部位を曝す。したがってバンドパターンは受容体がタンパク質分解消化の時間に作用薬または拮抗薬とコンプレックスを作ったかどうか示すことができる。この方法は受容体タンパク質の豊富な量が必要であり、時間を浪費し各サンプルにつき走らせるゲルを要するので高価である。これは大量のサンプルをスクリーニングするには適さない。
【０００６】
次は細胞基礎のスクリーニング法の特許の例である：
特許＃５７２３２９１−エストロゲン活性のための化合物のスクリーニング法
特許＃５２９８４２９−ステロイドホルモン受容体のためのリガンド同定のバイオアッセイ
特許＃５４４５９４１−抗オステオポロシス剤をスクリーニングする方法
特許＃５０７１７７３−ホルモン受容体関連バイオアッセイ
特許＃５２１７８６７−受容体：それらの同定、特性化、調製および用途
【０００７】
伝統的薬剤スクリーニング
伝統的薬剤スクリーニングでは、天然生成物（特に民間療法で使用されるもの）を生物学上の活性を試験した。これら生成物の活性成分を精製し特性化し、次いでこれら「薬剤リード」の合成した類似体を設計し、調製し活性試験をした。これら類似体の最良のものは次世代の「薬剤リード」となり、新類似体を作り評価した。
このような天然産物および合成化合物は唯一の活性につき試験可能であり、またはテスターへの関心のある生物学上の活性に対し徹底的に試験することができた。試験はまず動物で行い、後に、高価でなくさらに手軽なモデルシステムで、単離器官、組織、または細胞、または細胞培養物を用い、膜抽出または精製受容体を若干の製薬学的評価のために発現させた。
全動物および単離器官の試験には一般に大量の試験のための化学化合物を必要とする。潜在的医薬の化合物の収集内での所定の化合物の量はかぎられ、これは実行されたスクリーンの数を限る１であることが必要である。
また、全動物、または単離した器官または組織、またはより小さい程度まで、培養された細胞を用いる試験化合物の間の構造／活性の関係（ＳＡＲ）を確立することは本質的に難しい。これは任意所定の化合物の作用の実際の分子標的がアッセイで陽性の他の化合物のそれとは全く異なるからである。極めて特異的な標的で化合物の一群を試験することによって、定量的活性をもつ種々の化学残基の活性の相関関係を評定でき、その情報を一定クラスの化合物間の活性化合物に対するサーチに焦点を合わせるために使用でき、または試験される活性化合物によって分けられる性質の複合物をもつ新規化合物の合成に向けることができる。
スクリーニングをベースとした全動物、器官、組織および細胞への他の欠点は一定の制限がそのようにスコアされることから活性化合物が妨げられることである。例えば、細胞膜を通るための無能力が試験化合物ライブラリイ内で、勢力のあるインヒビターが活性化したオンコジーンラスに作用し細胞増殖アッセイにおける疑似の負のスコアを与えることを妨げる。しかし、単離した系でラスを試験することが可能ならば、その勢力のあるインヒビターは正の化合物としてスコアされ関連したＳＡＲの確立に貢献する。次いで、化学的変異を行い膜透過性に対し化合物構造を最適にすることができた。（細胞をベースにしたアッセイの場合、この問題はある程度まで膜透過性を代えることによって軽減することができる。
【０００８】
薬剤発見。ヒトゲノムの努力は７０，０００個の多くのタンパク質に対し各潜在的薬剤標的をコードする遺伝子配列を生成することができた；微生物ゲノムはこの数をさらに増加するであろう。不幸にも、ゲノム研究は遺伝子を同定するが対応するタンパク質の生物学上の活性は同定せず、活性化および非活性化が病気の進行に影響しないタンパク質をコード化するのを多くの遺伝子が証明するらしい。（Ｇｏｌｄら、Ｊ．Ｎａｔｕｒｅ Ｂｉｏｔｈｅｃｈ．，１５：２９７，１９９７）。したがって最もタンパク質が製薬学的介入のために豊富な標的となるらしいことを決定する方法が必要である。  関心のある標的と考えられる多分１０，０００個のタンパク質を予め知っていたとしても、これら１０，０００個の標的に対して有用な活性のための数千の可能な薬剤の数百を有効にスクリーニングする問題が残る。
【０００９】
歴史的には、化学化合物ライブラリイを取得することは薬剤発見界に更に小さい会社が入るバリアとなった。全動物および培養基の細胞でさえも試験するための大量の化学的要請によって、化合物が合成されるときはいつでもかなり大量で行う必要があった。したがって、１年につき１人の科学者当り５０以下の化合物を合成し精製する処理量であった。大会社は取引バリアとして莫大な貴重な収集物を保持した。しかし、分子レベルまで標的を小さくしスクリーンを自動化するとともに、アッセイに必要な化合物の量は極めて少量まで減った。これらの変化は、伝統的な化学ライブラリーの代わりにいわゆる組合せ化学ライブラリーの使用のためのドアを開いた。組合せの化学は分子標的に向けられた自動化アッセイに適する少量での大多数の化合物の迅速な比較的安価な合成を可能にする。多数の小さい会社やアカデミックな研究所はかなりの範囲の多様性をもつうまく強化された組合せ化学ライブラリーを有している（参照、Ｄｏｙｌｅ、１９５５、Ｇｏｒｄｏｎら、１９９４ａ、Ｇｏｒｄｏｎら、１９９４ｂ）。
組合せライブラリー。組合せライブラリーでは、化学構築ブロックは多数の（１０Ｅ１５の高さ）異なる化合物にランダムに組み合わさり、次いで同時に１またはそれ以上の標的に対し結合するため（または他の）活性をスクリーニングする。
ランダムオリゴペプチドの数千、数百万のライブラリーは化学合成によって（Ｈｏｕｇｈｔｅｎら、Ｎａｔｕｒｅ、３５４：８４−６（１９９１）、または遺伝子発現（Ｍａｒｋｓら、Ｊ． Ｍｏｌ Ｂｉｏｌ、２２２：５８１−９７（１９９１））によって調製され、クロマトグラフ支持体で（Ｌａｍら、Ｎａｔｕｒｅ、３５４：８２−４（１９９１））、バクテリア細胞の内側に（Ｃｏｌａｓら、Ｎａｔｕｒｅ、３８０：５４８−５５０（１９９６））、バクテリア毛で（Ｌｕ、Ｂｉｏ／Ｔｅｃｈｎｏｌｏｇｙ、１３：３６６−３７２（１９９０））、またはファージ（Ｓｍｉｔｈ、Ｓｃｉｅｎｃｅ、２２８：１３１５−７（１９８５））に示され、そして抗体（Ｖａｌａｄｏｎら、Ｊ．Ｍｏｌ．Ｂｉｏｌ．，２６１：１１−２２（１９９６））、細胞タンパク質（Ｓｃｈｍｉｔｚら、Ｊ．Ｍｏｌ Ｂｉｏｌ，２６０：６６４−６７７（１９９６））、ウイルス性タンパク質（ＨｏｎｇとＢｏｕｌａｎｇｅｒ、Ｅｍｂｏ Ｊ、１４：４７１４−４７２７（１９９５））、バクテリアタンパク質（ＪａｃｏｂｓｏｎとＦｒｙｋｂｅｒｇ、Ｂｉｏｔｅｃｈｎｉｑｕｅｓ、１８：８７８−８８５（１９９５）、核酸（Ｃｈｅｎｇら、Ｇｅｎｅ、１７１：１−８（１９９６））およびプラスチック（Ｓｉａｎｉら、Ｊ Ｃｈｅｍ Ｉｎｆ Ｃｏｍｐｕｔ Ｓｃｉ、３４：５８８−５９３（１９９４））を含む種々の標的に結合するためスクリーニングした。
タンパク質（Ｌａｄｎｅｒ、ＵＳＰ４，６６４，９８９）、ペプトイド（Ｓｉｍｏｎら、Ｐｒｏｃ Ｎａｔｌ Ａｃａｄ Ｓｃｉ ＵＳＡ、８９：９３６７−７１（１９９２））、核酸（ＥｌｌｉｎｇｔｏｎおよびＳｚｏｓｔａｃ、Ｎａｔｕｒｅ、２４６：８１８（１９９０））、炭水化物、および小さい有機分子（Ｅｉｃｈｌｅｒら、Ｍｅｄ Ｒｅｓ Ｒｅｖ，１５：４８１−９６（１９９５））の ライブラリーもまた調製し薬剤スクリーニングの目的で示唆された。
【００１０】
最初の組合せライブラリーはペプチドおよびタンパク質からなり、全部または選択されたアミノ酸部位はランダムであった。ペプチドとタンパク質は高い特異的結合活性を示し、触媒として働くことができる。その結果、生物学的系において非常に重要である。不幸にも、ペプチドは本質的に治療実態として用いるために限られていた。合成にはコストがかかり、プロテアーゼの存在で不安定であり一般に細胞質膜を通過しない。他のクラスの化合物は薬剤候補としてさらに良い性質をもつ。
また核酸は組合せライブラリーに用いられた。それらの大きな利点は適当に結合活性をもつ核酸が容易に増幅されることである。結果として、核酸からなる組合せライブラリーは冗長性が低く従って多様性が大きい。しかし、得られたオリゴヌクレオチドはいくつかの理由から薬剤として適さない。まず、オリゴヌクレオチドは分子量が大きく便利に大量に製造できない。第二にオリゴヌクレオチドはポリアニオンであるから細胞膜を横切れない。最後に、デオキシ−およびリボ−ヌクレオチドはヌクレアーゼによって加水分解により消化され、これはすべての生体系で生じ、したがって通常標的に達する前に分解される。
従って、小さい分子に基づく組合せライブラリーは非常に興味深く、製薬用にさらに適しており、特にベンゾジアゼピンのような、既に有用な製薬剤を生み出した化学クラスに属するものである。組合せ化学の技術はこれら標的に働く小さい分子を見出す最も有効な手段として認識された。現在では、小さい分子の組合せ化学は通常の骨格での相関性の変化する配列が存在するプールしたまたは別々の分子のいずれかを合成することを含む。これら化合物はライブラリーにグループ化され、次いで生物学上の活性を結合または阻害するために関心のある標的に対しスクリーニングすることができる。数千の化合物の数百を含むライブラリーは現在日常的に合成されているが、しかし、全ての１０，０００の潜在的標的と結合または阻害するこれら大きいライブラリーをスクリーニングすることは現在のスクリーニング技術では合理的に達成できず、各標的に対しスクリーニングしなければならない化合物数を減らすための開発下には多くの実験およびコンピュータによる戦略がある。
【００１１】
情報集約的薬剤の発見。Ｐａｔｅｒｓｏｎら、（Ｊ． Ｍｅｄ．Ｃｈｅｍ．，３９：３０４９−５９（１９９６））により指摘されたように、医薬化学は「リード発見」および「リード最適化」の二つのプロセスを通して進歩する。「リード発見」では、サーチの対象は「活性アイランド」、高頻度の活性分子をもつ化学クラスの発見である。（このクラスは種々の分子記述によって画定される複合次元スペース内の容量として数学的に画定することができる。「リード最適化」では、「活性アイランド」は詳細に踏査される。合成されテストされた各化合物が類似の化合物の「近隣」のプローブと考えられるならば、「リード発見」では、近隣が重なる物質をテストすることは役に立たない。
ゲノムおよび分子生物学での最近の進歩と結合して、情報技術が革命を起こし、これは関係のあるデーターベース、コンピューターグラフィックス、および神経系ネットワークを含む。これらの可能性は化合物または標的を量的な意味で記載する記述子のデーターベースを構築し、これらの記述子は化合物の構造、それらの生物学上の活性、および作用する標的について予測することに関連することができる。
構造記述子は種々の構造特性に基づくことができる。これらのアプローチはライブラリーでの分子の類似性を査定するために用いられる分子記述子の配列を提供する。
参照、Ｐａｔｔｅｒｓｏｎら、Ｊ．Ｍｅｄ．Ｃｈｅｍ．、３９：３０４９−５９（１９９６）、ＫｌｅｂｅとＡｂｒａｈａｍ、Ｊ．Ｍｅｄ．Ｃｈｅｍ．、３６：７０−８０（１９９３）、Ｃｕｍｍｉｎｓら、Ｊ． Ｃｈｅｍ．Ｉｎｆ．Ｃｏｍｐｕｔ．Ｓｃｉ．，３６：７５０−６３（１９９６）、Ｍａｔｔｅｒ、Ｊ． Ｍｅｄ．Ｃｈｅｍ．，４０：１２１９−２９（１９９７）；Ｗｅｉｎｓｔｅｉｎら、Ｓｃｉｅｎｃｅ、２７５：３４３−９（１９９７）。
【００１２】
タンパク質について、構造記述子は直接アミノ酸配列から計算できない。
化合物は構造よりも活性によって特徴づけられる。Ｋａｕｖａｒら、Ｃｈｅｍｉｓｔｒｙ ＆Ｂｉｏｌｏｇｙ、２：１０７−１１８（１９９５）８個のタンパク質の参照パネルの各メンバーに対し各化合物の結合力（５０％のタンパク質活性を阻害するために必要な濃度）によって「フィンガープリントを取った」５，０００以上の化合物。（これらタンパク質は、容易にアッセイできる活性、小さい有機分子との幅広い交叉反応性、および結合パターンでの互いの間の低い相互関係に基づいて選択された）。５４個の化合物のスクリーニングライブラリーは次いでそれらの「フィンガープリント」での多様性に基づき選択された（参照パネルタンパク質に対する阻害活性）。
この「トレイニングセット」を用いて新しいタンパク質が参照パネルタンパク質の１つにリガンド結合する特性の類似性を評価した。回帰分析によって、新しいタンパク質に対する評価代用物（２またはそれ以上の参照パネルタンパク質の重量合計）を決定する。新しいタンパク質の活性を阻害する全フィンガープリント化合物の活性は評価代用物の成分参照タンパク質に対し適正に検量した抑制活性の合計として予言される。予言は新しいタンパク質に対し追加のセットの化合物を試験することによって改善することができる。Ｌ．Ｍ．Ｋａｕｖａｒ， Ｈ． Ｏ． Ｖｉｌｌａｒも参照。結合するパートナーを同定する方法。ＵＳ特許５５８７２９３。
上記Ｗｉｎｓｔｅｉｎは、癌の分子薬理学において、同様のアプローチを取った。「活性」データーベース（Ａ）はＮＣＩでスクリーニングした６０，０００の化合物のための６０のセルラインに対し活性を含む。セルラインのパネルに対し活性プロフィルでの類似性を次いで任意の２化合物に対し計算することができ、一般にペアでの相関係数（ＰＣＣ）により評価され、ＣＯＭＰＡＲＥと呼ばれるアルゴリズムによって決定され、ユーザー供給「種」化合物へのデーターベースでの化合物の全部の類似性を計算する。
高処理量スクリーニング
高処理量スクリーニングシステムは通常（１）適当に配列された化合物ライブラリー、（２）自動化のために形成されたアッセイ方法、（３）その方法を行うためのロボットワークステーション、そして（４）データー処理のためのコンピューター処理システム。
【００１３】
その配列は標準９６穴ミクロ滴定プレート、またはチップ、ビーズ、寒天プレートまたは他の個体支持体上の化合物の配列である。配列は各化合物の単一配列または各メンバーが少数の、例えば１０−２０の異なる化合物の予定された混合物である複合配列であってもよい。後者の場合、混合物は最後には真の活性成分を同定するため絡み付かないものでなければならない。
自動化を容易にするため、アッセイはできる限り数段階でなければならない。したがって、均質なアッセイは分別を必要とせず、または試薬を一回以上添加することが望ましい。
一般にはＢｒｏａｃｈ ａｎｄ Ｔｈｏｒｎｅｒ， Ｎａｔｕｒｅ， ３８４， １４ （１９９６年１１月７日）；Ｍｉｌｌｉｇａｎ ａｎｄ Ｒｅｅｓ， Ｔｒｅｎｄｓ Ｐｈａｒｍａｃｏｌ． Ｓｃｉ．， ２０：１１８−２４ （１９９９）を参照。
高処理量スクリーニングのための好適なレポーター遺伝子はバクテリアベータガラクトシダーゼ、ルシフェラーゼ、ヒト胎盤アルカリ性ホスファターゼ、バクテリア性ベータ−ラクタマーゼ、およびクラゲ緑蛍光性タンパク質を含む。
Ｇｏｎｚａｌｅｚ ａｎｄ Ｎｅｇｕｌｅｓｃｕ， Ｃｕｒｒ． Ｏｐ． Ｂｉｏｔｅｃｈｎｏｌ．， ９：６２４−３１ （１９９８）は高処理量スクリーニングに適した細胞内検出アッセイを議論している。このようなアッセイは光学アッセイとして便利に提供され、読み出しとして吸光度、蛍光、またはルミネセンスをあてにできる。吸光アッセイがＧＰＣＲｓのためのメラニン細胞およびベーター−ガラクトシダーゼレポーターアッセイで有用であるが、またそのようなアッセイは感度が比較的低い。意味のある吸光変化を得るには、非常に高い濃度の染料および多くの細胞が必要である。したがって、吸光アッセイはそれ自体小型化したフォーマットにならない。
【００１４】
反対に、ルミネセンスおよび蛍光はさらに感度が高く高いＳ／Ｎ比が普通である。
化学ルミネセンスアッセイについて、標準基質はルシフェリンおよびエクオリンである。高濃度のルシフェリンおよびＡＴＰはルシフェラーゼ−触媒反応を進めるために望ましいので、ルシフェラーゼアッセイは、処女細胞よりはむしろ、通常数千の細胞からの細胞溶解物で行われる。膜不浸透性発光基体は細胞外または溶解物アッセイと間連して用いられた。化学ルミネセンスアッセイの最大の利点はその極端に低いバックグラウンドにある。
蛍光は単一細胞レベルで容易に検出できる。しかし、蛍光を起こさせるプロセスは無条件に選択的ではない。そこには内発的な細胞質および装置の源からの望まない蛍光および光散乱のバックグラウンドがある。
細胞ベースの蛍光アッセイは３つの広いカテゴリーに分かれる：（１）蛍光強度での変化に基づくもの、例えばカルシウム感受性Ｆｌｕｏ−３センサーに基づくもの；（２）エネルギー移動に基づくもの、例えばＦＲＥＴ（極めて接近しており特定のオーバーラップをもつときドナーフルオロフォールからアクセプターフルオロフォールにエネルギー移動がある）；および（３）エネルギー再分配に基づくもの（標識をつけた分子が細胞内を移動し、各細胞内の蛍光の位置が変化することが観察される）。
可能な信号はＣａ、ｃＡＭＰ、ボルト数、酵素、タンパク質の相互作用、および転写を含む。ＣａおよびｃＡＭＰは共にＧＰＣＲターゲットに関連して述べられる。Ｃａについては、示唆された読み出しはＣａインジケーター染料（蛍光）、Ｃａフォトタンパク質（ルミネセンス）、レポーター遺伝子（蛍光またはルミネセンス）、およびカメレオン（ＦＲＥＴ）である。ｃＡＭＰについては、示唆された読み出しはＦｌｃｈＲ（ＦＲＥＴ）およびレポーター遺伝子（蛍光またはルミネセンス）である。
著者はまた他の検出方法、まだ生化学または結合アッセイで主として用いられ、細胞基礎のアッセイに疑いなく広がる、例えば蛍光偏光、蛍 光相関分光器、および時間分解検出を論評する。
【００１５】
細胞基礎のアッセイ
細胞基礎のアッセイ、および特に「２−ハイブリッド」アッセイシステムはタンパク質を試験するために用いられた：タンパク質相互作用、Ｆｉｅｌｄｓ ａｎｄ Ｓｏｎｇ， Ｎａｔｕｒｅ， ３４０：２４５−６（１９８９）およびＧｙｕｒｉｓら、Ｃｅｌｌ， ７５：７９１−８０３（１９９３）参照、およびタンパク質：ペプチド相互作用、Ｃｏｌａｓら、Ｎａｔｕｒｅ， ３８０（６５７４）：５４８−５０（１９９６）；Ｙａｎｇら、Ｎｕｃｌｅｉｃ Ａｃｉｄｓ Ｒｅｓ．， ２３（７）：１１５２−６（１９９５）； Ｋｏｌｏｎｉｎ ａｎｄ Ｆｉｎｌｅｙ， Ｐｒｏｃ． Ｎａｔ． Ａｃａｄ． Ｓｃｉ．（ＵＳＡ）， ９５（２４）：１４２６６−２７１（１９９８）； Ｃｏｈｅｎら、Ｉｄ．， ９５（２４）：１４２７２−７（１９９８）； Ｇｅｙｅｒら、Ｉｄ．， ９６（１５）：８５６７−７２（１９９９）； Ｎｏｒｍａｎら、Ｓｃｉｅｎｃｅ， ２８５（５４２７）：５９１−５（１９９９）， Ｃｈａｎｇら、Ｍｅｏｌ． Ｃｅｌｌ． Ｂｉｏｌ．， １９（１２）：８２２６−３９（１９９９）参照。Ｙａｎｇでは、酵母２−ハイブリッドシステムを用いてランダムペプチド（１６Ｘａａ位置）の不偏の組合せライブラリーをスクリーニングして網膜芽腫タンパク質（Ｒｂ）を結合するペプチドを同定した。同様に、Ｃｏｈｅｎは２−ハイブリッドシステムを用いてサイクリン依存性キナーゼ２（Ｃｄｋ２）のキナーゼ活性を阻害するペプチドのための組合せペプチドライブラリーをスクリーニングした；Ｃｏｈｅｎはこのアプローチが安定な内側細胞であるライブラリーメンバーに対し前もって選ばれたことを特記している。組合せライブラリーをスクリーニングするため２ハイブリッドアッセイを用いることはまたＣｏｌａｓおよびＧｅｙｅｒによって記載されている。
受容体コンフォメーション感受性方法で細胞受容体を結合するペプチドに対し組合せペプチドライブラリーをスクリーニングするため、または外因的に添加されたリガンドの存在で細胞受容体を結合するペプチドに対しこのようなライブラリーをスクリーニングするため、または核受容体を結合するペプチドに対しこのようなライブラリーをスクリーニングするために、細胞基礎アッセイを先に用いることはなかった。
この明細書で引用した全ての参考文献は、特許または特許出願を含め、ここに参考文献として組み込まれる。いずれの参考文献も従来技術を構成するものではない。参考文献の議論から、引用した文献の正確さおよび適切さを要求する権利を著者らは主張し出願人らは保有する。
【００１６】
【課題を解決するための手段】
本発明は、標的分子に結合するライブラリーメンバーに対し組合せライブラリーのスクリーニングのための細胞基礎アッセイに関するものである。組織的に言えば、標的分子はタンパク質が好ましい。機能的に言えば、標的分子は受容体が好ましい。受容体に結合するためのアッセイの議論は、必要な変更を加えて、他の分子に応用される。標的受容体は問題の細胞に内因性または外因性である。エストロゲン受容体のような核受容体は、特に関心があるものである。
本発明はまた、受容体コンフォメーションに感受性がある方法で結合する受容体結合ライブラリーメンバーの二次同定、および同じ受容体と相互作用するため、製薬学用途に適した小有機分子の能力の予測においてこれらメンバー（「Ｂｉｏｋｅｙｓ」）の二次使用に関するものである。
受容体結合ライブラリーメンバー、および変異体、ペプチド擬態および類似体はまた治療または診断薬として独自に用いられる。
主な好ましいスクリーニング例では、本発明は受容体に結合する結合ペプチドを同定する方法に関し、前記結合ペプチドはペプチドの組合せライブラリーのマンバーであり、前記ライブラリーは前記受容体を結合するようにそのメンバーの能力に対しスクリーニングされ、
【００１７】
前記受容体は細胞の表面または細胞内受容体であり、前記ライブラリーは複数の細胞で発現され、各細胞は前記受容体、またはそのリガンド結合受容体部分、および前記ライブラリーの１メンバーを相互発現し、前記細胞は前記ライブラリーの全メンバーを集合的に発現し、各細胞はさらに前記受容体または部分と実施可能に結合した信号生成システムを提供し、前記メンバーが前記受容体または部分を前記細胞内または細胞上で結合するかどうかを表示する信号を生成するようにし、
前記細胞は、スクリーニングするとき、全ての多細胞生物体またはそのような生物体の組織または器官に統合されず、
前記受容体が最初のコンフォメーションにあるとき前記ライブラリーの前記ペプチドが最初のスクリーニングでスクリーニングされ、前記ライブラリーのペプチドの１またはそれ以上が第二の異なるコンフォメーションにおいて前記受容体に結合するため第二のスクリーニングでスクリーニングされ、前記第二のスクリーニングは最初のスクリーニングと同時にまたは続いて行われ、これによって受容体への結合が受容体コンフォメーション感受性であるペプチドが同定される。
【００１８】
第二のスクリーニングは最初のスクリーニングにおいてスクリーニングされた全体のライブラリーのスクリーニングであり、この場合スクリーニングは通常同時に行われる。最初のライブラリーの部分集合のスクリーニングでもよい。これはあまり好ましくはないが、最初のライブラリーと重なる第二のライブラリーのスクリーニングでもよい。スクリーニングした細胞は、少なくとも最初のスクリーニングに対し、真核生物が好ましく、酵母細胞がさらに好ましい。
特に好ましい例では、前記信号生成システムは（１）キメラ受容体を提供するように前記受容体または部分に融合する受容体結合成分、および（２）キメラペプチドを提供するように前記ペプチドに融合するペプチド結合成分からなり、これによりペプチド結合および受容体結合成分が受容体にペプチドを結合する結果として物理的近接をもたらすときに信号が生成される。
関心のある副次的例では、スクリーニングされた細胞はディプロイド酵母細胞であり、ディプロイド酵母細胞は、ペプチド結合成分を発現する第一のディプロイド交配タイプ株のハプロイド細胞と、受容体結合成分を発現する異なる交配タイプのハプロイド細胞を交配して得られる。
【００１９】
本発明の他の好ましい面は受容体の生物学的活性を調節する化合物の受容体調節活性を予言する方法に関し、
（Ｉ）前記受容体を結合するペプチドを同定し、受容体が中にある複数の異なる参照コンフォメーションのそれに依存する前記ペプチドは前記受容体に結合する能力において異なり、そのようなペプチドの少なくとも１が上記主な好ましいスクリーニング例によって同定され、そして
（ＩＩ）（ａ）複数のメンバーからなるパネルを提供し、前記メンバーは上記（Ｉ）で同定されたペプチドを含み、前記メンバーは受容体が中にある複数の異なる参照コンフォメーションのそれに依存する前記メンバーは前記受容体に結合する能力において異なり、ここで複数の参照物質の効果は、パネルの各メンバーの結合が知られているときに、受容体の生物学上の活性を調節することが知られ、各そのような参照物質に対し参照フィンガープリントとして特徴づけられ；
（ｂ）前記受容体に前記パネルの各メンバーを結合するときその効果を決定するように前記受容体に関連している未知の活性のテスト物質をスクリーニングし、これによって前記テスト物質に対しテストフィンガープリントを得て、
（ｃ）テストフィンガープリントを参照フィンガープリントと比較し、そして
（ｄ）その生物学上の活性が類似のフィンガープリントとともに参照物質のそれに類似しているという仮定に基づき、テスト物質の生物学上の活性を予言することによって、化合物の受容体調節活性を予言するために複数の前記ペプチドを使用することからなる。
スクリーニング工程（ｂ）はインヴィヴォまたはインヴィトロである。
特に前記パネルメンバーによって結合するとき参照物質の効果は次によって決定されることが望ましい。
【００２０】
（ａ）複数のメンバーからなるパネルを提供し、前記メンバーは受容体が中にある複数の異なる参照コンフォメーションのそれに依存する前記受容体に結合する能力において異なり、そして
（ｂ）前記受容体に前記パネルの各メンバーを結合するときそれらの効果を決定するように前記受容体の生物学上の活性を調節することが知られている複数の参照物質をスクリーニングし、これによって各参照物質に対し参照フィンガープリントを得て、前記フィンガープリントは複数のパネル基礎の記述子からなり、各パネル基礎の記述子は前記受容体に特定のパネルメンバーを結合するとき参照物質の効果を特徴づけ、前記参照フィンガープリントのパネル基礎の記述子は前記受容体にそれぞれパネルメンバーのすべてを結合するとき参照物質の効果を集合的に特徴づける。
一般にパネルメンバーは次によって得られる。（ａ）受容体に対し１またはそれ以上のリガンドを提供し；（ｂ）少なくとも１のリガンド結合コンフォメーションを含む、少なくとも２の異なる参照コンフォメーションにおいて受容体に結合する能力に対し複数のメンバーからなる最初の組合せライブラリーをスクリーニングし、そして（ｃ）前記スクリーニングに基づき、最初のライブラリーメンバーのパネルを提供し、そのコンフォメーションによって、前記パネルは受容体に結合するそれらの能力に関して異なるメンバーからなる。しかし、上述したように、少なくとも１のパネルメンバーは主な好ましいスクリーニング例によって得られる。さらに好ましくは、複数、全部、または殆ど全部が得られる。
【００２１】
次いで好ましくはパネルは以下の（ｉ）−（ｉｉｉ）の少なくとも２からなる。
（ｉ）配位していない受容体を結合するよりもさらに強くリガンド結合受容体を結合し、配位していない受容体を検出できるように結合する少なくとも１のメンバー、
（ｉｉ）配位していない受容体を結合するよりもさらに弱くリガンド結合受容体を結合する少なくとも１のメンバー、そして
（ｉｉｉ）配位していない受容体を結合するほど強くリガンド結合受容体を結合し、両者を検出できるように結合する少なくとも１のメンバー。
本発明はまた表に示したペプチドすべて、実質的に同一のペプチド、および対応するペプトイド、他のペプチド擬態、その他の類似体を含み、そして診断、治療および「フィンガープリント」はそれらを用いる。
【００２２】
【発明の実施の形態】
受容体、一般的に
多くの薬理学的に活性な物質は標的細胞の受容体として知られているメンバーと相互に作用することによって特定の生理的応答を導きだす。受容体は、観察できる生物学上の効果に導く作用を起こすある特異的方法で化学薬剤が相互作用する有機体の成分、通常は高分子である。この語はまた非天然産ポリペプチドに用いられ、これはこのような成分とアミノ酸配列が実質的に同じドメイン、またはそのドメインから成りある化学薬剤への細胞による生物学的応答を媒介するように細胞中で発現するとき可能である。本発明の目的に対し、抗体は受容体とは考えられない。
「受容体」の語は表面および細胞内受容体の両方を含む。核受容体は特に興味深い。
重要な部類の受容体は細胞膜の燐脂質バイレヤーに埋め込まれたタンパク質である。受容体への作用薬の結合は（代表的には細胞外結合部位で）他の生体分子との受容体の相互作用を変える、細胞内部位でのアロステリックな変化を引き起こす。生理的応答はこの「第二のメッセンジャー」（作用薬は「第一のメッセンジャー」である）または「エフェクター」分子と相互作用によって開始される。
酵素は受容体の特別なタイプである。受容体は作用薬と相互作用し生物学的応答を引き出すコンプレックスを形成する。次に通常の受容体はそのままの作用薬を放出する。酵素とともに、作用薬は酵素基質であり、酵素は基質の化学変化を引き起こす。したがって、酵素基質は「リガンド」である。酵素は必ずしも膜結合タンパク質ではない。それらは細胞内タンパク質である。しばしば、酵素は受容体の第二のメッセンジャーの作用によって、または、さらに直接、「上流」酵素反応の生成物によって活性化される。
【００２３】
すべての酵素が受容体ではない。細胞外酵素、例えば、血清酵素は、標的細胞内に信号を変換しないので受容体ではない。しかし、可能な標的分子として本発明の広い実施例では興味を起こさせる。
受容体は単量体またはオリゴマーであり、後者の場合、ホモオリゴマーまたはヘテロオリゴマーである。
受容体の１の部類はタンパク質キナーゼであり、燐酸化標的タンパク質によって作用するプラズマ膜結合タンパク質である。若干の燐酸化チロシン残基、他の燐酸化セリンまたはスレオニン残基である。これらタンパク質は代表的には細胞外の、リガンド結合ドメイン、および細胞内触媒反応（キナーゼ）ドメインからなる。
受容体の関連した族は細胞内キナーゼドメインを欠くが、作用薬への応答では、活性な独立した膜を埋め込んだまたはシトソルのタンパク質キナーゼを欠く。
他の部類の膜受容体は細胞外リガンド結合ドメインおよび、第二のメッセンジャー環状ＡＭＰを合成するグアニリルシクラーゼである細胞内ドメインからなる。
若干の受容体はプラズマ膜内にイオン選択性チャンネルを形成し、細胞の膜ポテンシャルまたはイオン成分を変えることによって信号を運ぶ。これらはニコチン様のｃｈｏｌｏｉｎｅｒｇｉｃ受容体、ＧＡＢＡＡ受容体、およびＧｌｕ、ＡｓｐおよびＧｌｙのための受容体を含む。
【００２４】
受容体をカップルしたＧタンパク質は７のアルファらせん部分においてプラズマ膜に広がる疎水性タンパク質である。これららせんによって形成されたポケットに結合し、または分離した細胞外ドメインに結合する。受容体はそれらの細胞質面で１またはそれ以上のＧタンパク質と相互作用する。
「可溶な受容体」の語は結合していない任意の受容体を意味する。したがって、これは細胞質内でフリーに見出された任意の細胞内受容体を含む。しかし、この語はまた、膜受容体の、細胞外リガンド結合ドメインに対応するフラグメントに応用される。これらフラグメントは実際に全く受容体ではないが、むしろ元の膜受容体に対する敵対者である（それらはリガンドに匹敵する）。そのようなフラグメントは、「標的受容体」ではないが、なお潜在的「標的分子」である。
リガンド結合フラグメントはまた信号変換ドメインに共役しキメラ受容体を形成する。さらに、人為的受容体は、適当な細胞環境で、リガンド結合が信号変換となるような方法で、リガンド結合標的分子を信号変換ドメイン（人為的受容体を形成する）に共役させて形成される。
受容体は以下の「標的受容体」のセクションでさらに詳細に述べる。
受容体媒介製薬学的活性
ホルモン、成長因子、神経伝達物質および多くの他の生体分子は通常特定の細胞受容体と相互作用して働く。薬剤は活性化されまたは特定の受容体をブロックして所望の製薬効果を達成する。細胞表面受容体は「外部」信号（受容体へのリガンドの結合）の「内部」信号（細胞の成長、代謝またはａｐｏｔｏｓｉｓに含まれる細胞質または核での経路の調節）への変換を媒介する。
【００２５】
多くの場合、変換は次の信号カスケードによって行われる。
・作用薬（リガンド）は細胞表面で特定タンパク質（受容体）に結合する。
・リガンド結合の結果として、受容体は細胞膜中で変換タンパク質を活性化するアロステリックな変化を受ける。
・変換タンパク質は、細胞内で、いわゆる「第二のメッセンジャー分子」の生成を活性化する。
・第二のメッセンジャー分子は、特定の遺伝子を「スイッチオン」または「オフ」するかまたはある代謝プロセスを変えるポテンシャルをもつ細胞内で一定の調節タンパク質を活性化する。
この一連の事象は各可能な細胞応答に対し特別の方法で結合される。特定のリガンドへの応答は細胞が発現する受容体に依存する。例えば、α−アドレナリン様受容体を発現する細胞中のアドレナリンへの応答はβ−アドレナリン様受容体を発現する細胞中の応答の反対側にある。
【００２６】
上記「カスケード」は理想化され、このテーマの変更が生じる。例えば、受容体はそれ自体変換タンパク質として働き、あるいは変換タンパク質は直接「第二のメッセンジャー」による媒介なしで細胞内標的に作用する。
受容体部位との特異的相互作用によって、応答を導き出すことができる物質は、作用薬として知られている。一般に、最大の応答に達するまで、受容体部位での作用薬の濃度の増加はさらに大きく増加する応答に導かれる。最大の応答を導き出すことができる物質はフル作用薬として知られ、せいぜい、更に小さい（が識別できる）応答のみを導き出すものは部分的作用薬である。
製薬学的拮抗薬は応答を導き出すことなく受容体と相互作用する化合物であり、そうすることによって作用薬への応答から受容体を阻害する。拮抗的拮抗薬はその効果が作用薬濃度を増加させることによって圧倒されるものである。非拮抗的拮抗薬はその作用が作用薬の濃度によって影響を受けないものである。封鎖拮抗薬はリガンドを阻害するものである。リガンドへ結合することによる受容体相互作用はもはや受容体を結合しない方法である。拮抗的封鎖拮抗薬はリガンドに対し受容体と拮抗し、拮抗的薬理学的拮抗薬は受容体に対しリガンドと拮抗する。
リガンドは受容体に結合する物質であり、これによって作用薬と薬理学的拮抗薬の両方を含む。しかし、受容体を結合するリガンドが存在するが、受容体と抗争または拮抗しない。受容体を活性化（抗争）または阻害（拮抗）するリガンドはここではまとめてモジュレーターと呼ぶ。若干のモジュレーターは、環境によって、作用薬または拮抗薬として作用する役割を変える。
【００２７】
天然リガンドは、天然で、ヒトの介入なしで、天然受容体を抗争または拮抗するために応答できる。天然リガンドは受容体が天然である器官によって生成することができる。病原体または寄生体本来のリガンドはホスト本来の受容体に結合する。またはホスト本来のリガンドは病原体または寄生体本来の受容体に結合する。これらすべては天然リガンドである。
薬剤アンタゴニズムの臨床概念は薬理学概念よりは広く、作用薬：受容体結合の直接の阻害を含まない現象を含む。「生理学的」拮抗薬は直接または間接に天然作用薬の受容体部位への生成、放出または移送を阻害し、または受容体部位からの除去（物理的、または不活性形態への変更によって）を直接または間接的に容易にし、またはその生成を阻害しまたは受容体の反転の割合を増加し、または活性化した受容体からの信号の変換に干渉する物質である。
１の受容体（例えば、エストロゲン受容体）の生理学的拮抗薬は、別の、例えば、転写因子の薬理学的拮抗薬である。１の受容体の生理学的拮抗薬は別の受容体の薬理学的作用薬であり、第一の受容体の天然リガンドの等級を下げる酵素を活性化するものである。
同様に、生理学的作用薬について、直接または間接に天然作用薬の受容体部位への生成、放出または移送を高め、または直接または間接に受容体部位からの除去を阻害し、または生成を高めまたは受容体の反転の割合を減らし、またはある点では活性化した受容体からの信号変換を容易にする物質である。
【００２８】
「製薬学的」および「生理学的」モジュレーターに続く。
受容体の関数の拮抗薬は第一の受容体の活性化への通常の応答を中和または阻害する生物学的応答の引き金となる第二の受容体に作用する物質である。したがって、１の受容体の関数となる拮抗薬は別の製薬学的作用薬である。
病状が受容体の不適当な活性化の結果であるならば、その病気は生理学または製薬学拮抗薬で防がれまたは処理される。他の病状は受容体の不適当な活性化によって起き、その場合、病気は適当な生理学または製薬学の作用薬によって防げられる。
酵素は受容体であるから、薬剤はまた酵素と相互作用するので有用である。薬剤は酵素に対し基質として、補酵素として、または酵素阻害剤として働くことができる。（不可逆性阻害剤は「インアクチベーター」である。）薬剤はまた、直接または間接に、酵素中にプロ酵素またはアポ酵素の転換を引き起こす。多くの病状は特定の酵素に不適当に低いかまたは高い活性と関連する。
作用薬およびコアクチベーターは受容体に結合し、その活性化のレベルを増す（信号変換；酵素活性等）。しかし、作用薬はコアクチベーターが存在しないときでも曝されているリガンド結合部位に結合する。コアクチベーターは作用薬が結合した後のみ受容体を結合し、受容体はコアクチベーターの結合部位を開放するコンフォメーションに変化を起こす。作用薬結合は、コアクチベーターが受容体を活性化する必要があるが、コアクチベーター独立である。コアクチベーターは任意または必須である。コインヒビターは拮抗的にコアクチベーター結合部位へのコアクチベーターの結合を阻害する。
本発明は受容体の作用薬、拮抗薬、およびコアクチベーターおよびコインヒビターを同定するために用いられる。作用薬を製薬学的拮抗薬に変換することまたはその逆は、比較的小さい構造変化に対し普通ではない。従って、参照タンパク質と相互作用することが知られている薬剤がすべて作用薬であるとしても、問題の薬剤は参照タンパク質および関連するタンパク質の作用薬および拮抗薬の両方の同定を先導するように働く。同様に、既知の拮抗薬は追加の拮抗薬だけでなく同様に作用薬に対し薬剤を先導するように働く。
組合せライブラリーの細胞基礎のスクリーニングアッセイ
配位していない受容体に結合するペプチドのための組合せペプチドライブラリーの細胞基礎スクリーニングにおいて、各細胞はライブラリーの受容体および１のペプチドを共発現し、結合および非結合ペプチドを識別するための信号生成システムを提供する。
【００２９】
受容体が表面受容体であるならば、ペプチドは分泌される必要があり、信号生成システムは受容体に分泌したペプチドを結合することによって刺激されなければならない。受容体が細胞内であるならば、ペプチドおよび受容体は互いに遭遇するように共発現しなければならない。核受容体は特に興味あるものである。
特定の配位した受容体コンフォメーションにペプチドを結合するための細胞基礎アッセイを行うために、リガンドは受容体にアクセスしなければならない。そのようなアクセスは、受容体にアクセスできるようにリガンド（またはリガンドを生じるため細胞が加工処理したリガンドの前駆体）で細胞をインキュベーションすることによって、または受容体を生じるように細胞を工作することによって提供される。後者の場合、ペプチドの場合、リガンドは直接生成される。リガンドがペプチドでない場合、細胞は細胞内出発物質からリガンドを酵素により生成するように工作することができ、好ましくは、リガンドは外因により提供される。
同じ選択は（インヴィトロ対細胞基礎アッセイにおいて）参照およびテスト化合物をスクリーニングするためにも存在する。従って、ライブラリーでは、１のコンフォメーション（例えば配位していない）で受容体を結合するペプチドを同定するために細胞基礎アッセイを使用でき、続いてインヴィトロアッセイによって受容体コンフォメーションを配位するためにこの結合の感度を決定することができる。またはその逆も同じである。またはＢｉｏＫｅｙｓはインヴィトロアッセイにより同定され、参照およびテスト化合物は細胞基礎アッセイにより同定される。またはその逆も同じである。
【００３０】
さらに、他のしかも関連した観点において、本発明は外因的に加えられたリガンドの存在で（例えばエストラジオールの存在でエストロゲン受容体）受容体に結合するため組合せペプチドライブラリーをスクリーニングするための細胞基礎アッセイ（特に「２ハイブリッド」アッセイ）に関する。好適例では、これらの観点は、即ち、各細胞が受容体とペプチドライブラリーの一員をを共発現し、１またはそれ以上のリガンド（作用薬及び／又は拮抗薬）を外因的に提供する。
他の観点では、本発明は核受容体に結合するため組合せペプチドライブラリー、特にエストロゲン、アンドロゲン、およびグルココルチコイド受容体をスクリーニングするため細胞基礎アッセイ（特に「２ハイブリッド」アッセイ）に関する。
共発現するか又はしないペプチドが受容体を結合することが見出される場合、任意の治療または診断の目的に用いられ、そのために受容体結合分子が適当であり、このような使用は本発明の予想の範囲内である。しかし、Ｂｉｏｋｅｙとして使用できるペプチドに対し、コンフォメーション特異的、すなわち、そのコンフォメーションによる受容体に対しその親和力が実質的に異なる必要があり、例えば、リガンドＢではなくリガンドＡの存在で、またはリガンドの不在ではなくリガンドの存在で受容体を結合する。
またこのシステムを受容体ではない標的タンパク質に結合するためスクリーニングするために用いることができる。その利点は標的が純粋なタンパク質として作成される、または結合相手を同定するために大いにオーバー発現される必要がないことである。発現プラスミドからの低レベルの発現は特異的信号を生成するのに十分である。
インヴィトロ対インヴィヴォアッセイ；細胞基礎対有機体アッセイ
「インヴィヴォ」の語は結合または酵素作用のような、生きている有機体内に生じる事象の記述である。問題の有機体は、しかし、一般に変更される。「インヴィトロ」の語は生きている有機体の外で生じる事象である。人工的基質および／または状態）とともに、有機体（例えば、膜、または単離した生化学の）部分が用いられる。本発明の目的には、インヴィトロの語は、単細胞または多細胞有機体かいずれでも、内側または完全な細胞に生じる事象を除く。
【００３１】
インヴィヴォアッセイでは細胞基礎アッセイ、および有機体アッセイの両方を含む。細胞基礎アッセイの語は単細胞有機体のアッセイ、および単離細胞または多細胞から誘導した細胞培養物のアッセイを含む。細胞培養は、組織または器官に有機的構造を与えないとすれば、混合することができる。有機体アッセイの語は全多細胞有機体のアッセイであり、そのような有機体の単離した器官または組織のアッセイである。
「生物学のアッセイ」はインヴィヴォアッセイ、および膜のような細胞の亜細胞多分子成分のインヴィトロアッセイの両方を含む。
細胞基礎アッセイ
好ましい細胞基礎アッセイにおいて、受容体は機能的に、細胞に対し内発的または外発的な信号（生物学のマーカー）生成システムに連結される。
【００３２】
「ゼロハイブリッド」システム
これらのシステムでは、内発的タンパク質に標的受容体（またはそのリガンド結合部分）を融合させることに頼ることなく、標的タンパク質へのペプチドの結合はスクリーン可能なまたは選択的な表現型変化となる。標的タンパク質がホスト細胞に内発的であり、または実質的に内発的受容体と同一であることができ、後者の生来の信号変換路の利点を取ることができる。または標的タンパク質と通常結合した信号変換路の十分なメンバーは細胞に工作され細胞信号を標的タンパク質に結合するようにする。
【００３３】
「１−ハイブリッド」システム
これらシステムでは、キメラ受容体、標的受容体のハイブリッドおよび内発的受容体が用いられる。キメラ受容体は標的タンパク質のリガンド結合特性および内発的受容体の信号変換特性を持つ。したがって、内発的受容体の通常の信号変換路をなくす。
好ましくは、内発的受容体を不活性化するか、またはアッセイ状態が内発的受容体の活性化を避け、信号対ノイズ比を改善する。
酵母システムのためのＦｏｗｌｋｅｓ ＵＳＰ ５，７８９，１８４を参照。
別のタイプの「１−ハイブリッド」システムは活性化ドメインをもつ融合していない標的受容体とペプチド：ＤＮＡ結合ドメイン融合を一緒にする。
【００３４】
２−ハイブリッドシステム
好適例では、細胞基礎アッセイは２ハイブリッドシステムである。この語はリガンドが第一のハイブリッドタンパク質に組み込まれ、受容体が第二のハイブリッドタンパク質（キメラ受容体）に組み込まれることを意味する。第一のハイブリッドはまた信号発生システムの成分Ａからなり、第二のハイブリッドはそのシステムの成分Ｂからなる。成分ＡおよびＢは、それ自体によって、信号を発生するには不十分である。しかし、リガンドが受容体を結合する場合、成分ＡおよびＢは充分に近接し、信号を発生するように協同する。
成分ＡおよびＢは天然産であり、または単一の天然産生体分子として、実質的に天然産のものと同一であり、または天然産であり、または自然界で相互に作用する異なる天然産生体分子として、実質的に天然産のものと同一である。
【００３５】
２−ハイブリッドシステム：転写ファクタータイプ
好適な「２−ハイブリッド」例では、ペプチドリガンド：受容体結合ペアの１員は転写ファクターからＤＮＡ結合ドメイン（ＤＢＤ）までの融合として発現され（この融合タンパク質は「餌」と呼ばれる）、他のものは形質導入ドメイン（ＴＡＤ）への融合として発現される（この融合タンパク質は「魚」、「えじき」または「キャッチ」と呼ばれる）。トランスアクチベーションドメインはＤＮＡ−結合ドメインに相補的でなければならない、すなわち、後者と相互作用し、ＤＮＡ結合ドメインに結合部位を運ぶ特別に設計されたレポーター遺伝子の転写を活性化させなければならない。当然、２つの融合タンパク質は同様に相補的でなければならない。
この相補性は単一の転写アクチベータータンパク質の相補的で分離可能なＤＮＡ−結合および転写アクチベータードメインを用いて達成され、または異なるタンパク質から誘導される相補的ドメインを用いることができる。ドメインは天然ドメイン、またはその変異体と同一であってもよい。アッセイメンバーは直接ＤＢＤまたはＴＡＤに融合し、または媒介リンカーを介して融合する。
標的ＤＮＡオペレーターは天然オペレータ配列、または変異体オペレーターであることができる。オペレーターでの突然変異はＤＢＤおよびＴＡＤの突然変異と結合することができる。適当な転写活性化システムの例はバクテリアリプレッサーＬｅｘＡからのＤＮＡ結合ドメイン（ＬｅｘＡ ＤＢＤに対するＰＥＧ２０２ベクターは配列寄託Ｕ８９９６０である）および、ＬｅｘＡオペレーターに実施可能に結合したレポーター遺伝子をもつ（アクセス Ｊ０１６４３）、酵母転写ファクターＧａ１４からの活性化ドメインからなるものである。または酵母Ｇａ１４ ＤＮＡ ＢＤ およびＧａ１４オペレーター（Ｇａｌｌ Ａｃｃｅｓｓ Ｋ０２１１５、Ｇａ１２ Ａｃｃｅｓｓ Ｍ８１８７９、Ｇａ１７ Ａｃｃｅｓｓ Ｍ１２３４８）を用いることができる。
必ずしも完全な標的受容体を用いる必要はなくリガンド結合部分で十分である。
２つの融合タンパク質は同じかまたは異なるベクターから発現できる。同様に、活性化できるレポーター遺伝子はいずれかの融合タンパク質（または両方のタンパク質）と同じベクターから、または第三のベクターから発現できる。
ポテンシャルＤＮＡ結合ドメインはＧａ１４、ＬｅｘＡ、および前記と実質的に同じ突然変異ドメインを含む。
ポテンシャル活性化ドメインはＥ．ｃｏｌｉ Ｂ４２ （ＰＪＧ４−５ベクター Ａｃｃｅｓｓ ４８９９６１）、Ｇａ１４活性化ドメインＩＩ、およびＨＳＶ ＶＰ１６（Ａｃｃｅｓｓ Ｍ５７２８９）、および前記と実質的に同じ突然変異ドメインを含む。
Ｇａ１４、ＶＰ１６、またはその変異体に関連する特許はＪＰ６０７８７６Ａ２、ＵＳ６，０８７，１６６、およびＥＰ７４３５２０を含む。
【００３６】
ポテンシャルオペレーターは所望の活性化ドメインのための天然オペレーター、および天然オペレーターと実質的に同じ変異体オペレーターを含む。
融合タンパク質はＳＶ４０大Ｔ抗原ＮＬＳ（Ａｃｃｅｓｓ Ｐ０３０７０）のような核局在性信号からなる。
アッセイシステムは信号生成システムを含む。このシステムの第一のメンバーは選択のＤＢＤおよびＴＡＤに答えるオペレーターに実施可能に結合したレポーター遺伝子である。このレポーター遺伝子の発現は直接または間接に、選択できるまたはスクリーニングできる表現型（信号）に起因する。信号生成システムは、レポーター遺伝子のほかに、信号の生成に協同する追加の発生学的または生化学的メンバーを含むことができる。このようなメンバーは、例えば、細胞成長媒体中の選択剤である。１以上の信号生成システムでも良く、システムは１以上のレポーター遺伝子を含むことができる。
システムの感度は、例えば、強または弱のＤＢＤまたはＴＡＤ等を用い、オペレーターの数を増加または減少する、活性化または信号生成プロセスにおいて任意のステップの競合インヒビターを用いて調節される。
信号が問題の細胞の死または生存であるとき、または問題の細胞の増殖または非増殖であるとき、アッセイは選択であると言う。信号が単に検出できる表現型となり、それによって信号となる細胞が信号とならない状態において同じ細胞から分化できるとき（いずれかは生きている細胞である）、アッセイはスクリーンである。しかし、「スクリーニングアッセイ」の語は選択を含む広い意味で用いられる。狭い意味では、「非選択的スクリーン」の語を用いる。
種々のスクリーニングおよび選択システムはＬａｄｎｅｒ、ＵＳＰ５，１９８，３４６に議論されている。
【００３７】
スクリーニングおよび選択はペプチド：標的タンパク質または化合物：標的タンパク質相互作用のためまたはそれらに対してある。
好ましいアッセイ細胞は微生物（バクテリア、酵母、藻、原性動物）、無脊椎動物（特に哺乳類、ヒト）である。最も進化した２−ハイブリッドアッセイは酵母および哺乳類システムである。
通常、２つのハイブリッドアッセイを用いて、ＤＢＤおよびＴＡＤの相互作用を再構成する能力によって、タンパク質Ｘおよびタンパク質Ｙが相互に作用するかどうかを決定する。しかし、増加した２−ハイブリッドアッセイを用いて第三の非タンパク質リガンドに依存する相互作用を検出した。
２−ハイブリッドアッセイをさらに誘導するため、Ｂｒｅｎｔ ａｎｄ Ｆｉｎｌｅｙ， Ｊｒ．， Ａｎｎ． Ｒｅｖ． Ｇｅｎｅｔ．， ３１：６６３−７０４ （１９９７）； Ｆｒｅｍｏｎｔ−Ｒａｃｉｎｅら， Ｎａｔｕｒｅ Ｇｅｎｅｔｉｃｓ， ２７７−２８１ （１６ Ｊｕｌｙ １９９７）； Ａｌｌｅｎら， ＴＩＢＳ， ５１１−１６（Ｄｅｃ． １９９５）； ＬｅＣｒｅｎｉｅｒらＢｉｏＥｓｓａｙｓ， ２０：１−６（１９９８）； ＸｕらＰｒｏｃ． Ｎａｔ． Ａｃａｄ． Ｓｃｉ． （ＵＳＡ）， ９４：１２４７３−８ （Ｎｏｖ． １９９２）； Ｅｓｏｔａｋら， Ｍｏｌ． Ｃｅｌｌ． Ｂｉｏｌ．， １５：５８２０−９（１９９５）； Ｙａｎｇら， Ｎｕｃｌｅｉｃ Ａｃｉｄｓ Ｒｅｓ．， ２３：１１５２−６（１９９５）； Ｂｉｎｄｉｘｅｎら， Ｎｕｃｌｅｉｃ Ａｃｉｄｓ Ｒｅｓ．， ２２：１７７８−９ （１９９４）； Ｆｕｌｌｅｒら，ＢｉｏＴｅｃｈｎｉｑｕｅｓ，２５：８５−９２ （Ｊｕｌｙ １９９８）； Ｃｏｈｅｎら， ＰＮＡＳ （ＵＳＡ） ９５：１４２７２−７ （１９９８）； Ｋｏｌｏｎｉｎ ａｎｄ Ｆｉｎｌｅｙ， Ｊｒ．， ＰＮＡＳ （ＵＳＡ）， ９５：１４２６６−７１ （１９９８）参照。またＶａｓａｖａｄａら， ＰＮＡＳ （ＵＳＡ）， ８８：１０６８６−９０ （１９９１）（偶発的複製アッセイ）、およびＲｅｈｒａｕｅｒら，Ｊ． Ｂｉｏｌ． Ｃｈｅｍ．， ２７１：２３８６５−７３ ９１９９６） （ＬｅｘＡ リプレッサー開裂アッセイ）参照。
【００３８】
２−ハイブリッドシステム：レポーター酵素タイプ
別の例では、成分ＡおよびＢは転写ファクターではない酵素を再構成する。例えば、ＤＨＦＲでもよく、またはＷＯ９８／３４１２０で同定された他の酵素でもよい。
最後の例では、酵素の再構成の効果はスクリーンできる変化、選択できる変化、または両方でも良い表現型変化である。
モントリオール大学のＷＯ９８／３４１２０はインヴィヴォおよびインヴィトロでの生体分子相互作用を検出するためタンパク質−フラグメント相補アッセイの使用を記載している。それぞれハツカネズミＤＨＦＲのＮおよびＣフラグメントからなる融合ペプチドをＧＣＮ４ロイシンジッパー配列に融合し、内発的ＤＨＦＲ活性を阻害するバクテリア細胞において共発現した。ＤＨＦＲは２つのドメインを形成する３つの構造フラグメントからなる；不連続の１−４６および１０６−１８６フラグメントは１のドメインを形成し、４７−１０５フラグメントは他のドメインを形成する。ＷＯ９８／３４１２０は残基１０７でＤＨＦＲを切断した。ＧＣＮ４はホモ二量化タンパク質である。ＧＣＮ４のホモ二量化は２つのＤＨＦＲドメインの再会合を起こし従ってＤＨＦＲ活性の再構成をする。
ＷＯ９８／３４１２０は他の酵素レポーター分子のフラグメントがＤＨＦＲの代わりに用いられることを示唆している。
またＰｅｌｌｅｔｉｅｒら、Ｐｒｏｃ．Ｎａｔ．Ａｃａｄ．Ｓｃｉ．ＵＳＡ，９５：１２１４１−６（１９９８）を参照（同じシステム）；
Ｋａｒｉｍｏｖａら、Ｐｒｏｃ．Ｎａｔ．Ａｃａｄ．Ｓｃｉ．ＵＳＡ ９５：５７５２−６（１９９８）はバクテリア２−ハイブリッドシステムを開示し、２つのタンパク質の相互作用の結果として再構成されたＢｏｒｄｅｔｅｌｌａ百日咳アデニレイトシクラーゼの触媒ドメインがｃＡＭＰ合成へ導く。
【００３９】
同様のシステムでは、ホモ二量化からはっきり識別するようにヘテロ二量化を区別するように設計され、１のテストタンパク質は天然ＬｅｘＡに、他のテストタンパク質は変更されたＤＮＡ特異性をもつＬｅｘＡの変異体に融合した。通常、ＬｅｘＡは二量化しその標的オペレーターを結合する。変異体のために、そしてハイブリッドオペレーターの使用のために、ヘテロ二量体のみがＤＮＡ結合を達成できる。Ｄｍｉｔｒｏｖａら、Ｍｏｌ．Ｇｅｎ．Ｇｅｎｅｔ．，５７：２０５−２１２（１９９８）参照。
Ｓｔａｎｆｏｒｄ Ｕ．，ＷＯ９８／４４３５０はレポーターサブユニット相補性アッセイを記載し、これは融合タンパク質を用い、各々は１対の弱く補足している単なる不活性のベーターガラクトシダーゼ変異体の一つを妥協して処理し、互いに補足して活性なベーターガラクトシダーゼを生成する。Ｒｏｓｓｉら。Ｐｒｏｃ．Ｎａｔ．Ａｃａｄ．Ｓｃｉ．ＵＳＡ、９４：８４０５−１０（１９９７）；ＭｏｈｌｅｒおよびＢｌａｕ，Ｐｒｏｃ．Ｎａｔ．Ａｃａｄ．Ｓｃｉ．ＵＳＡ、９３：１２４２３−７（１９９６）も参照。
Ｃｏｒｎｅｌｌ Ｕ．、ＷＯ９８／３４９４８は受容体をカップルしたＧタンパク質を活性または不活性にする小さいペプチドの同定のための戦略を記載している。組合せペプチドライブラリーのペプチドは細胞中で関係あるＧＰＣＲに繋ぎ止められ、細胞をモニターしてペプチドが作用薬か拮抗薬かどうかを決定する。ペプチドはＧＰＣＲのＮ−末端を自己活性化受容体のＮ−末端と置き換え、中にある天然ペプチドリガンドをライブラリーペプチドと置き換えてＧＰＣＲに繋ぎ止める。自己活性化受容体の例はトロンビン受容体である。
Ｓａｄｅｅ、ＵＳＰ５，８８２，９４４はｍｌ受容体のテスト化合物の効果のための細胞基礎アッセイを開示しており、細胞はそれらを本質的に活性化するｍｌ作用薬でインキュベーションし、作用薬を除き、受容体のベースライン活性を決定し、細胞をテスト化合物にさらし、そして受容体活性をベースラインレベルと比較する。測定された活性はｃＡＭＰ、ＧＴＰａｓｅ、またはＧＴＰ交換に向けられる。
【００４０】
Ｍａｒｔｉｎら、Ｊ．Ｂｉｏｌ．Ｃｈｅｍ．，２７１：３６１−６（１９９６）は、ロドプシンを結合するペプチドに対しＧｓｕｂｔ（３４０−３５０）のアルファサブユニットのＣ末端に基づく組合せペプチド−オン−プラスミドライブラリーのスクリーニングを開示している。そのライブラリーでは、ライブラリーペプチドは、ペプチドを発現するベクターのｌａｃ０ ＤＮＡ配列に結合するタンパク質ｌａｃＩを結合するＤＮＡのＣ末端に融合する。ランダムＤＮＡでは、ベースミックスは所定のコドンを変異して異なるアミノ酸を生成するほぼ５０％のチャンスを生むように選択された。
Ｓｔａｂｌｅｓら、Ａｎａｌ．Ｂｉｏｃｈｅｍ．、２５２：１１５−１２６（１９９７）はＧＰＣＲ作用薬活性のための細胞基礎の生物発光アッセイを記載する。ＧＰＣＲはアポエクオリン、カルシウム−感受性光タンパク質で共発現される。あるＧ−アルファサブユニット、例えばＧ−アルファ１６を活性化する受容体に結合する作用薬は、細胞内カルシウム濃度および続く生物発光の増加させる。
スクリーニングのための細胞
細胞内スクリーニングアッセイは適当な標的受容体を機能的に発現する細胞で行われる。アッセイが２−ハイブリッドアッセイであるならば、標的はキメラ受容体であり、細胞はそれを発現するように発生学的に処理されたであろう。細胞はペプチドライブラリーの１（好ましくは１だけの）メンバーを発現するように発生学的に処理される。
【００４１】
好ましくは、細胞は真核生物細胞である。細胞は単一細胞器官、多細胞器官（コロニー器官を含む）、または（粘菌）からの中間体からであることができる。多細胞器官からならば、後者は無脊椎動物、下等脊椎動物（爬虫類、魚類、両生類）または高等脊椎動物（鳥類、哺乳類）である。生物体は生息地が水生（淡水または塩水）、または陸生、または両方である。さらに特に、細胞は非哺乳類の真核生物細胞である。
一例では、細胞は酵母細胞である。好ましくは、酵母細胞は次の類の１である。サッカロミセス、シゾサッカロミセス、カンジダ、ヘンセヌラ、ピチア、クルイベロミセス、クリプトコッカス、ヤロウイアおよびジゴサッカロミセス。
さらに特に、それらは次の種の１である。＊サッカロミセスセレビシエ（発芽、パン屋および時には醸造屋のもの）、サッカロミセスバヤヌス、サッカロミセスボウラルジイ、サッカロミセスカールスベルジェンシス、サッカロミセスシェバリエリ、サッカロミセスチョダチ、サッカロミセスヂアスタチクス、＊シゾサッカロミセスポンベ（分体）、＊カンジダアルビカンス、カンジダボイドニイ（ペルオキシソーム源）、カンジダトロピカリス、カンジダサケ、ハンセヌラポリモルファ（ペルオキシソーム源）、ピチアパストリス（ペルオキシソーム源）、、クルイベロミセスラクチス、＊クリプトコッカスネオフォルマンス、クリプトコッカスラウレンチイ、クリプトコッカスウニグッツラツス、クリプトコッカスフンガリクス、クリプトコッカスマグヌス、クリプトコッカスアルイヅス、クリプトコッカスアルター、クリプトコッカスクルバツス、クリプトコッカスジメンナエ、クリプトコッカスフミコルスおよびクリプトコッカスインフィルモミニアツス（食品工業にさらに関連）、ヤロウイアリポリチカ、ザイゴサッカロミセスロウキシイ。
関心のある他の非哺乳類細胞は植物細胞（例えば、アラビドプシス）、節足動物（昆虫を含む）細胞、環形動物または線虫類細胞（例えば、カエノルハブジチスエレガンス；プラナリア；レエチェス；ミミズ；多毛類環形動物）、甲殻類（例えば、ミジンコ属）、原生動物細胞（例えばジクチオステリウムジスコイデウム）、および下等脊椎動物（爬虫類、両生類、魚類）細胞である。魚類では、好ましい細胞はマス、サケ、コイ、テラピア、メダカ、金魚、ゼブラダニオ、ドジョウおよびナマズである。両生類では、好ましい細胞はツメガエル属およびアマガエル属である。
【００４２】
海の無脊椎動物の中、関心のある細胞はアプリシア（ウミナメクジ）；サンゴ、クラゲおよびイソギンチャク；甲殻類（例えば、ｄａｐｈｎｉｄｓ）；イカおよびタコ、およびカブトガニからのものを含む。
Ｆｌｅｅｒ，Ｒ．（１９９２） Ｃｕｒｒ．Ｏｐｉｎ．Ｉｎ Ｂｉｏｔｅｃｈ．３（５）：４８６−４９６は非哺乳類の真核生物細胞、例えば昆虫細胞、Ｓｐ．フルギペルダ、および酵母（ｓ．セレビシエ、Ｓ．ポンベ、Ｐ．パストリス、Ｋ．ラクチス、およびポリモルファ）をトランスアクチベーション研究に用いることを概説している。
細胞培養が難しいため哺乳類細胞は好ましくないが、それらも用いられる。好ましくは、第一にペプチドライブラリーをスクリーニングするよりも、活性としてすでに予備的に同定されたペプチドの確認分析に用いられる。
組合せライブラリー
「ライブラリー」の語は一般に起源、構造、および／または機能に関し、関心事の特性を同時にスクリーニングする化学および生物学の存在物のコレクションを指す。
「組合せライブラリー」の語は各メンバーが基本メンバーの限られた組の組織的またはランダムな組合せにあるライブラリーを指し、各メンバーの性質はそれに組み込まれたメンバーの選択と位置に依存している。一般に、ライブラリーのメンバーは少なくとも同時にスクリーニングできる。ランダム化は全部または部分的である；いくつかの位置はランダム化され他は予め定められ、ランダムな位置では、選択は予め定められた方法に限られる。組合せライブラリーのメンバーはある種のオリゴマーまたはポリマーであり、その変化はオリゴマーまたはポリマーの１またはそれ以上の位置でモノマー構築ブロックの選択によって、あるいは連結結合の語で、またはオリゴマーまたはポリマーの長さによって生じる。またはメンバーは、１，４−ベンゾジアゼピン構造のような、コア構造の特定の可変部位で置換基の選択によって変化が生じる、標準のコア構造をもつ非オリゴマー分子であることができる。またはメンバーはジグソウパズルのように集められる非オリゴマー分子であるが、各ピースは１またはそれ以上の可変部位（ライブラリー多様性に貢献する）および１またはそれ以上の不変部位（問題のピースを他のピースとカップルするための機能性を与える）の両方をもつ。
【００４３】
標的分子を認識するためのそのようなライブラリーの１またはそれ以上のメンバーは「組合せ認識」と呼ばれる。「簡単な組合せライブラリー」では、メンバー全部が同じクラスの化合物（例えばペプチド）に属し同時に合成することができる。「統合組合せライブラリー」は２またはそれ以上の簡単なライブラリー、例えば、ＤＮＡｓおよびペプチド、またはベンゾヂアゾピンおよびカルバメートの混合である。統合ライブラリーでの簡単ライブラリーの成分の数は、勿論、通常は各簡単ライブラリーのメンバーの平均数よりも小さいが、さもなければ各合成よりもライブラリーの利点は小さい。
好ましくは、組合せライブラリーは少なくとも１００、さらに好ましくは少なくとも１０００、さらには１００，０００、最も好ましくは少なくとも１，０００，０００の異なる分子の変化をもつ。
通常、組合せライブラリーの変化は１０１６よりも小さく、さらに通常は１０１３よりも多くなく、なお通常は１０１０よりも多くなく、最も通常は１０４ないし１０９の範囲である。
オリゴマー組合せライブラリーの場合、各可変オリゴマー位置で、モノマーの選択数はペプチドライブラリーに対し通常２−１００、さらにしばしば２−５０、最も頻繁に２−２０であり、核酸ライブラリーに対し２−４である。選択の数と性質は位置から位置へと変化する。可変部位の数は好ましくは１−３０、さらに好ましくは２−２０、最も好ましくは４−１５である。
【００４４】
全体の変化は全可変位置にわたりその位置での選択数のプロダクトである。選択数が各位置に対し同じである場合、それは可変位置の数のパワーまで上昇した選択数である。
組合せライブラリーが発現される場合、それは下記のペプチドライブラリーである。
ペプチドライブラリー
ペプチドライブラリーは組合せライブラリーであり、少なくともそのメンバーの若干はペプチドボンドを介して連結した３またはそれ以上のアミノ酸をもつペプチドである。好ましくは、少なくとも５、６、７または８個のアミノ酸の長さである。好ましくは、それらは５０以下、更に好ましくは２０以下のアミノ酸からなる。
ペプチドは直線、分枝、または環状であり、非ペプチジル部分を含むこともできる。アミノ酸は天然産アミノ酸に制限されない。好ましくは、各アミノ酸は１０００ダルトンよりは大きくない。
バイアスペプチドライブラリーは１またはそれ以上の（しかし全部ではない）ペプチドが一定の残基であるものの一つである。各メンバーはペプチドリガンド（ＰＬ）と称される。１例では、内的残基は一定であり、その結果ペプチド配列は   （Ｘａａ）ｍ−ＡＡ１−（Ｘａａ）ｎ と記載される。
【００４５】
Ｘａａが任意の天然産アミノ酸、またはシステインを除く任意のアミノ酸である場合、ｍおよびｎは独立して２ないし２０の範囲から選択され、Ｘａａ  は同じか異なり、ＡＡ１はライブラリーの全ペプチドに対し同じ天然産アミノ酸であるが任意のアミノ酸である。好ましくは、ｍおよびｎは４ないし９の範囲から独立して選択される。
好ましくは、ＡＡ１はペプチドの中心またはその付近に位置する。さらに特に、ｍおよびｎは２以上は違わず；さらに好ましくはｍおよびｎは等しいことが好ましい。選択されたＡＡ１は標的タンパク質（ＴＰ）結合活性を要する（または少なくとも許す）としても、適当に配置することを保証するため特定の側残基を要する。ＡＡ１が多少中心に位置する場合、ライブラリーは側残基に対し多くの代わりの選択を示す。ＡＡ１が末端にある場合、この融通性は減る。
最適なライブラリーはＡＡ１がトリプトファン、プロリンまたはチロシンであるものである。２番目の好ましいものはＡＡ１がフェニルアラニン、ヒスチジン、アルギニン、アスパルテート、ロイシンまたはイソロイシンである。３番目に最適なものはＡＡ１がアスパラギン、セリン、アラニンまたはメチオニンである。最も小さく好ましい選択はシステインおよびグリシンである。これらの選択は多くの異なるＴＰｓに結合するためランダムにペプチドライブラリーをスクリーニングした結果の評価に基づく。
官能ドメインに結合するリガンドは一定でユニークな特徴をもつ傾向がある。従って、「バイアス」ペプチドライブラリーを用いることにより、発見リガンドの負担を軽くすることができる。「バイアス」または「非バイアス」ライブラリーはスクリーニングして反応性記述子、および、任意に、ペプチドａｐｔａｍｅｒ記述子および追加の薬剤リードを生じる際に使用するため「ＢｉｏＫｅｙ」ペプチドを同定することができる。
標的受容体
標的受容体は天然産物質、またはサブユニットまたはそのドメインであり、ビールス、微生物（バクテリア、菌、藻、および原生動物を含む）、無脊椎動物（昆虫およびぜん虫を含む）または脊椎動物（特に哺乳類、鳥または魚および、哺乳類の中、特にヒト、サル、モンキー、ウシ、ブタ、ヤギ、ラマ、ヒツジ、ラット、ネズミ、ウサギ、モルモット、ネコおよびイヌ）の正常または癌の細胞を含む任意の天然源からのものである。（通常それはタンパク質である；核酸でもよい。タンパク質の参考文献は、必要な変更を加えて、核酸、脂質、炭水化物および受容体として作用する他の高分子に応用される。）あるいは、受容体タンパク質は天然受容体の変更された形でもよい。変更は標的受容体の標識付けまたは固定化を容易にするため、またはその生物学的活性を変えるために行われる（変異体受容体のインヒビターは変異体受容体の望まない活性を選択的に阻害し実質的に損なわれていない他の活性を残すために有用である）。タンパク質の場合、変更は突然変異（遺伝子学的にコード化したアミノ酸の置換、挿入または欠失）および誘導（グリコシル化、ホスホリル化、および脂質化を含む）を含む。標的は２個の受容体、例えば、哺乳類および酵母受容体、または異なる機能の２個の受容体のキメラであり、１の受容体のリガンド結合機能と他の信号変換機能とを合わせる。
【００４６】
標的受容体は、とりわけ、グリコ−、リポ−、ホスホ−、または金属原子を含むタンパク質である。それは核、細胞質、膜、または分泌タンパク質である。それは、不必要ではあるが、酵母である。
標的受容体は、タンパク質である代わりに、高分子核酸、脂質または炭水化物でもよい。核酸の場合、リボ−またはデオキシリボ核酸であり、および１本鎖または２本鎖である。不必要ではあるが、酵素活性をもつ。
標的受容体は単一の高分子である必要はなく、１またはそれ以上の追加分子、特に高分子との高分子の複合体である。例にはリボソーム（ＲＮＡ：タンパク質複合体）、ポリソーム（ｍＲＮＡ：リボソーム複合体）、およびクロマチン（ＤＮＡ：タンパク質複合体）を含む。結合分子（またはディスプレイシステム）としてポリソームを使用するには、Ｋａｗａｓａｋｉ， ＵＳＰ ５，６４３，７６８ ａｎｄ ５，６５８，７５４； Ｇｅｒｓｕｋら， Ｂｉｏｃｈｅｍ．Ｂｉｏｐｈｙｓ．Ｒｅｓ． Ｃｏｍｍ． ２３２：５７８ （１９９７）；Ｍａｔｔｈｅａｋｉｓら， Ｐｒｏｃ． Ｎａｔ． Ａｃａｄ． Ｓｃｉ． ＵＳＡ， ９１：９０２２−６（１９９４）を参照。
標的受容体の既知の結合パートナー（たとえあるとしても）は、特に、タンパク質、オリゴ−またはポリペプチド、核酸、炭水化物、脂質、または小有機または無機分子またはイオンである。
リガンド結合相互作用に関係する受容体の官能基は共に受容体のリガンド結合部位、またはパラトープを形成する。同様に、これら相互作用に関係するリガンドの官能基は共にリガンドのエピトープを形成する。
【００４７】
タンパク質の場合、結合部位は一般的に比較的小さい表面パッチである。タンパク質の結合特性はしばしばこれら部位での局所変更によって変えられ、タンパク質の変性がない。
化学反応が受容体の官能基とリガンドの官能基との間に起きることは可能であるが、共有結合となり、受容体タンパク質−リガンド結合は通常いくつかの非共有相互作用の統合効果の結果として生じる。静電気相互作用は塩ブリッジ、水素結合、およびファンデルヴァールス力を含む。
疎水性相互作用と呼ばれるものは実際に、非極性基それ自身の間の有利な相互作用よりはむしろ、非極性基と水との間の水素結合がない。疎水性相互作用は、疎水性残基が通常隠されて結合部位の役を演じないが、受容体タンパク質のコンフォメーションを安定化する際に重要であり従って間接にリガンド結合に影響する。
受容体は１以上のパラトープをもちそれらは同じか異なる。異なるパラトープは異なる結合パートナーのエピトープと相互作用する。各パラトープは特定の結合パートナーに特異的であり、またはいくつかの異なる結合パートナーと相互作用する。受容体はいくつかの異なる結合部位によって特定の結合パートナーを結合できる。結合部位は連続または非連続である（例えば、受容体タンパク質の基本配列に対して）。
多くの異なる受容体のための作用薬、拮抗薬、ラジオリガンドおよびエフェクターのリストはＫｉｎｇ， Ｍｅｄｉｃａｌ Ｃｈｅｍｉｓｔｒｙ： Ｐｒｉｎｃｉｐｌｅｓ ａｎｄ Ｐｒａｃｔｉｃｅ， ｐｐ． ２９０−２９４（Ｒｏｙａｌ Ｓｏｃ’ｙ Ｃｈｅｍ． １９９４）のＡｐｐｅｎｄｉｘ Ｉにある。Ａｐｐｅｎｄｉｘ ＩＩは種々のイオンチャンネルのためのブロッカーをまとめている（これは受容体の別の特別なタイプである）。若干の受容体、およびそれらの作用薬および／または拮抗薬はＴａｂｌｅＡにまとめてある。
【００４８】
任意の核受容体、例えばプロゲスチン、アンドロゲン、グルココーチコイド、甲状腺ホルモン、レチノイド、ビタミンＤ３および電解質コルチコイドはこのフィンガープリントシステムに用いられる。ペプチドライブラリーの親和力選択を用いて上記のような作用薬の存在または不在で結合するペプチド配列を同定することができる。次いでペプチドを上記の方法で用いて受容体の活性のモジュレーターを分類し特徴づけることができる。上記のように、プレマリンの成分はプロゲステロン受容体と相互作用するらしい。プロゲステロン受容体を識別するシステムを開発してプレマリンの活性成分をテストすることができる。
非タンパク質受容体の例として、我々はＤＮＡを引用した。ＤＮＡは例えば転写ファクターまたは小分子によって結合するときコンフォメーションの変化を受けられる。例えば、抗腫瘍剤シスプラチンはＤＮＡに結合し、その構造を変える。変えられた構造はＨＭＧボックスを含む（高移動度基）細胞性タンパク質を引き付ける。タンパク質はＤＮＡのシスプラチン損傷の修復を立体的にブロックし、あるタイプの癌の治療でシスプラチンの効力に貢献すると信じられている。ＢｉｏＫｅｙは一定のコンフォメーションでＤＮＡに特異的に結合することが同定される。これらＢｉｏＫｅｙを用いて小分子またはタンパク質の結合の際にＤＮＡに起こるコンフォメーション変化を同定する。
【００４９】
核受容体
核受容体は転写アクチベーターを活性化したリガンド族である、ＥｖａｎｓおよびＨｏｌｌｅｎｂｅｒｇ， Ｃｅｌｌ， ５２：１−３（１９８８）参照、ファクターはステロイドおよび甲状腺ホルモン、レチノイド、およびビタミンＤのための受容体を含む。ステロイド受容体族はグルココルチコイド、電解質コルチコイド、アンドロゲン、プロゲスチン、およびエストロゲンのための受容体からなる。これら受容体はリガンド結合、二量化、トランス活性化、およびＤＮＡ結合のための独特のドメインに組織化される。受容体活性化はリガンド結合時に生じ、受容体二量化および共活性化タンパク質の結合を行うコンフォメーション変化を引き起こす。これらコアクチベーターはまた、受容体のＤＮＡへの結合および続く標的遺伝子の転写活性化を容易にする。共活性化タンパク質の補充の他に、リガンドの結合はまた、受容体機能のコリプレッサーとして働くタンパク質の結合を置換または妨げるコンフォメーションに受容体を置くと信じられている。Ｌａｖｉｎｓｋｙら、Ｐｒｏｃ． Ｎａｔ． Ａｃａｄ． Ｓｃｉ． （ＵＳＡ）， ９５：２９２０（１９９８）。
エストロゲン受容体は核受容体のステロイド族のメンバーである。ヒトＥＲαは６個の官能ドメインまたは領域（Ａ−Ｆ）からなる５９５アミノ酸タンパク質である。Ａ／Ｂ領域は転写機能ＡＦ−１を含み、Ｅドメインは転写機能ＡＦ−２を含む。これら官能基は細胞およびプロモーター関連特異的方法で転写を活性化する。ＡＦ−１は本質的に活性であり、一方ＡＦ−２は受容体に結合するホルモンによって誘発される。Ｃ領域はＤＮＡ結合ドメインおよび二量化ドメインを含む。ＤＮＡ結合ドメインは調節された遺伝子と結合したエストロゲン（受容体）応答メンバー（ＥＲＥ）を結合する。ＤＢＤは２個の亜鉛指を含む。Ｃ領域はまた核局在性に応答することができる。Ｅ領域はホルモン（リガンド）結合ドメインを含む。
古典的ＥＲＥは２回のヘキサヌクレオチド繰り返しからなり、リガンド結合ＥＲはホモダイマーとしてＥＲＥに結合する。ＥＲはまたリガンドを要するＡＰＩエンハンサーメンバーおよび転写活性化のための転写ファクターＦｏｓおよびＪｕｎからの遺伝子転写を媒介する。タモキシフェンは古典的ＥＲＥによって調節された遺伝子の転写を阻害するが、ＡＰＩメンバーのコントロール下に遺伝子の転写を活性化する。Ｐａｅｃｈら、Ｓｃｉｅｎｃｅ， ２７７：１５０８−１１ （１９９７）参照。
【００５０】
ホルモンの不在で、エストロゲン受容体は阻害性ヒートショックタンパク質複合体と結合する標的細胞の核に残る。（Ｓｍｉｔｈら、（１９９３）Ｍｏｌ．Ｅｎｄｏｃｒｉｎｏｌ．，７：４−１１）リガンドを結合する際に、受容体は活性化する。このプロセスは安定な受容体二量体を形成し、続く標的遺伝子の調節領域内に位置する特異的ＤＮＡ応答メンバーと相互作用する。（ＭｃＤｏｎｎｅｌｌら、（１９９１），Ｍｏｌ． Ｃｅｌｌ Ｂｉｏｌ．， １１：４３５０−４３５５．）受容体を結合したＤＮＡは次いで標的遺伝子転写を正または負に調節する。ＥＲがＲＮＡポリメラーゼ活性を調節する正確なメカニズムは決定されるように残るが、最近作用薬結合ＥＲは転写アダプターを補充でき、タンパク質は受容体がその調節情報を細胞性転写装置に伝達するようにすることが示された。（Ｏｎａｔｅら、（１９９５）， Ｓｃｉｅｎｃｅ， ２７０：１３５４−１３５７； Ｎｏｒｒｉｓら、（１９９８）； ｊ． Ｂｉｏｌ． Ｃｈｅｍ．， ２７３：６６７９−６６８８； Ｓｍｉｔｈら（１９９７）， Ｍｏｌ． Ｅｎｄｏｃｒｉｎｏｌ．， １１：６５７−６６６）。逆に、拮抗薬によって占められるとき、受容体を結合したＤＮＡは共抑制体を活発に補充し、タンパク質は作用薬と拮抗薬との間を細胞に識別させる。（Ｎｏｒｒｉｓら（１９９８）； Ｓｍｉｔｈら（１９９７）； Ｌａｖｉｎｓｋｙら、（１９９８） Ｐｒｏｃ． Ｎａｔｌ． Ａｃａｄ． Ｓｃｉ． ＵＳＡ， ９５：２９２０−２９２５）。この複雑さの構築は最近の第二のエストロゲン受容体、ＥＲβの発見にあり、その作用機構はＥＲαと似ているがそれと別個である。（Ｇｒｅｅｎｅら、（１９８６）， Ｓｃｉｅｎｃｅ， ２３１：１１５０−１１５４； Ｋｕｉｐｅｒら、（１９９６）， Ｐｒｏｃ． Ｎａｔｌ． Ａｃａｄ． Ｓｃｉ． ＵＳＡ， ９３：５９２５−５９３０； Ｍｏｓｓｅｌｍａｎら、（１９９６）， ＦＥＢＳ Ｌｅｔｔ．， ３９２：４９−５３）。
従って、この受容体の２個の形、αおよびβが現在知られており、他の形もあるかもしれない。 両方の受容体はステロイドホルモンの重要グループであるエストロゲンに応答して転写を活性化し、再生システムの成長、識別、および機能化に影響するだけでなく、骨、脳および心臓血管に影響を与える。エストロゲンは広範囲の影響をこの異なった組の標的組織に生じることができる。これらの異なる効果は、一部分、受容体のアミノ末端およびカルボキシ末端領域に存在する２つの異なるトランス活性化ドメインの組織特異的活性化によって、仲介されると信じられる。また２つの形の受容体（αおよびβ）は明確な組織で機能し、これによって異なるサブセットの遺伝子を仲介するらしい。（Ｐａｅｃｈら、Ｓｃｉｅｎｃｅ， ２７７：１５０８， １９９７； Ｋｕｉｐｅｒ ａｎｄ Ｇｕｓｔａｆｓｓｏｎ， ＦＥＢＳ Ｌｅｔｔ．， ４１０：８７， １９９７； Ｎｉｃｈｏｌｓら，ＥＭＢＯ Ｊ．， １７：７６５， １９９８； Ｍｏｎｔａｎｏら、Ｍｏｌ． Ｅｎｄｏ．， ９：８１４，１９９５）。
【００５１】
エストロゲン受容体を標的にする薬剤は種々の効果を異なる標的組織で示すことができる。例えば、タモキシフェンは胸組織でＥＲ拮抗薬である（Ｊｏｒｄａｎ， Ｖ．Ｃ．， （１９９２） Ｃａｎｃｅｒ， ７０：９７７−９８２）が、骨（Ｌｏｖｅら、（１９９２）， Ｎｅｗ Ｅｎｇｌ． Ｊ． Ｍｅｄ．， ３２６：８５２−８５６）および 子宮（Ｋｅｄａｒら、（１９９４）， Ｌａｎｃｅｔ， ３４３：１３１８−１３２１）組織でＥＲ作用薬である。ラロキシフェンはまた胸組織でＥＲ拮抗薬である；しかし、骨では作用薬であるが、子宮組織ではそうではない（Ｂｌａｃｋら、（１９９４），Ｊ． Ｃｌｉｎ． Ｉｎｖｅｓｔ．， ９３：６３−６９）。実際、エストロゲン受容体の薬理学を理解する際の最大のチャレンジのひとつはどのように異なるＥＲリガンドがそのような多様な生物学的効果をもたらすかを決定することである。
一般に、エストロゲンは刺激剤であり、標的組織の遺伝子発現および細胞増殖を増加することになる。しかし、多くの分子は受容体のエストラヂオール結合部位に結合するが、遺伝子発現および細胞成長の負の効果を生じることが記載されている。これら薬剤は歴史的には「アンチエストロゲン」と呼ばれたが、この語は簡単すぎることが立証された。（Ｔｒｅｍｂｌａｙら、Ｃａｎ． Ｒｅｓ．， ５８：８７７， １９８８； Ｋａｔｚｅｎｅｌｌｅｎｂｏｇｅら、Ｂｒｅａｓｔ Ｃａｎ． Ｒｅｓ． Ｔｒｅａｔｍ．， ４４：２３， １９９７； Ｈｏｗｅｌｌ， Ｏｎｃｏｌｏｇｙ （ｓｕｐｐｌ． １）， １１：５９， １９９７； Ｇａｌｌｏ ａｎｄ Ｋａｕｆｍａｎ， Ｓｅｍ． ｉｎ Ｏｎｃｏｌ． （Ｓｕｐｐｌ． １）， ２４：７１， １９９７）。これら薬剤のもっとも顕著な一つはタモキシフェンであり、これはＥＲ−ポジティブの胸癌の治療に用いることに成功している。タモキシフェンは、トリフェニルエチレンの誘導体で、細胞中で代謝され、４−ＯＨタモキシフェンを生成し、これはＥＲのエストラジオール結合ポケットに対し非常に高い親和力をもつ。この化合物はＥＲに結合するためエストラジオールと拮抗するが、胸組織では転写活性化を誘導せず、したがって細胞成長を促進せずこの組織で古典的アンチエストロゲンとして作用する。しかし、タモキシフェンは他の組織ではエストロゲン様活性をもつ。子宮組織では、タモキシフェンは受容体活性の作用薬として働き、子宮組織の成長を刺激し治療する患者の子宮内膜増殖の範囲を増加する。またタモキシフェンは骨および心臓血管系のエストロゲン効果を生む。この活性はオステオポロシスの危険を減らし、血清ＬＤＬレベルを下げる有益な効果を生む。タモキシフェンのような化合物によって生じる多くの異なる効果は「アンチエストロゲン」の語を「選択的エストロゲン受容体モジュレーター」またはＳＥＲＭｓと置き換えたことである。ＳＥＲＭｓは受容体の生物学およびそれが発現する組織によってＥＲ活性の正および負の効果をもたらす。
【００５２】
最近の研究のゴールは骨および心臓血管系に作用薬またはエストロゲン効果および胸および子宮に拮抗薬またはアンチエストロゲン効果をもたらすＳＥＲＭｓの開発にある。更年期障害の治療のために最近認められた１のＳＥＲＭはラロキシフェンである。ラロキシフェンは、タモキシフェンのように、ＥＲのリガンド結合ポケットに結合するベンゾチオフェン誘導体である。臨床研究はこの化合物が胸および子宮でエストロゲン活性を欠いているが、骨および多分心臓血管系のエストロゲン活性を生むことを示している。最近閉経後の婦人のオステオポロシスを回避するために処方されている。臨床試験ではいくつかの追加のＳＥＲＭｓがあり、製薬産業で多くの努力が追加のＳＥＲＭｓの同定と特性化に向けられている。ＳＥＲＭｓのための研究は主な障害物をもつ。ＳＥＲＭｓのための化合物の大きいライブラリーをスクリーニングするため、所望の効果を分子がもつかを同定するための手軽なアッセイをもつ必要がある。
最近、ＥＲに結合するためのエストラジオールと拮抗する化合物を同定するとき、多数の細胞基礎アッセイを行いその活性を決定しなけらばならない。これらの研究はインヴィトロアッセイよりも面倒であり、ＳＥＲＮの生物活性の完全なスペクトルは完全には予言されていない。したがって、ＳＥＲＭの働きの選択モードを決定できる前に、研究は動物モデルまたは臨床試験に移さなければならないことが多い。ＳＥＲＭの作用薬と拮抗薬との間の区別のためにインヴィトロシステムの簡単さは大いに有用である。
このようなシステムの開発はＳＥＲＭｓの広い効果を生むメカニズムの知識を必要とする。ＳＥＲＭｓがＥＲのコンフォメーションを変える能力による特異な（作用薬および拮抗薬の）効果を生じることができる証拠がある。一般に、受容体は活性または不活性の２つのコンフォメーションをもつと考えられている。これらのコンフォメーションはそれぞれ、リガンドの存在または不在で形成される。ＳＥＲＭは受容体を完全に活性かまたは完全に不活性ではないコンフォメーションに追いやる。この中間のコンフォメーションはコアクチベーター、コリプレッサー、受容体をもつその他の調節分子の連結パターンの変化を生み出し、このようにして変化する効果をもたらす。ＳＥＲＭｓによって生じた広範囲の効果はまたＥＲアルファおよびベータ、コアクチベーター、コリプレッサーの選択的組織発現による。また２個の受容体のためのＳＥＲＭの異なる親和力にもよる。
参照コンフォメーション
標的受容体が非リガンド状態にあるとき、それは特定のコンフォメーション、すなわち、特定の３−Ｄ構造をもつ。受容体がリガンドに複合されるとき、受容体のコンフォメーションは変わる。リガンドが薬理学作用薬であるとき、新しいコンフォメーションは生物学的信号変換路の他の成分、例えば転写ファクターと作用するものであり、標的組織での生物学的応答を引き出す。リガンドが薬理学拮抗薬であるとき、新しいコンフォメーションは受容体が、別な状態でその受容体を活性化できる１またはそれ以上の作用薬によって活性化できるものである。
【００５３】
結合配列で結合標的として用いられる標的受容体の各コンフォメーションは参照コンフォメーションとみなされる。
２つの異なるリガンドが同じコンフォメーションを同時に受容体にとらせるかも知れない。しかし、この発明の目的では、こららは異なるリガンドが含まれているので異なる参照コンフォメーションであると考えられる。
参照リガンド
参照リガンドは標的受容体のためのリガンドである物質である。好ましくは、標的器官の１またはそれ以上の標的組織での標的受容体タンパク質の薬理学作用薬または拮抗薬である。しかし、作用薬または拮抗薬でないとしても、例えば、配位していない受容体を結合した少なくとも若干のＢｉｏＫｅｙｓがリガンド受容体をなお結合しない、または良く結合するように、その受容体のコンフォメーションを変えるならば、参照リガンドは有用である。好ましくは、参照リガンドは異なる効果のＢｉｏＫｅｙｓをもち、その結果ＢｉｏＫｅｙｓは参照リガンドの存在で受容体と相互作用を基礎として識別できる。参照リガンドは１の受容体の作用薬および別の受容体の拮抗薬であってもよい。また１の組織の受容体の作用薬および別の組織、または別の器官の同じ受容体の拮抗薬でもよい。
【００５４】
参照リガンドは、不必要だが、受容体の天然リガンドでもよい。
参照リガンドは、必要だが、テスト物質および薬剤リードのため上に示した若干のまたはすべての特に必要なものを満足する。
１のスクリーニングからのテスト物質が薬剤リードになり、その化合物、またはその類似体が、最後に少なくとも１の器官の少なくとも１の組織で少なくとも１の受容体の生物活性を媒介するならば、他のテスト物質の次のスクリーニング、およびＢｉｏＫｅｙパネルを再評価する際に参照リガンドとして用いられる。
相対的親和力
この項では分子Ｂが実質的に標的Ｔ２よりも強く標的Ｔ１を結合するかまたは、代替の分子Ｂ２が標的Ｔを結合するよりも実質的にさらに強く分子Ｂ１が標的Ｔを結合することを示す場合、結合の差が検出でき、関連した状況で有用な程度まで、例えばスクリーニング、診断、精製、または治療を明らかにする。
概して、結合での１０倍の差は重要であると考えられるが、必ずしも要求されない。
拮抗薬の有効性
受容体の拮抗薬の有効性はＩＣ５０で表され、拮抗薬の濃度はインヴィトロまたはインヴィヴォアッセイシステムで受容体の結合または生物活性の５０％阻害を引き起こす。拮抗薬の製薬学的に有効な投与は拮抗薬のＩＣ５０、および受容体とその臨床的に意義のある結合パートナーの有効濃度の両方に依存する。
【００５５】
効力は次のようにまとめられる：
カテゴリー   ＩＣ５０
極めて弱い                ＞１μモル
弱い                      １００ｎモルないし１μモル
中位                      １０ｎモルないし１００ｎモル
強い                      １ｐモルないし１０ｎモル
極めて強い                ＜１ｐモル
好ましくは、本発明により同定された拮抗薬は上記で同定された４つのさらに高いカテゴリーの１つにあり、少なくともこの出願時に問題のタンパク質について知られた任意の拮抗薬よりもさらに効力がある。
同様に、作用薬の効力は受容体の最大の効果の５０％となる投与量として計量される。
標的有機体
本発明の目的は下記のように、標的有機体の１またはそれ以上の標的組織での生物活性を予言することである。
【００５６】
標的有機体は植物、動物、または微生物である。植物または動物は正常、キメラまたは形質転換物である。病原体（例えばビールス）または寄生体に感染しているかまたは感染していない。正常または異常環境状態にある。特定の発生段階、大きさ、性別等にある。
植物の場合、実用植物であり、その場合、薬剤は病気、天候またはペスト耐性を増加することを予定し、成長特性を変え、あるいは有用な特性に改善しまたはショクブツの望ましくない性質を弱める。あるいは雑草でもよく、その場合、薬剤は殺すことを予定し、あるいは植物の成長を阻害し、またはその性質を変えて雑草から実用植物に変える。植物は樹木、潅木、穀物、草等である。植物は藻類（場合によっては微生物）または維管束植物、特に裸子植物（特に針葉樹）および被子植物である。被子植物は単子葉植物または双子葉植物である。最大関心事の植物は米、小麦、コーン、アルファルファ、大豆、馬鈴薯、ピーナッツ、トマト、メロン、リンゴ、梨、プラム、パイナップル、モミ、トウヒ、マツ、ヒマラヤスギ、およびオークである。
標的有機体が微生物である場合、藻類、バクテリア、菌類、またはビールスである（ビールスの生物活性はビールス感染細胞で決定されなければならない）。微生物はヒトまたは他の動物または植物病原体または非病原体である。土壌または水有機体、または通常他の生物体の中に住むものである。
標的有機体が動物の場合、脊椎動物または無脊椎動物である。無脊椎動物は主に病原体または寄生体として働くとき関心事であり、薬剤は殺生物または生物静力学剤として働くことが意図される。関心のある無脊椎動物はぜん虫、軟体動物、および節足動物を含む。
【００５７】
標的有機体はまた脊椎動物、例えば哺乳類、鳥、爬虫類、魚または両生類である。哺乳類のうち、標的動物は好ましくは霊長類（ヒト、サルおよびモンキー）、偶蹄目（例えば、ウシ、ブタ、ヒツジ、ヤギ、ウマ）、げっ歯類（例えば、ネズミ、ラット）、ウサギ目（例えば、ウサギ、野ウサギ）、または食肉目（例えば、ネコ、イヌ）に属する。トリのうち、標的動物は好ましくはガンカモ目（例えば、アヒル、ガチョウ、スワン）またはＧａｌｌｉｆｏｒｍｅｓ（例えば、ウズラ、ライチョウ、キジ、七面鳥およびニワトリ）である。魚のうち、標的動物は好ましくはニシン（例えば、サーディン、ニシンダマシ、アンチョビ、サケ、サーモン）である。
標的組織
「標的組織」の語は、薬剤の生物活性が測定される標的動物の任意の全動物、生理学系、全器官、器官の一部、種々の組織、細胞、または細胞成分（例えば、細胞膜）を指す。
普通に哺乳類では主題の受容体タンパク質を発現する事実上任意および全部の組織の生物学的影響を比較し対比するために選択する。用いる主の組織は脳、心臓、肺、腎臓、肝臓、膵臓、皮膚、腸、副腎、胸部、前立腺、脈管構造、網膜、角膜、甲状腺、上皮小体、胸腺、骨髄等である。
【００５８】
別の分類は細胞タイプによる：Ｂ細胞、Ｔ細胞、マクロファージ、好中球、好酸球、マスト細胞、血小板、巨大核細胞、赤血球、骨髄孔細胞、繊維芽細胞、ニューロン、星状細胞、神経膠、小膠細胞、上皮細胞（任意の器官から、例えば、皮膚、胸、前立腺、肺、腸等）、心臓筋肉細胞、平滑筋細胞、横紋筋、骨芽細胞、骨細胞、軟骨芽細胞、軟骨細胞、ケラチン生成細胞、メラニン細胞等である。
「標的組織」はＴａｂｌｅＢに示した組を含む。勿論、単細胞器官の場合は、「標的有機体」と「標的組織」の間に区別はない。
変異体タンパク質とペプチド
本発明がタンパク質（またはそのドメイン）、または小ペプチドの突然変異を予期する多くの事例がある。突然変異を導入するタンパク質は「変異体タンパク質」と呼ばれ（これは従来技術の参考文献に開示されていることを意味しない）得られたタンパク質は「変異体タンパク質」と呼ばれる。参照タンパク質それ自体は天然産タンパク質の変異体である。「タンパク質」の語はオリゴペプチド、およびタンパク質のドメインに必要な変更を加えて適用する。
【００５９】
先ず、変異した実在物は最初のスクリーニングに含まれるものである。変異した配列は受容体（内発的とキメラの受容体の両方を含み）、受容体に対するリガンド（ハイブリッドタンパク質のリガンド様部分を含み）、または信号生成システムの成分に対応することができる。後者では、例えば、ＤＮＡ結合または転写ファクターのトランス活性化ドメイン、レポーター（またはそのフラグメント）、または信号生成システムの「下流」タンパク質成分である。
スクリーニングしたライブラリーの標的結合メンバーはまた変異する。次には、望ましい変異体が更に変異する。
ある場合には、本発明はまた核酸の突然変異、例えば転写ファクターのＤＮＡ結合ドメインに対する標的ＤＮＡオペレーターを予期する。
好適例では、変異体タンパク質は、下記に定義したように、所望の結合または生物活性をもつ参照タンパク質と「実質的に同一」である。
変異体タンパク質はまた、以下に議論するように、２以上の参照タンパク質（またはドメイン）の各々の少なくとも１のドメインのハイブリッド（キメラ）である。例えば、タンパク質Ａからのドメインのハイブリッド、およびタンパク質Ｂからのドメインである。これらドメインは元のドメインと同一か、またはその変異体である。
「実質的に同一」
変異体タンパク質（ドメイン、ペプチド）は（ａ）少なくとも１０％の特異的結合活性または参照タンパク質（ドメイン、ペプチド）の非栄養生物活性、および（ｂ）（１）が参照タンパク質（ドメイン、ペプチド）とアミノ酸配列が少なくとも５０％同一であり及び／又は（２）１またはそれ以上の保守的変更によって単に参照タンパク質（ドメイン、ペプチド）から異なるならば、参照タンパク質（ドメイン、ペプチド）と実質的に同一である。（１）を適用するならば、「実質的にパーセンテージの点で同一」と言える。（２）を適用するならば、「保守的に同一」と言える。両方を適用できる。
【００６０】
パーセンテージアミノ酸の同定は、類似性を最大にするように配列を包括的に並べる正確な動的プログラミングアルゴリズムに従い変異体と参照配列を並べて決定され、類似性はバイアスでないＰＡＭ２５０マトリックスによる各整列したペアに対しスコアの合計として数えられ、ペナルティはギャップの最初のゼロに対し−１２および同じギャップの各追加のゼロに対し−４の各内部ギャップに対する。パーセンテージ同定は参照配列の調節された（すなわち、挿入したゼロを数える）長さのパーセンテージとして表されたマッチ数である。
変異体ＤＮＡ配列は、構造配列であるならば参照配列と実質的に同一であり、符号化する変異体および参照タンパク質は実質的に上記と同一である。
調節配列である代わりに、変異体配列が少なくとも１０％の参照配列の調節活性をもつ場合に実質的に同一であるならば、ヌクレオチド配列で少なくとも５０％参照配列と同一である。パーセンテージ同定はタンパク質に対し、マッチするのが＋５、ミスマッチするのが−４であることを除き、ギャップオープンペナルティは−１２、そしてギャップイクステンションペナルティ（追加のゼロにつき）−４であることを除き決定される。
好ましくは、実質的に同一であるヌクレオチド配列は５０％の最小同一を超え、例えば５１％、６６％、７５％、８０％、８５％、９０％、９５％または９９％配列が同一である。
ＤＮＡ配列はまた互いに厳しい状態下、すなわち、変異体ＤＮＡの一本鎖のヘテロ二本鎖および参照ＤＮＡの相補鎖のＴｍが参照ＤＮＡホモ二本鎖のＴｍよりも少なく１０℃を超えない状態でハイブリダイズするならば、「実質的に同一」と考えられる。これは代表的には８５−９０％のパーセンテージ同一に相当する。
【００６１】
「保守的変更」
「保守的変更」は次のように定義される。
（ａ）以下に定義したアミノ酸の保守的置換；または
（ｂ）末端でのアミノ酸の単一または複数の挿入（伸長）または削除。
「半保守的変更」は保守的ではないが、（ａ）以下に定義するような半保守的置換；または（ｂ）内的に、しかしドメイン間境界では比較的高い移動度のループまたは他のセグメントにおいて、単一または複数の挿入または除去である、変更である。好ましくは、全ての保守的でない変更は半保守的である。
「保守的」の語はここではアプリオリな意味で用いられ、すなわち、変更は相同タンパク質の天然産族の分析、問題のアミノ酸の化学的類似性、および計画的な突然変異生成に基づいた３Ｄ構造および活性を保持することが期待され、事実上、変更は既に活性を保持することが知られている。勿論、アプリオリに保守的である変更は通常はまた、ポストファクトに保守的である。
好ましくは、末端を除き、約５個以下のアミノ酸が特定の位置で挿入または除去され、変更は活性に重要な結合部位を含むことが知られた外側領域である。
好ましくは、挿入または除去は末端に限る。さらに好ましくは、消えないのではなく、変更はまさに保守的置換である。
【００６２】
保守的置換は１のアミノ酸を同じ交換基の別のものに置換し、その置換基は次のように定義される。
Ｉ  Ｇｌｙ， Ｐｒｏ， Ｓｅｒ， Ａｌａ （Ｃｙｓ） （および任意の非生物起源の、上記ａ．ａ．のそれを超えない疎水性をもつ中性アミノ酸）
ＩＩ  Ａｒｇ， Ｌｙｓ， Ｈｉｓ （および任意の非生物起源の、正に荷電したアミノ酸）
ＩＩＩ Ａｓｐ， Ｇｌｕ，Ａｓｎ， Ｇｌｎ （および任意の非生物起源の負に荷電したアミノ酸）
ＩＶ Ｌｅｕ， Ｉｌｅ， Ｍｅｔ， Ｖａｌ （Ｃｙｓ） （および任意の非生物起源の、上記Ｉに対し高すぎる疎水性の脂肪族、中性アミノ酸）
Ｖ  Ｐｈｅ， Ｔｒｐ， Ｔｙｒ （および任意の非生物起源の、上記Ｉに対し高すぎる疎水性の芳香族中性アミノ酸）
ＣｙｓはＩおよびＩＶに属することに注意。
残基Ｐｒｏ， Ｇｌｙ およびＣｙｓは特別のコンフォメーションの役割をもつ。Ｃｙｓはジスルフィドボンドの形成に関係する。Ｇｌｙは鎖に可撓性をを与える。Ｐｒｏは鎖に剛性を与え、αらせんを粉砕する。これら残基はポリペプチドのある領域では必須であるが、どこかで置換できる。
【００６３】
１、２または３の保守的置換基はさらに大きい数よりも許容されるようだ。
「半保守的置換基」はここではスーパーグループＩ／ＩＩ／ＩＩＩ内でまたはスーパーグループＩＶ／Ｖ内での置換基であるが、単一の基１−Ｖ内ではないと定義される。またアラニンをもつ任意の他のアミノ酸の置換を含む。置換が保守的ではなならば、好ましくは半保守的である。
「非保守的置換」は保守的ではない置換である。サブセットのように半保守的置換を含む。
「高度に保守的置換」は保守的置換のサブセットであり、グループ Ｐｈｅ／Ｔｙｒ／Ｔｒｐ， Ｍｅｔ／Ｌｅｕ／Ｉｌｅ／Ｖａｌ， Ｈｉｓ／Ａｒｇ／Ｌｙｓ， Ａｓｐ／ＧｌｕおよびＳｅｒ／Ｔｈｒ／Ａｌａ内のアミノ酸の交換である。それらは他の保守的置換よりも耐性があるようだ。また、置換基の数が小さいほど、耐性があるようだ。
タンパク質（ペプチド）は参照タンパク質（ペプチド）とは保守的に同一であり、後者とは異なり、あったとしても、単に保守的変更によって、タンパク質（ペプチド）は参照タンパク質（ペプチド）が少なくとも７個のアミノ酸長ならば少なくとも７個のアミノ酸長を残す。
タンパク質は参照タンパク質（ペプチド）と異なるならば後者と少なくとも半保守的に同一であり、あったとしても、単に半保守的または保守的変更による。
【００６４】
タンパク質（ペプチド）は参照タンパク質（ペプチド）と異なるならば後者とほぼ保守的に同一であり、あったとしても１またはそれ以上の保守的変更および／または単一の非保守的置換による。
異なるならば大いに保守的に同一であり、あったとしても、単に保守的置換による。
参照タンパク質（ペプチド）のコア配列は最大の単一フラグメントであり、少なくとも１０％の特定の特異的結合活性、明記するならば、または指示対象の少なくとも１の特異的結合活性を保持する。指示対象が１以上の特異的結合活性をもつならば、１以上のコア配列をもち、これらは重なるか重ならない。
本発明のペプチドが参照タンパク質（ペプチド）に特定の類似関係（例えば、顕著に同一）をもつことができることを教示するならば、好ましいペプチドは参照タンパク質（ペプチド）のコア配列への関係をもつが、排除されたいずれかの配列で内部挿入または欠失をもつ配列からなるものである。さらに好ましいペプチドは全配列が、参照タンパク質（ペプチド）のコア配列に、同じ排除をもつ、関係をもつものである。
本発明のＢｉｏＫｅｙｓはリストした（参照）ペプチドだけでなく、顕著に同一である他のペプチドも含む。好ましくは、同一（類似）の度合は単に顕著に同一よりも高い。
この内訳が特定クラスのペプチドについて一致する配列を示す場合、前記一致する配列からなる任意のペプチドは本発明による好適なペプチドである。
【００６５】
「非天然生成」
「非天然生成」としてのペプチドまたはタンパク質の参照は、非遺伝子的に処理した細胞またはビールスでは、単一分子としては生じないことを意味する。それは遺伝子的に処理された細胞、または遺伝子的に処理されたビールス感染細胞において生物学的に生成され、さらに大きい天然産タンパク質のセグメントである。
ペプチドが好ましく天然産ではないことが開示されるならば、さらに好ましくは任意の天然産ペプチドと保守的に同一ではない。
官能突然変異体の設計、一般的に
タンパク質は次の突然変異に一層耐性らしい。
（ａ）挿入または欠失よりも置換；
（ｂ）内部よりは末端での挿入または欠失、または内部なら、ドメイン境界でアルファらせんまたはベータ鎖よりはループまたは回転；
（ｃ）内部残基よりは表面残基に影響；
（ｄ）結合部位への分子末端部分に影響；
（ｅ）類似のサイズ、荷電、および／または疎水性の他の者との１のアミノ酸の置換、およびジスルフィドボンドまたは他の架橋を破壊しない；および
（ｆ）関心のあるタンパク質が属する相同タンパク質の族の中の実質的変化への主題である部位。
これらの研究を用いて官能突然変異体を設計することができる。
表面対内部残基
荷電残基はほとんど常にタンパク質表面にある。非荷電残基は、確実性は少ないが、一般に、親水性残基が内部に対し表面および疎水性残基に分配される。勿論、膜タンパク質に対し、膜間セグメントは疎水性残基で豊富であるようだ。
表面残基は実験的に種々の標識付け技術により、またはＸ線回折およびＮＭＲのような３−Ｄ構造マッピング技術により同定することができる。相同タンパク質の３−Ｄモデルは有用である。
【００６６】
結合部位残基
結合部位を形成する残基は（１）タンパク質をその標的に複合化する前後に表面残基を標識付けする影響を比較する、（２）親和力リガンドで直接結合部位を標識付ける、（３）タンパク質を断片にして結合活性を試験する、そして（４）突然変異体が結合を破壊することを決定するため系統的に突然変異を誘発する（例えば、アラニン走査突然変異誘発）ことにより確認される。相同タンパク質の結合部位が既知ならば、結合部位は相似によって仮定することができる。
タンパク質ライブラリーは構築しスクリーニングして、関連する突然変異体の大きい族（例えば、１０８）を同時に評価することができる。
キメラタンパク質の設計
キメラタンパク質は２またはそれ以上の異なるタンパク質（または認識できるそのタンパク質）のハイブリッドである。成分タンパク質（実際にキメラタンパク質のドメインである）は独立した実在物として天然に生じ、または天然産タンパク質の突然変異体、またはそのフラグメントである。タンパク質は通常、例えば、上記のように整列するとき統計的に重要な（少なくとも６シグマ）配列に通常関係し、乱雑な配列の同じような整列と比較される。さらにしばしば上記のように「実質的に同一」である。
官能的キメラは組織的合成および試験戦略により同定される。必ずしも全ての理論的に考えられるキメラを直接評価する必要はない。
１の戦略は概略的に以下に述べる。整列したタンパク質配列を２またはそれ以上の試験できるユニットに分ける。これらのユニットは長さが等しいかまたは等しくない。好ましくは、ユニットは官能ドメインに相当するか、または特定の特徴の配列、例えば通常高い相違または類似の領域、関連したタンパク質族または配列モチーフの存在で保存されたまたは保存されていない領域、または異常な親水性または疎水性の領域に対応するように区別される。「Ａ」はタンパク質Ａのユニットを示し、「Ｂ」はタンパク質Ｂの対応するユニットである。５つのユニット（２，３，４，６，１０等の代わりに５を選択することは自由裁量である）があるならば、次のキメラのいくつかまたは全部を合成およびテストでき、臨床領域を迅速に局部に制限できる：
【００６７】
（ａ）Ａ配列に対しＢ配列の連続的Ｃ−末端置換、例えば
2004523726.tif 000002
（ｂ）Ａ配列に対するＢ配列の連続的Ｎ−末端置換
2004523726.tif 000003
（ｃ）二重の末端置換、例えば
2004523726.tif 000004
および
（ｄ）次のような単一置換「走査」
2004523726.tif 000005
および
2004523726.tif 000006
【００６８】
これらテストが提供するデーターに基づき、例えば、関心のある性質に対してＡとＢ配列の間の鍵となる相違が５番目のユニットであることは明らかである。次にユニットをサブユニットとテストに細分化できる、例えば
2004523726.tif 000007
ここで括弧は５番目のユニットが細分化された２個のサブユニットである。
「フィンガープリント」の一般方法
本質において、受容体のコンフォメーションを明確に異なる方法で変える「ＢｉｏＫｅｙｓ」（受容体コンフォメーション感受性受容体結合分子、代表的にペプチド）のパネルを用いて、関心のある化合物がその種々のＢｉｏＫｅｙ変更コンフォメーションでの受容体と相互作用する仕方の「フィンガープリント」を得て、フィンガープリントの各メンバーは所定のＢｉｏＫｅｙの存在で受容体と化合物の相互作用の強さを測定する。一旦、既知の生物活性をもつ無理のない数の参照化合物に対しフィンガープリントが得られると、好ましくは「金本位制」（全動物、または単離された器官または組織）アッセイによって測定されるように、参照化合物のフィンガープリントと新しい化合物のフィンガープリントの類似性が計算され、新しい化合物の生物活性の予想に用いられる。
【００６９】
本発明は全動物基礎アッセイシステムにわたり、１）同じ技術を種々の異なる受容体に適用できる、２）システムは高収量スクリーニングおよび化合物特性化に使用できる、そして３）システムは非常に小さいタンパク質を用いる受容体活性の作用薬および拮抗薬に対し非常に顕著なパターンを与える。
従って、本発明では、テスト物質の生物活性は、特定の受容体によって媒介されるとき、特定の有機体で、次によって予言される。
（Ｉ）「ＢｉｏＫｅｙｓ」のパネルを提供し、「ＢｉｏＫｅｙｓ」は１またはそれ以上のリガンドの存在または不在で受容体を結合する異なる能力をもち、前記パネルは従って２またはそれ以上の異なる受容体コンフォメーションの間で識別できる、
（ＩＩ）１またはそれ以上の有機体および組織の受容体の既知の薬理学作用薬または拮抗薬である、２またはそれ以上の参照物質のセットを、受容体への「ＢｉｏＫｅｙｓ」の結合を変える能力に対して、スクリーニングし、これによって、記述子の配列である各参照物質に対し参照「フィンガープリント」を得る、各記述子は質的および量的に、受容体にＢｉｏＫｅｙｓパネルメンバーを結合する際に参照化合物の効果を画定する。
（ＩＩＩ）テスト化合物は同様に受容体へのＢｉｏＫｅｙｓの結合を変えるその能力についてスクリーニングされ、これによってテストフィンガープリントが得られる。
（ＩＶ）各参照フィンガープリントへのテストフィンガープリントの類似性を決定する。そして
（Ｖ）１またはそれ以上の標的有機体、および１またはそれ以上のその標的組織のテスト物質の生物活性は、その中の参照物質の生物活性に基づき予言され、テスト物質と参照物質の間の類似性によって適切に評価される。
ステップ（Ｉ）のＢｉｏｋｅｙパネルは好ましくは（ａ）配位していない受容体、および（ｂ）配位した受容体に結合する能力に対し組合せライブラリーのメンバーをスクリーニングすることによって好ましく得られる。１例では、組合せライブラリーは最初（ａ）に対しスクリーニングされ、次いで全ライブラリー、または配位していない受容体結合メンバーのみ、（ｂ）に対しスクリーニングされる。別の例では、全ライブラリーは（ａ）および（ｂ）に対し同時にスクリーニングされる。また最初（ｂ）に次いで（ａ）にスクリーニングすることができる。
【００７０】
クロス参照出願ＰＣＴ／ＵＳ９９／０６６６４および０９／４２９，３３１では、種々のステップ（Ｉ）のＢｉｏＫｅｙｓパネルを得る方法が記載されている。しかし、この出願では、１またはそれ以上のメンバーのパネルを、細胞基礎アッセイによりスクリーニングした前記組合せライブラリーを使用して得る。この方法では必ずしもパネルメンバーの全部の同定は必要ない。
ステップ（ＩＩ）は所定の受容体に対し行われるのみで全参照物質が同時に識別される必要はない。また、ステップ（ＩＩ）および（ＩＩＩ）は置き換われる。
ステップ（ＩＶ）では、同様に質的に主観的方法で、すなわちフィンガープリントを「目で見つめ」て、更に類似の経験から判断し、または質的に主観的方法で、以下に示す類似の測定を用いる。
同様に、ステップ（Ｖ）では、生物活性は質的に主観的方法で、またはさらに量的に客観的に、テスト物質のフィンガープリントへのフィンガープリントの類似性を計算して各参照物質の活性スコアを数学的に計算して、予言できる。
先の出願では、２の異なる「フィンガープリント」例を記載した。
本発明の「分子ブライユ点字法」（ＭＢ）例では、参照およびテストフィンガープリントはインヴィトロ（細胞フリー）アッセイに基づく。
「細胞ブライユ点字法」（ＣＢ）例では、参照およびテストフィンガープリントは細胞アッセイに基づく（が、全多細胞有機体、またはそれらの器官または組織のアッセイに基づかない）。
【００７１】
「分子ブライユ点字法」の利点を次に挙げる。
・親和力について、およびフィンガープリントに基づき、単一アッセイの生物活性の情報をを与える。
・タンパク質がａ）高価ではない、またはｂ）発現及び精製が容易で、迅速安価である。
・構造−活性関係について情報を与える。
・ペプチド／受容体相互作用がその方法で得るために余分なことはないので感度が高い。
その欠点を次に挙げる。
・タンパク質は正確に折り返し、修飾されず、またはコファクターの存在で活性である必要がある
・ＣＢによる情報が少ない。
反対に、細胞ブライユ点字法の利点を挙げる。
・酵母ではＭＢよりも安い。
・生物活性（投与：効果を含み）情報は全動物の応答の仕方が近似している。
・活性代謝が得られる。
・タンパク質精製が必要ない。
その欠点を次に挙げる。
・細胞に得られない化合物は自動的に選択される。
・親和力情報を直接与えない。
・全動物アッセイよりもよいが、ＭＢよりも収量が少ない。
【００７２】
「分子ブライユ点字法」および「細胞ブライユ点字法」の両者は、全動物生物学的定量よりも迅速で安価であり、高収量のためさらに容易に自動化され、予備的スクリーニングとしてのそれらの使用は社会の倫理的ゴールである、動物の実験を最小にする働きがある。
両方の技術は連続してまたは同時に用いられる。例えば、ＭＢは最初のスクリーニングとして、ＣＢは最初のラウンドポジティブの第二のスクリーニングとして用いられる。または化合物はＭＢ及びＣＢによりスクリーニングでき、化合物はさらに注意を与えられたいずれかのスクリーンによって指定される。類似性は別々にヴィトロおよび細胞基礎アッセイから計算され、またはそれら２つのタイプのアッセイの結果は各参照またはテスト化合物に対し単一のフィンガープリントに一緒にされる。
本発明は単に少なくとも１の「フィンガープリントパネル」ＭＢまたはＣＢに用いた少なくとも１のペプチドは、受容体と共に発現されたペプチドライブラリーからのペプチドであり、上記のように、受容体と結合する。
ＢｉｏＫｅｙｓは受容体コンフォメーションでの変更のためのプローブであり、活性、不活性および部分的活性受容体間を容易に区別できる。ペプチドで得られた結合のパターンは受容体コンフォメーションのフィンガープリントを与える。各ペプチドの結合は受容体活性の作用薬または拮抗薬の存在で増減する。そのような活性は組織特異的でありまたはそうではない。若干の場合、分子が作用薬か拮抗薬かは問題の組織（例えばＳＥＲＭｓに対し）または他の環境因子による。従って、ペプチドを用いて化合物を分類し、純粋な作用薬または拮抗薬としてだけでなく、更に複雑に分類できる。その方法は次の応用がある。
【００７３】
１）これらペプチドの１またはそれ以上を拮抗的置換アッセイに用い、高収量（インヴィトロまたは簡単な細胞）スクリーニングでの受容体活性のモジュレーターを同定する。
２）ペプチドを用いて受容体活性のモジュレーターを識別し、それらを受容体活性の作用薬または拮抗薬として類別する。
３）孤児受容体に対し同定されるペプチドを用いてこれら受容体の天然リガンドを同定する。
４）この方法は核受容体ならびに他の受容体、例えばＧ−タンパク質結合受容体に対し用いられる。
５）リガンド／基体結合の際のコンフォメーション変化を受ける任意のタンパク質に適用して用いられる。
特定の好適例では、本発明を用いてエストロゲン受容体のような核受容体に対するＳＥＲＭ活性を予言する。
エストロゲン受容体でのＳＥＲＭ活性を特徴づけるために、ペプチドを用いてインヴィトロセッティングでのＥＲαおよびβへの種々のＥＲ関連タンパク質の結合を模倣するシステムを開発した。ペプチドは優先的に受容体の活性または不活性コンフォメーションに結合し、ＳＥＲＭの結合からのものとなるＥＲの異なるコンフォメーション変化の間を区別する。このシステムはまたＥＲαおよびβのＳＥＲＭの効果を比較する。このアッセイは新しく同定されたＳＥＲＭの相対的作用薬／拮抗薬活性を決定する簡単な方法を提供する。この技術はまた任意の受容体の選択的モジュレーターの分析に応用される。
【００７４】
受容体のある部位は作用薬がＥＲに結合するとき結合するために入手できる。他の部位はＳＥＲＭ複合ＥＲを結合するために容易に入手できる。エストロゲン複合受容体のこれらペプチドの相対的結合親和力、または配位していない受容体に対してＳＥＲＭ複合受容体は、ＳＥＲＭの作用薬／拮抗薬活性を示すフィンガープリントを提供する。受容体機能およびＳＥＲＭｓの作用薬はインヴィヴォ機能の明確な我々のシステムにおいて明瞭なフィンガープリントを生成した。このシステムは一次スクリーニング道具として用いられ、ヒットを同定し、薬剤スクリーンからリード化合物を分類し、組織および受容体特異性のようなＳＥＲＭの可能な臨床効果を予言することができる。この方法はまたＳＥＲＭｓの混合物の分別に応用され作用薬および拮抗薬活性を生成する成分を決定する。この方法はまた他の受容体（例えば、プロゲストロン、アンドロゲン、グルココルチコイド、チロイド、ビタミンＤ、ベータ−アドレナリン作用の、ドーパミン、表皮性の成長因子等）と共に用い、受容体活性のモジュレーターを特徴づけ分類することができる。
ペプチドは受容体コンフォメーションを変更し、スクリーン化合物ライブラリーを助けるためにプローブとして用いて同定されるが、これらペプチドのあるものは薬剤または診断薬としてそれ自体でも有用である。
さらに、ペプチドではない擬態または前記ペプチドの他の類似体は薬剤または診断薬として有用である。
スクリーニングした化合物、およびそれらの類似体は、また関心のあるものである。
物質
「物質」は純粋化合物または化合物の混合物である。好ましくは、実質的に純粋、すなわち、臨床用途に受け入れられるために十分実質的に純粋である。純粋かどうかは物質のテストサンプルが少なくとも有効量（すなわち、生物学的アッセイで検出できる生物学的応答まで上昇することができる）の生物学的に活性な化合物からなるか、または生物学的活性であると感じられそのように活性であるならば薬剤リードとして適している実質量の化合物からなる。
テスト物質および薬剤リード
テスト物質は有効量の化合物からなり、これは物理的特性（例えば溶解性）によって、薬剤源として一般に適しており、関心のある薬理学活性をもつことが知られていない構造クラスのメンバーである。
ＢｉｏＫｅｙｓ
本発明の目的のために、Ｂｉｏｋｅｙｓは標的受容体に対し１またはそれ以上の受容体に対する参照リガンドの存在または不在で標的受容体に結合する能力を用いて、参照リガンドを識別し、そして最後にはテスト物質（標的受容体タンパク質へのＢｉｏＫｅｙｓの結合を評価できる効果をもつ）と参照物質（同様にそのような結合として評価できる効果を持つが、関心のある標的有機体や組織での受容体タンパク質の生物活性の効果も知られている）との間の類似の度合いを計算することができる物質である。
【００７５】
好ましくは、ＢｉｏＫｅｙｓは組合せライブラリー、特にペプチドまたは核酸ライブラリーのような増幅できる組合せライブラリーのメンバーである。ライブラリーを次いで種々の受容体コンフォメーションに結合するためにスクリーニングする。ＢｉｏＫｅｙｓはそれ自体薬剤リードとして適する必要はない。
ＢｉｏＫｅｙｓの若干はすでにエストロゲン受容体（参照、Ｔａｂｌｅｓ１−４、７−１０、１４Ａ−１４Ｂ、１５Ａ、１５Ｂ、１０１）に対しインヴィトロでペプチドライブラリーの非生物学スクリーニングによって同定された。
他のＢｉｏＫｅｙｓはエストロゲン受容体（Ｔａｂｌｅ５０１）およびアンドロゲン受容体（Ｔａｂｌｅ５０２Ａ、５０２Ｂ）に対しここに企図されたようにペプチドライブラリーの細胞基礎スクリーニングによって同定された。
ＢｉｏＫｅｙパネル
参照およびテスト物質を識別するために、ＢｉｏＫｅｙｓの代表的選択をパネルに集める。唯１つの参照リガンドが受容体に対し知られているならば、パネルは次の結合クラスの少なくとも２の各々の１またはそれ以上の代表メンバーを含む。
【００７６】
2004523726.tif 000008
従ってクラスＡ、ＢおよびＣは非リガンド受容体（ＵＬ−Ｒ）を結合するが、リガンドはＡの結合を増し、Ｂの結合を減らし、そしてＣの結合には影響がない。クラスＤおよびＥはＵＬ−Ｒを結合しない。リガンドはＥに受容体を結合するが、Ｄでは結合しない。
上記の２つだけの代わりに、適当な性質をもつＢｉｏＫｅｙｓが同定できるならば、パネルは３、４または全部の５のクラスの代表メンバーを含むことができる。
上記クラスは質的方法のみで結合を考察する。しかし、ＵＬ−Ｒの強弱の結合体の間、およびリガンドの結果として大小の変化の間を識別することが可能である。所望により、更に細かい区別、例えば強い、中位、弱い等を引き出すこともできる。
１以上のリガンドが入手できるなら、組合せの可能性は増し、そして、適当なＢｉｏＫｅｙｓが同定できるならば、パネルは適切に拡張できる。
例えば、２つのリガンドを用いると、次の可能性が得られる。
【００７７】
2004523726.tif 000009
そしてさらに、例えば、Ｚ−１に対し、Ａの効果はＢのそれよりも大であり、Ｚ−２に対し、逆であり、Ｚ−３に対し、効果は等しいことを識別できる。
好ましくは、１，２，３，４，５またはそれ以上の参照リガンドを用いてＢｉｏｋｅｙパネルを明確にする。
【００７８】
特定の結合クラスが１のみのＢｉｏｋｅｙで表される必要はない。代わりに、２またはそれ以上のＢｉｏｋｅｙの混合で表すことができ、実際に混合は問題のクラスに対し結合基準を満たしたＢｉｏｋｅｙライブラリーでのＢｉｏｋｅｙｓのすべてに対応できる。
Ｂｉｏｋｅｙパネルのメンバーはパネルの差別的パワーを最大にする観点で選択される。例えば、極端な場合、パネルの２つのメンバーの結合の性質が等しい場合、全ての利用できる受容体の参照コンフォメーションに対し、これらのメンバーの１つは重複する。それをパネルに含むことは害がないが、スクリーニングのコストを不必要に増加する。
任意のペアの可能なパネルメンバーの類似性は以下に示す類似性測定を用いて決定される。所定のパネルの全体の変化はペアの相違点の全てを計算して決定される。所定のライブラリーから引き出した所定のサイズのパネルに対し、生物活性の効果の全体の変化を最大にするように調べることができる。またはライブラリーからの結合メンバーのセットに対し、全体の変化対メンバー数の比を最大にする対象物のサイズと構成が何かを決定するために調べることができる。
【００７９】
フィンガープリントでのパネル基礎記述子の数は通常パネル中のメンバー数と等しい。メンバーの最適数は参照物質の数、およびそれらを識別するパネルの能力に依存する。参照物質の数が大きいほど、参照物質の生物活性が予想される標的有機体および組織の数が大きいほど、パネルは大きくすべきである。代表的には、これらは２，３，４，５，６，７，８，９または１０個のパネルメンバーである。さらに多いメンバーが用いられるが、データーの予言力の同一基準の増加を必ずしも与えることなく、アッセイのコストが増加する。
参照物質
参照物質は問題の受容体に対し既知の薬理学作用薬または拮抗薬であり、１またはそれ以上の有機体および／または組織において既知または確かめられる生物活性をもつ。
代表的には、所定の受容体に対し、１，２，３，４，５またはそれ以上の参照物質がフィンガープリントで識別される。
テストおよび参照物質の「フィンガープリント法」
各テスト物質は複数の記述子（「フィンガープリント」）で特徴付けられ、これによって参照物質と比較できる。
これら参照物質はＢｉｏｋｅｙパネルを明確にするために用いられる特定の参照リガンドであるが、これら参照リガンドに限られない。従って、実施例１では、エストラジオールのみを用いて５クラスのペプチドを明確にするが、参照物質はエストラジオール、エストリオール、タモキシフェン、ナフォキシジンおよびクロミフェンであった。エストラジオールの使用は重大ではなく、参照物質はＢｉｏｋｅｙパネルを明確にするために用いられる任意の参照リガンドを含む必要はない。
参照物質は少なくとも１の有機体および組織において薬理学作用薬または拮抗薬でなければならないが、参照リガンドはそれに限られない。
本発明の目的のために、複数の記述子は参照コンフォメーション、例えば、非リガンド受容体Ｘ、受容体Ｘ／リガンドＡ、受容体Ｘ／リガンドＢ、非リガンド受容体Ｙ、受容体Ｙ／リガンドＣ等へのＢｉｏｋｅｙパネルのメンバーの結合のテスト物質の効果に言及しなければならない。さらにこの本文では、「メンバー」の語は同じ結合クラスのＢｉｏｋｅｙｓの混合物を意味する。記述子は質的（結合対非結合、増加対減少対効果なし等）または量的である。好ましくは、少なくとも２−１０のＢｉｏｋｅｙ基本記述子が用いられる。
テスト物質は追加的に当該分野で知られている構造的記述子のような他の記述子によって特徴づけられる。好ましくは、少なくとも５−１０の異なる参照物質が「識別される」。
【００８０】
参照物質はテスト物質と似た方法で特徴づけられ、その結果それらの記述子は類似の程度が計算されるそのような方法でテスト物質の記述子と「ペア」になることができる。
所定の参照またはテスト物質をフィンガープリントで識別する際に、すべたのパネルメンバーに対し同時にスクリーニングするかまたは、各パネルメンバー（またはパネルメンバーのサブセット）を別にテストすることができる。また、全参照物質を所定の受容体／パネルメンバーの組合わせに対して同時にスクリーニングすることができ、または参照物質は別々にスクリーニングできる。合計はテスト物質のスクリーニングに合う。テスト物質は参照物質の後、前または同時にスクリーニングすることができる。
【００８１】
記述子
「記述子」（またパラメーター、特性、可変、変量）は化合物（タンパク質、またはタンパク質リガンド）の数的な発現特性であり、化合物を他のものから区別する助けとなる。記述子の値は用いられる化合物に絶対的に特異的である必要はない。その特徴は（「構造記述子」におけるように）純粋な構造特性でありまたは他の化合物との化合物の相互作用を意味する。「ペアになった記述子」は２つの異なる分子で測定するものと同じ性質の記述子である。「記述子配列」、「リスト」または「セット」はメンバーが同じ分子に対し異なる記述子である配列、リストまたはセットである。そのような配列は、リストまたはセットはここでは「フィンガープリント」を指す。
２つの化合物に対し複数のペアになった記述子を用いて２つの化合物の間の類似性を計算できる。
類似性の測定
類似性の測定または率は２つの各（化合物）間の関係を定量し、両方に共通の変量（記述子）のセットの値を与える。類似性の率は通常０ないし１の範囲の値をとるように明確にされる。
通常用いられる類似性の１の測定は生成物瞬間相関関係率である。２つのプロフィルがへ行こうであるときはいつでも、その相関関係は単一であり、レベルでどの位、離れているかは無視する。２つのプロフィルは、２セットのスコアが直線で関係しているという条件で、平行でないとしても＋１の率をもつことができる。
記述子は質的または量的である。量的記述子は整数または実数である。質的記述子はデーターを、必ずしも必要ではないが、相対的大きさをもつように発現できるカテゴリーに分ける。１対の記述子は質的記述子の特別な場合であり、まさに２つのカテゴリーは代表的には特徴の存在または不在を示す。変量がいくつかのレベルをもつ量的データーは、単一の一対の変量とみなされる（すなわち、８のレベル変量は８ビットと表される）変量の各レベルを用いて一対のデーターのように処理される。またはそのレベルは連続的に（すなわち、８のレベル変量は３ビットとして表された）番号をつけることができる。
【００８２】
セットのｎ−記述子はｎ−次元記述子スペーサーを明確にする；記述子のセットが利用できる各化合物は、記述子スペーサーでの点を占領すると言える。２つの化合物の相違点は記述子スペーサーで占領する２点間の距離として表される。
距離の測定は類似性測定であり、また測定基準であり、例えば（ｉ）ｄ（ｘ，ｙ）≧０；およびｘ＝ｙの場合ｄ（ｘ，ｙ）＝０であり（ｉｉ）ｄ（ｘ，ｙ）＋ｄ（ｙ，ｘ）；および（ｉｉｉ）ｄ（ｘ，ｚ）＋ｄ（ｙ，ｚ）≧ｄ（ｘ，ｙ）（測定基準または三者間の不等式）の状態を満足する。勿論、距離が大きくなると、類似性は小さくなる。
距離は、統計的方法で知られている任意の複数の距離の測定に基づき計算される。
【００８３】
最も常用される距離の測定はユークリッド測定基準である：
2004523726.tif 000010
これは我々の直感的センスの距離に最も近い。
距離の測定は、範囲０．．１に負でない数を変える任意の種々の変換によって類似の測定に変換できる。例えば、
Ｓｉｊ＝１／（１＋ｄｉｊ）
類似の測定は、例えばｄｉｊ＝１−ｓｉｊによって、距離に変換できる。
理論的に最大の距離（ｄｔｍａｘ）があるならば、各成分記述子に対し理論的に可能な範囲の基づき、類似性は
Ｓｉｊ＝１−（ｄｉｊ／ｄｔｍａｘ）
として表される。
あるいは、全ペア間の距離を計算でき、次いで実際の最大距離（ｄａｍａｘ）を用いる：
Ｓｉｊ＝１−（ｄｉｊ／ｄａｍａｘ）
実際のまたは理論的な最大距離に対する実際の距離の比を用いる代わりに、距離がｄｉｊ よりも大きいかまたは等しいペアのフラクションとしてＳｉｊを表すことができる。これは相対的類似性の測定である。
【００８４】
記述子は次の任意のいくつかの理由のために評価される（または変換される）：
（ａ）２つのタンパク質が構造的に類似の薬剤によって調節されるかどうか決定するために記述子の知覚値を反映する；
（ｂ）記述子データーの知覚信頼性を反映する；
（ｃ）値が非常に大きいか広範囲に広がっているので記述子が類似性または距離計算を左右しないように、記述子間のスケールの差を補正する；
（ｄ）記述子間の相関関係に対し補正する。
生の記述子の値は、必要ではないが、距離を計算する際に用いる前に変換される。代表的な変換は（ａ）存在（１）／不在（０）、（ｂ）ｌｎ（ｘ＋１）、（ｃ）サンプルでの頻度、（ｄ）ルーツ、および（ｅ）相対的範囲、すなわち（ｖａｌｕｅ−ｍｉｎ）／（ｍａｘ−ｍｉｎ）。
生の記述子の値はゼロ平均（ｘ’＝ｘ−μｘ）および／またはユニット変動（ｘ’＝ｘ／σｘ）、可能なら両方（ｘ’＝（ｘ−μｘ）／σｘ）をもつように標準化（正規化）され、または範囲０ないし１になるように標準化（正規化）される。
【００８５】
記述子の重さは特別に設計されたテストセットに基づき経験的に調節される。タンパク質のトレイニングセットは同定される。記述子はセット中の各タンパク質に対し評価される。化合物のトレイニングセットは、またセット中の各化合物に対するテストも含む。これら化合物は、セット中の任意のタンパク質に対し、それに対し作用薬または拮抗薬である少なくとも１の化合物があるように選ばれる。インプットとして記述子重量をもつ神経系を用いて、計算したタンパク質の類似性を用い、各タンパク質に対して各化合物の活性を予言する。例えば、タンパク質ｘの類似性を他のタンパク質すべてに対し計算し、次いで「既知」として他のタンパク質に対する化合物の活性を取り扱い、それを用いてタンパク質ｘに対する化合物の活性を予言する。順番に、タンパク質ｘの役割をする核タンパク質を用いて、これは繰り返し行われる。
【００８６】
変化の係数は記述しを比較する際に有用である；平均によって分けられた標準偏向である。記述子の最終的有意性について何も情報が得られない場合、さらに大きいＣＶしたがってさらに均一の分布をもつ記述子にさらに大きい重量を与えることができる。
我々は秤量した記述子を用いる必要はなく、重量を引き出す任意特定の方法のみでよいことを強調しなければならない。
ある程度の相関関係が記述子の間にはあるらしい。標準数学方法、例えばクラスター分析、基本成分分析、または部分最小二乗分析を用いて、どの記述子が強く相関しているか決定し、それらを元の相関した記述子の合計秤量である新しい記述子と置き換えることができる。あるいは大いに相関した記述子の各ペアの１つを選択し（勿論ランダムに）簡単に取り除き、これによって収集しなければならないデーターの量を減らす。
【００８７】
記述子の間の相間関係のための補正の１つの方法は各記述子ｍに対してであり、その二乗した相関関係係数の平均を全記述子ｎ（ｍ＝ｎを含む、そのため係数は必ず単一である）を用いて計算し、「平均」記述子ｎによって説明されない記述子ｍの変化の部分を示す重量を得るように、この数を１から引く。この「平均ｒ２」法を用いて、４個の記述子があり、２個が完全に互いに相関関係があり、ほかは記述子が完全に相関関係にないなら、相関関係の記述子は各々０．５の重量であり、他の２個は各々１．０の重量である。
記述子のセットによって測定されるので、化合物のセットの多様性は幾つかの方法で計算される。
純粋に幾何学的方法は各化合物が記述子スペーサーで超球を一掃するという仮定を含み、超球は相似半径として知られる半径をもつ。１またはそれ以上の化合物の単位相似半径内の点の記述子スペーサーでの全超容量を計算する。これは超球の重なりがないならば達成される超容量；すなわち、単一超球のｎ＊容量と比較される。ここでｎはセットの化合物数である。一掃した超容量は正確に、またはモンテカルロ法によって決定される。一掃した超容量対最大超容量の比は化合物セット多様性の測定であり、１（最大）から１／ｎ（最小）の範囲である。
【００８８】
他のアプローチは記述子スペーサーの化合物間のペアになった距離の全部を計算することである。平均距離は多様性の測定である。所望により、これは平均距離対最大理論距離の比を計算して比べてみることができる。
第三のアプローチは化合物のセットにクラスター分析を適用することである。用いた方法は任意にクラスターの数をセットしないが、むしろ適合度標準に基づく数を決定するものである。クラスター数対化合物数の比であるので、得られたクラスター数は多様性の測定である。
記述子のための無秩序の測定は次式で計算される。
【００８９】
2004523726.tif 000011
式中、ｍｋは記述子ｋの異なる状態の数であり、Ｐｋｇは記述子ｋに対し状態ｇを示す各々の観察された割合である。相関関係にない記述子に対し、全ｋに対するＨ（ｋ）の合計は全体の多様性の尺度である。標準技法を用いて相関関係を補正することができる。
予備的スクリーニングアッセイ
本発明は「フィンガープリント」の間に予備的スクリーニングのための少なくとも３つの場合を予期する。
（ａ）潜在的「ＢｉｏＫｅｙｓ」のためのスクリーニング、既知の受容体（またはそのリガンド結合部分）および受容体の１またはそれ以上の既知の薬理学モジュレーター（フィンガープリントの一般法、ステップ（Ｉ）参照）を用いる、
（ｂ）参照化合物のスクリーニング、既知の受容体と確立されたＢｉｏＫｅｙパネルを用いる受容体介在生物活性を有し、参照フィンガープリント（フィンガープリントの一般法、ステップ（ＩＩ）参照）を得る、
（ｃ）受容体へのＢｉｏＫｅｙｓのパネルの結合を変える能力に対しテスト化合物をスクリーニング、これによってテストフィンガープリント（フィンガープリントの一般法、ステップ（ＩＩＩ）参照）を得る。
【００９０】
同じかまたは異なるスクリーニング方法を各場合に用いることができる。
予備的スクリーニングアッセイは一般にインヴィトロ（細胞を含まない）アッセイ（固定された受容体に結合するため）または細胞基礎アッセイ（細胞の表現型での変更のため）である。それらは全多細胞有機体、または単離した器官のスクリーニングを含まない。生物学的定量のコメントは必要な変更を加えて予備的スクリーニング細胞基礎アッセイに応用する。
従って、上記（ａ）−（ｃ）の各々のスクリーニングでは、標的受容体をインヴィトロアッセイまたは細胞基礎アッセイに用いられる。後者の場合、酵母および哺乳類アッセイは特に関心がある。（ａ）では、任意のこれらのアッセイを用いて組合せペプチドライブラリーをスクリーニングする。
ＢｉｏＫｅｙｓは他の受容体コンフォメーションよりも１の受容体コンフォメーションでさらに強く受容体を結合する能力のために受容体結合分子をスクリーニングして同定される。可能な受容体コンフォメーションは配位していない受容体、受容体：作用薬または受容体：拮抗薬のペア、および他の受容体：結合分子複合体を含む。若干御受容体は追加のコンフォメーションを生む三成分または更に多い複合体に関係することができる。従って、ＢｉｏＫｅｙｓは複数のスクリーンによって同定され、同じペプチドは同じ受容体に結合するためスクリーニングされるが、受容体コンフォメーションはスクリーンからスクリーンに変化する。スクリーンは同時または逐次である。スクリーンは同じライブラリーで、全体として各時間に行われる。または最初のスクリーンは全体のライブラリーで行われるが、あとのスクリーンはそのサブセット、例えば、最初のスクリーンからの若干またはすべての成功した結合分子でのみ行われる。
【００９１】
潜在的ＢｉｏＫｅｙｓのためのスクリーニングはインヴィトロまたは細胞基礎アッセイで行われるが、後者は受容体（細胞質受容体であるなら）は更に自然の環境にあり、細胞内で安定なペプチドに対し前もって選ぶ利点がある。
本出願では、パネルの少なくとも１のＢｉｏＫｅｙを細胞基礎アッセイによって組合せペプチドライブラリーをスクリーニングして（Ｉ）のステップで同定される。
しかし、他のメンバーは二者択一のスクリーニングアッセイによって同定される。
好適なインヴィトロスクリーニングアッセイ
シンチレーション近接アッセイ（ＳＰＡ）
ＳＰＡはある一定の同位元素、例えば３Ｈ、１２５Ｉ、３３Ｐおよび３５Ｓからのベーター粒子の溶液での短浸透範囲をあてにする同種アッセイである。
拮抗ＳＰＡでは、シンチラント（ベーター粒子が接近するとき光を放つ）は被検体結合分子に共役される。被検体はＡＢＭに結合するため短範囲ベーター粒子放射放射性同位元素を使った標識被検体類似体と拮抗することができる。被検体類似体が結合する場合、その標識によって放射した粒子はシンチラントを刺激するのに十分な接近を行う。
【００９２】
通常、シンチラントはビーズ、またはミクロタイタープレートのウェル壁に埋め込まれている。
サンドイッチＳＰＡでは、シンチラント−ＡＢＭ共役体は被検体を結合し、第二の放射性同位元素を使った標識ＡＢＭも被検体に結合し、これによって三成分複合体を形成する。
シンチラント−ＡＢＭ共役体の代わりに、一次単一ＡＢＭ試薬、および一次試薬を結合する二次試薬として作用するシンチラント−（抗−ＡＢＭ）共役体を用いる実際的な理由がある。一次試薬のＡＢＭは次にマウスモノクロナル抗体であり、二次試薬の抗−ＡＢＭは安価なポリクロナル抗−マウス抗体であり、異なる被検体のためにアッセイで用いられる。
蛍光分極（ＦＰ）：リガンド結合の検出方法は、蛍光リガンドを含む複合体の全分子マスでの変化に反映する蛍光標識の回転緩和時間の変化となる。測定は分極フィルターを通過した適当な波長の光によってリガンドの蛍光部分を刺激し、放射した光に２回の測定を行う。最初の測定は励起偏光子の分極に平行な分極フィルターを光が通過して行われる。第二の測定は励起偏光子の分極に垂直分極フィルターを光が通過して行われる。平行および垂直の測定からの放射光の強度を用いて、次式、ｍＰ＝［（Ｉｐａｒａｌｌｅｌ−Ｉｐｅｒｐｅｎｄｉｃｕｌａｒ）／ （Ｉｐａｒａｌｌｅｌ＋Ｉｐｅｒｐｅｎｄｉｃｕｌａｒ）×１０００）によって蛍光リガンドの分極を決定する。ｍＰの増加は更に分極した光が放射され複合体の形成に対応することを示す。
蛍光共鳴エネルギー移動（ＦＲＥＴ）：リガンド−受容体結合のような複合体形成の検出方法、これは２つの蛍光グループ間のスペーサー通過相互作用による。蛍光分子は励起のための特定波長および放射のための別の波長をもつ。発蛍光団のペアは重なる放射および励起波長を持つものが選択される。ペアになった発蛍光団は共鳴エネルギー移動と呼ばれるスペーサー通過相互作用によって検出される。ドナー発蛍光団が光りによって励起されるとき、通常は高波長で発光する；しかし、ＦＲＥＴエネルギーがドナーからアクセプターの初蛍光団に移動する間に光子を放射しないで基底状態に励起ドナーを弛緩させる。アクセプターの発蛍光団は励起し放射波長で光を放射することによってエネルギーを放出する。これは、１つの発蛍光団がリガンドに結合し１つが受容体に結合しそのリガンドがその受容体に結合するときのように、ドナーおよびアクセプターの発蛍光団がほぼ接近しており（＜１００オングストローム ）、ドナーの励起がアクセプターからの放射とカップルすることを意味する。逆に、複合体が形成されないならばドナーの励起はアクセプターからの放射ではなくなる。この方法の普通の変更は、時には蛍光消光と呼ばれ、蛍光ではないが、ドナーの発蛍光団からのエネルギーを有効に受けるアクセプターグループを用いて行われる。この場合に、複合体が形成されるとき、ドナーの発蛍光団の励起は任意の波長にて発光を伴わない。この複合体が解離するとき、ドナーの励起はドナーの波長にて発光する。
【００９３】
時間分割蛍光
基本の蛍光アッセイは信号対ノイズ比を増加するように変更できる。信号蛍光とバックグラウンド蛍光の時間挙動の差がある場合、「時間分割蛍光」を用いてさらに良く２つを区別する。
全蛍光強度の減少、または分極異方性の減少を測定できる。
ＦＲＥＴアッセイの時間分割形態では、ユーロピウムクリプテート（ＥｕＫ）がドナー発蛍光団として役立つ。クリプテートは蛍光消光からユーロピウムイオンを保護する。アクセプターの発蛍光団はＸＬ６６５で、変更されたアロピコシアニンである。ＦＲＥＴの効率は血清中９ｎｍの距離で５０％であり、放射は６６５ｎｍである。ＸＬ６６５放射はバックグラウンドを（例えば、ＥｕＫによって励起されないフリーＸＬ６６５から）放射する５０マイクロ秒遅れて測定される（従ってその名）。これはＸＬ５６６放射が比較的長寿命なので可能である。
【００９４】
蛍光アッセイは細胞を含まない形式にも細胞基礎形式にも用いられる。勿論、細胞基礎アッセイでは、プローブを標識付けした発蛍光団は問題の細胞内に導入される必要がある。
蛍光アッセイのさらなる情報は次の文献を参照。Ｓｚｏｌｌｏｓｉ，ｅｔ ａｌ．， Ｃｏｍｍ．Ｃｌｉｎ．Ｃｙｔｏｍｅｔｒｙ， ３４：１５９−１７９ （１９９８）； Ｍｉｌｌａｒ， Ｃｕｒｒ． Ｏｐ．Ｓｔｒｕｃｔ． Ｂｉｏｌ．， ６：６３７−４２ （１９９６）； Ｍｉｔｒａ， ｅｔ ａｌ．， Ｇｅｎｅ， １７３：１３−１７ （１９９６）， Ａｌｆａｎｏ， ｅｔ ａｌ．， Ａｎｎ． Ｎ．Ｙ． Ａｃａｄ． Ｓｃｉ．， ８３８：１４−２８ （１９９８）； Ｌｕｎｄｂａｌｄ， ｅｔ ａｌ．， Ｍｏｌ． Ｅｎｄｏｃｒｉｎｏｌ．， １０：６０７−１２ （１９９６）； Ｇｏｎｚａｌｅｚ ａｎｄ Ｎｅｇｕｌｅｓｃｕ， Ｃｕｒｒ． Ｏｐ．Ｂｉｏｔｅｃｈｎｏｌｏｇｙ， ９：６２４−３１ （１９９８）。生物発光アッセイについては Ｓｔａｂｌｅｓ， ｅｔ ａｌ．，Ａｎａｌ． Ｂｉｏｃｈｅｍ．， ２５２：１１５−１２６ （１９９７）を参照。
薬剤リード
ここで用いられる「薬剤リード」の語は、物理的特性の語で（例えば溶解度）、薬剤源として一般に安定であり、少なくとも若干の有用な薬理学活性をもち、従って薬剤として有用な類似体や誘導体の設計に出発点として有効に働く構造クラスのメンバーである化合物を指す。薬剤リードはここに記載した方法により活性であると同定された先のテスト物質であってもよい。
【００９５】
「薬剤リード」はそれ自身で有効な薬剤であり、または不十分な潜在力または望まない副作用のため薬剤として不完全な化合物であってもよい。後者の場合、類似体および誘導体はこれら不完全性を克服することが要求される。前者の場合、すでに有用な薬剤が改良されている。
そのような類似体および誘導体は合理的薬剤設計により、または類似体および誘導体の組合せまたは非組合せライブラリーのスクリーニングにより同定される。
好ましくは、薬剤リードは分子量が１，０００以下、さらに好ましくは、７５０以下、未ださらに好ましくは、６００以下、最も好ましくは、５００以下の化合物である。好ましくは、−４ないし＋１４、さらに好ましくは、−２ないし＋７．５の範囲のコンピューター対数オクタノール−水分配係数をもつ。
テスト物質
テスト物質は通常問題の受容体に対し潜在的薬理学作用薬または拮抗薬である。従って、それらは通常上記のような薬剤リードである。
好ましくはテスト物質は、薬理学的に許容できる小さい有機分子、例えば、５００ダルトン以下の分子量の分子である。
テスト物質は特異的に受容体に結合する能力をもつことが既に同定された物質であってもよい。テスト物質が最初にこの基準で選択されるなら、次にそのようにスクリーニングされた組合せライブラリーから導かれることが好ましい。
追加としてまたは代わりとして、受容体を結合することが知られている物質、特に受容体の生物活性を媒介する物質として知られている物質である。これらは本発明のペプチドの類似体を含む。
好ましくは、テスト物質は次のものである。
【００９６】
（１）関心のある受容体の既知の薬理学作用薬または拮抗薬の類似体；
（２）構造的（統計学的に有意の（≧６シグマ）配列でのアミノ酸配列において少なくとも２５％同一）または関心のある受容体に機能的に類似する受容体をもつ薬理学作用薬または拮抗薬；および／または
（３）インヴィトロで関心のある受容体を結合することが知られているリガンド（これらリガンドは本発明の細胞基礎スクリーニングによって同定されたペプチド）、またはそれらの類似体。
いくつかの好適例では、テスト物質は組合せライブラリーとして合成するために影響を受けやすい化学クラスのものである。これは、インヴィトロで受容体を結合するテスト化合物の同定、およびテスト物質が関心のあるものであるならばテストに関係する化合物の続く増殖を容易にする。
テスト物質の化学的性質
多くの薬剤は次のカテゴリーの１またはそれ以上に含まれる：アセタール、酸、アルコール、アミド、アミジン、アミン、アミノ酸、アミノアルコール、アミノエステル、アミノケテン、アンモニウム化合物、アゾ化合物、エノール、エステル、エーテル、グリコシド、グアニジン、ハロゲン化化合物、炭化水素、ケトン、ラクタム、ラクトン、マスタード、ニトロ化合物、ニトロソ化合物、有機ミネラル、フェノン、キノン、セミカルバゾン、スチルベン、スルフォンアミド、スルフォン、チオール、チオアミド、チオ尿素、尿素、ウレイド、およびウレタン類。
【００９７】
薬剤のすべての薬理学クラスまたは全薬剤構造を徹底的に列挙することなく、以下のリストの化学構造の１またはそれ以上の化合物が示された薬理学活性を示すことが見出され、およびこれらの構造、または誘導体は同じかまたは異なる活性のさらなる化合物に対しスクリーニングする際に設計メンバーとして用いることができる。（いくつかの場合には、そのクラスの１またはそれ以上のリード薬剤が示される。）
催眠剤
高級アルコール（クロメチアゾール）
アルデヒド（クロラールハイドレート）
カルバメート（メプロバメート）
非環式ウレイド（アセチルカルブロマール）
バルビツレート（バルビタール）
ベンゾジアゼピン（ジアゼパム）
抗痙攣薬
バルビツレート（フェノバルビタール）
ヒダントイン（フェニトイン）
オキサゾリジンジオン（トリメタジオン）
スクシンイミド（フェンスクシミド）
アシルウレイド（フェナセミド）
麻薬性鎮痛薬
モルフィン
フェニルピペリジン（メペリジン）
ジフェニルプロピルアミン（メサドン）
フェノチアジン（メソトリメプラジン）
鎮痛剤、解熱剤、抗リウマチ薬
サリチレート（アセチルサリチル酸）
ｐ−アミノフェノール（アセトアミノフェン）
５−ピラゾロン（ジピロン）
３，５−ピラゾリジンジオン（フェニルブタゾン）
アリル酢酸（インドメタシン）
アドレノコルチカルステロイド（コーチゾン、デキサメタゾン、
プレドニソン、トリアンシロン）
アトラニリックアシド
神経弛緩剤
フェノチアジン（クロルプロマジン）
チオキサンテン（クロルプロチキセン）
レセルピン
ブチロフェノン（ハロペンドール）
不安緩解剤
プロパンヂオールカルバメート（メプロバメート）
ベンゾジアゼピン（クロルヂアゼポキシド、ジアゼパム、オキサゼパム）
抗抑制剤
トリサイクリック（イミプラミン）
筋肉／弛緩薬
プロパンジオールおよびカルバメート（メフェネシン）
ＣＮＳ刺激剤
キサンチン（カフェイン、テオフィリン）
フェニルアルキルアミン（アンフェタミン）
（フェネチリンはテオフィリンとアンフェタミンの結合体である）
オキサゾリジノン（ペモリン）
コリン作用薬
コリンエステル（アセチルコリン）
Ｎ，Ｎ−ジメチルカルバメート
アドレナリン作用薬
芳香族アミン（エピネフリン、イソプロテレノール、フェニルエフリン）
脂環式アミン（シクロペンタミン）
脂肪族アミン（メチルヘキサンアミン）
イミダゾリン（ナファゾリン）
抗アドレナリン作用薬
インドールエチルアミンアルカロイド（ジヒドロエルゴタミン）
イミダゾール（トラゾリン）
ベンゾジオキサン（ピペロキサン）
ベータハロアルキルアミン（フェノキシベンズアミン）
ジベンズアゼピン（アザペチン）
ヒドラジノフタルアジン（ヒドララジン）
抗ヒスタミン
エタノールアミン（ジフェンヒドラミン）
エチレンジアミン（トリペレノミン）
アルキルアミン（クロルフェニラミン）
ピペラジン（シクリジン）
フェノチアジン（プロメタジン）
局所麻酔薬
安息香酸
エステル（プロカイン、イソブカイン、シクロメチカイン）
塩基性アミド（ジブカイン）
アニリード、トルイジド、２，６−キシリジド（リドカイン）
第三アミド（オキセタカイン）
血管拡張薬
ポリオール硝酸エステル（ニトログリセリン）
利尿剤
キサンチン
チアジド（クロロチアジド）
スルフォンアミド（クロルタリドン）
駆虫剤
シアニン色素
抗マラリア剤
４−アミノキノリン
８−アミノキノリン
ピリミジン
ビグアニド
アクリジン
ジヒドロトリアジン
スルフォンアミド
スルフォン
抗バクテリア剤
抗生物質
ペニシリン
セファロスポリン
オクタヒドロナプタセン（テトラサイクリン）
スルフォンアミド
ニトロフラン
環式アミン
ナフチリジン
キシレノール
抗腫瘍剤
アルキル化剤
窒素イペリット
アジリジン
メタンスルフォネートエステル
エポキシド
アミノ酸拮抗薬
葉酸拮抗薬
ピリミジン拮抗薬
プリン拮抗薬
抗ウイルス薬
アダマンタン
ヌクレオシド
チオセミカルバゾン
イノシン
アミジンおよびグアニジン
イソキノリン
ベンズイミダゾール
ピペラジン
【００９８】
薬理学クラスについては、例えばＧｏｔｈ， Ｍｅｄｉｃａｌ Ｐｈａｒｍａｃｏｌｏｇｙ： Ｐｒｉｎｃｉｐｌｅｓ ａｎｄ Ｃｏｎｃｅｐｔｓ （Ｃ．Ｖ．Ｍｏｓｂｙ Ｃｏ．：８ｔｈ ｅｄ． １９７６）； Ｋｏｒｏｌｋｏｖａｓ ａｎｄ Ｂｕｒｃｋｈａｌｔｅｒ， Ｅｓｓｅｎｔｉａｌｓ ｏｆ Ｍｅｄｉｃｉｎａｌ Ｃｈｅｍｉｓｔｒｙ （Ｊｏｈｎ Ｗｉｌｅｙ ＆ Ｓｏｎｓ， Ｉｎｃ．： １９７６）を参照。
合成方法については、例えばＷａｒｒｅｎ， Ｏｒｇａｎｉｃ Ｓｙｎｔｈｅｓｉｓ： Ｔｈｅ Ｄｉｓｃｏｎｎｅｃｔｉｏｎ Ａｐｐｒｏａｃｈ （Ｊｏｈｎ Ｗｉｌｅｙ ＆ Ｓｏｎｓ， Ｉｎｃ．： １９８２）； Ｆｕｓｏｎ， Ｒｅａｃｔｉｏｎｓ ｏｆ Ｏｒｇａｎｉｃ Ｃｏｍｐｏｕｎｄｓ （Ｊｏｈｎ Ｗｉｌｅｙ ＆ Ｓｏｎｓ， Ｉｎｃ．： １９６６）； Ｐａｙｎｅ ａｎｄ Ｐａｙｎｅ， Ｈｏｗ ｔｏ ｄｏ ａｎ Ｏｒｇａｎｉｃ Ｓｙｎｔｈｅｓｉｓ （ａｌｌｙｎ ａｎｄ Ｂａｃｏｎ， Ｉｎｃ．： １９６９）； Ｇｒｅｅｎｅ， Ｐｒｏｔｅｃｔｉｖｅ Ｇｒｏｕｐｓ ｉｎ Ｏｒｇａｎｉｃ Ｓｙｎｔｈｅｓｉｓ （Ｗｉｌｅｙ−Ｉｎｔｅｒｓｃｉｅｎｃｅ）を参照。置換体の選択については、例えばＨａｎｓｈ ａｎｄ Ｌｅｏ， Ｓｕｂｓｔｉｔｕｅｎｔ Ｃｏｎｓｔａｎｔｓ ｆｏｒ Ｃｏｒｒｅｌａｔｉｏｎ Ａｎａｌｙｓｉｓ ｉｎ Ｃｈｅｍｉｓｔｒｙ ａｎｄ Ｂｉｏｌｏｇｙ （Ｊｏｈｎ Ｗｉｌｅｙ ＆ Ｓｏｎｓ， Ｉｎｃ．： １９７９） を参照。
小有機化合物組合せライブラリー
小有機化合物組合せライブラリー（「化合物ライブラリー」と短縮）は、実際に、標的タンパク質の生物活性を媒介する能力をもつならば、メンバーが薬剤として用いるために適している組合せライブラリーである。
ペプチドは薬剤として欠点をもつ。これらは血清プロテアーゼによって減成する感受性、および細胞膜を貫通する際の困難性を含む。好ましくは化合物ライブラリーの化合物の全てまたは殆どは、ペプチドの１またはそれ以上の薬理学欠点を避け、または少なくとも同程度の欠点をもたない。
【００９９】
ライブラリーの設計はベンゾジアゼピンの例によって説明することができる。いくつかのベンゾジアゼピン薬剤は、クロルジアゼポキシド、ジアゼパムおよびオキサゼパムを含め、抗不安薬に用いられた。ベンゾジアゼピンの誘導体は幅広い生物活性をもつ；誘導体は不安緩解剤としてだけではなく、抗痙攣剤、コレシストキニン（ＣＣＫ）受容体サブタイプＡまたはＢ、カッパオピオイド受容体、血小板活性因子、およびＨＩＶトランスアクチベーターＴａｔ拮抗薬、およびＧＰＩＩｂＩＩａ、逆トランスクリプターゼおよびｒａｓファルネシルトランスフェラーゼインヒビターとして働くことが報告された。
ベンゾジアゼピン構造は２−アミノベンゾフェノン、アミノ酸、およびアルキル化剤に分離された。参照Ｂｕｎｉｎ， ｅｔ ａｌ．， Ｐｒｏｃ． Ｎａｔ． Ａｃａｄ． Ｓｃｉ． ＵＳＡ， ９１：４７０８ （１９９４）。数個の２−アミノベンゾフェノン誘導体のみが市販されているので、後に２−アミノアリルスタンナン、酸クロライド、アミノ酸、およびアルキル化剤に分離された。Ｂｕｎｉｎ， ｅｔ ａｌ．， Ｍｅｔｈ． Ｅｎｚｙｍｏｌ．， ２６７：４４８ （１９９６）。アリルスタンナンは他の部分が置換されているコア構造が考えられ、またはすべて４つが各ライブラリーメンバーを作るように等しく結合していると考えられる。
【０１００】
基本ライブラリー合成プランおよびメンバー構造はＦｏｗｌｋｅｓ， ｅｔ ａｌ．， Ｕ．Ｓ． Ｓｅｒｉａｌ Ｎｏ． ０８／７４０，６７１のＦｉｇ．１に見られ、その全体を参照文献として組み込む。酸クロライド構築ブロックはＲ１部位で可変性を導く。Ｒ２部位はアミノ酸によって、Ｒ３部位はアルキル化剤によって導かれる。Ｒ４部位はアリルスタンナンに内在する。Ｂｕｎｉｎらは２０個の酸クロライド、３５個のアミノ酸、および１６個のアルキル化剤から調製された１１，２００個の異なる誘導体の１，４−ベンゾジゼピンライブラリーを生成した。（Ｒ４では多様性は導かれない；この基を用いて分子を固相に結合した。）Ａｖａｉｌａｂｌｅ Ｃｈｅｍｉｃａｌ Ｄｉｒｅｃｔｏｒｙ（ＨＤＬ Ｉｎｆｏｒｍａｔｉｏｎ Ｓｙｓｔｅｍｓ，Ｓａｎ Ｌｅａｎｄｒｏ ＣＡ）によれば、３００個以上の酸クロライド、８０個のＦｍｏｃ−保護アミノ酸および８００個のアルキル化剤が購入できた（さらに、勿論、合成できた）。使用した特定の部分は、ミクロ滴定量プレートのウェルで手軽に合成されるものに数を限定したが、構造分散を最大にするように選択された。構造が似ている化合物間の選択は、最小の置換化合物が優先された。
可変メンバーは脂肪族および芳香族基の両方を含んでいた。脂肪族基の中で、置換されたまたは置換されていない非環式および環式（モノ−またはポリ−）構造がテストされた。（非環式基のすべては線状であったが、分枝脂肪族を導入することが可能であった）。芳香族基は、融合したまたは融合しない、置換したまたはしない、ヘテロ原子をもつまたはもたない、一個または複数個の環を特徴とした。二次置換基は−ＮＨ２、−ＯＨ、−ＯＭｅ、−ＣＮ、−Ｃｌ、−Ｆ、および−ＣＯＯＨを含んだ。用いられなかったが、スペーサー部分、例えば−Ｏ−、−Ｓ−、−ＯＯ−、−ＣＳ−、−ＮＨ−、および−ＮＲ−が組み込まれる。
Ｂｕｎｉｎらはコア構造として１，４−ベンゾジアゼピンを用いる代わりに、１，４−ベンゾジアゼピン−２，５−ジオン構造を用いることができることを示唆している。
Ｂｕｎｉｎらにより注目されたように、必ずしも必要ではないが、連結機能性の跡を残さない結合戦法を用いることが、さらに多様のライブラリーを構築できるので有利である。
【０１０１】
当該分野で知られているかまたは示唆された他の組合せ非オリゴマー化合物ライブラリーはカルバメート、メルカプトアシル化ピロリジン、フェノール剤、アミニミド、−アシルアミノエーテル（アミノアルコール、芳香族ヒドロキシ酸、およびカルボン酸から生成）、Ｎ−アルキルアミノエーテル（芳香族ヒドロキシ酸、アミノアルコールおよびアルデヒドから生成）、１，４−ピペラジン、および１，４−ピペラジン−６−オンに基づいた。
ＤｅＷｉｔｔら、Ｐｒｏｃ． Ｎａｔ． Ａｃａｄ． Ｓｃｉ．（ＵＳＡ）， ９０：６９０９−１３ （１９９３）は４０の別個のヒダントインおよび４０の別個のベンゾヂアゼピンの同時であるが別々の合成を記載している。他の従来の同時合成方法（例えば、ウェル内、またはピン上で）とは異なり、配列フォーマットで、かれらは合成を個体支持体（ガス分散チューブ内）で行っている。ヒダントインは先ず同時に脱保護し次に５個のアミノ酸樹脂の各々を８個のイソシアネートの各々で処理して合成した。ベンゾジアゼピンは５個の脱保護アミノ酸樹脂の各々を８個の２−アミノベンゾフェノンイミンで処理して合成した。
Ｃｈｅｎら、Ｊ． Ａｍ． Ｃｈｅｍ． Ｓｏｃ．， １１６：２６６１−６２ （１９９４）は蟻酸エステルのパイロット（９メンバー）組合せライブラリーの調製を記載した。ポリマービーズ結合アルデヒドの調製は３つの部分に「スプリット」し、各々は３種のイリド試薬の１つと反応した。反応生成物は一緒にして、３つの新しい部分に分け、その各々は異なるマイケルドナーと反応させた。化合物の同定はガスクロマトグラフィ／マススペクトロスコピイ分析によって単一ビーズ基準で決定できることが見出された。
【０１０２】
Ｈｏｌｍｅｓ， ＵＳＰ ５，５４９，９７４（１９９６）はチアゾリジノンおよびマタチアザノンのライブラリーの組合せ合成のための方法論を示した。これらライブラリーはアミン、カルボニル化合物、およびチオールを環化状態で組み合わせて行う。
Ｅｌｌｍａｎ， ＵＳＰ ５，５４５，５６８ （１９９６）はベンゾジアゼピン、プロスタグランジン、ベータ−ターン擬態、およびグリセロール−基礎化合物の組合せ合成を記載する。
Ｓｕｍｍｅｒｔｏｎ， ＵＳＰ ５，５０６，３３７（１９９６）は形態サブユニット構造を優勢に形成した組合せライブラリーを調製する方法を開示する。
複素環式組合せライブラリーは一般にＮｅｆｚｉら、Ｃｈｅｍ． Ｒｅｖ．， ９７：４４９−４７２ （１９９７）で検討される。
【０１０３】
ライブラリーは好ましくは各メンバーが明らかにされるように合成され、メンバーが活性であることが示されたなら、必ずしも分析を必要としない。次のものを含む同定のいくつかの方法が提案された：
（１）符号化、すなわち、固有のメンバーよりも容易に同定される部分の各メンバーへの結合。これはタグがそれ自体共役体の活性に影響される欠点がある。
（２）空間的なアドレッシング、例えば、各メンバーはマトリックス上または中で、または特別のチャンバ内の特定の座標でのみ合成される。これは、例えば、特定のピンの位置、またはミクロ力価プレートの特定のウェル、または「ティバッグ」内である。
本発明は同定の任意の特定の形態に制限されない。
しかし、種々の構築ブロックの特徴ある分光器のしるしに基づき、活性であることが見出されるライブラリーのメンバーを単に特徴づけることができる。
固相合成は誘導体が形成されるより大きなコントロールを可能にする。しかし、固相は活性に干渉できる。この問題を解消するため、合成の後にしかしスクリーニングの前に、各メンバーの若干またはすべての分子を遊離させることができる。
【０１０４】
評価される候補の簡単なライブラリーの例は次の誘導体を含む：
１のヘテロ原子を含む環状化合物
ヘテロニトロゲン
ピロール
ペンタ置換ピロール
ピロリジン
ピロリン
プロリン
インドール
ベータ−カルボリン
ピリジン
ジヒドロピリジン
１，４−ジヒドロピリジン
ピリド［２，３−ｄ］ピリミジン
テトラヒドロ−３Ｈ−イミダゾ［４，５−ｃ］ピリジン
イソキノリン
テトラヒドロイソキノリン
キノロン
ベータ−ラクタム
アザビシクロ［４．３．０］ノネン−８−オンアミノ酸
ヘテロオキシゲン
フラン
テトラヒドロフラン
２，５−二置換テトラヒドロフラン
ピラン
ヒドロキシピラノン
テトラヒドロキシピラノン
ガンマ−ブチロラクトン
ヘテロ硫黄
スルフォレン
２またはそれ以上のヘテロ原子をもつ環状化合物
複合ヘテロ窒素
イミダゾール
ピラゾール
ピペラジン
ジケトピペラジン
アリルピペラジン
ベンジルピペラジン
ベンゾジアゼピン
１，４−ベンゾジアゼピン−２，５−ジオン
ヒダントイン
５−アルコキシヒダントイン
ジヒドロピリミジン
１，３−二置換−５，６−ジヒドロピリミジン−２，４−ジオン
環状ウレア
環状チオウレア
キナゾリン
キラル３−置換−キナゾリン−２，４−ジオン
トリアゾール
１，２，３−トリアゾール
プリン
ヘテロ窒素およびヘテロ酸素
ジケロモルホリン
イソキサゾール
イソキサゾリン
ヘテロ窒素およびヘテロ硫黄
チアゾリジン
Ｎ−アクシルチアゾリジン
ジヒドロチアゾール
２−メチレン−２，３−ジヒドロチアゼート
２−アミノチアゾール
チオフェン
３−アミノチオフェン
４−チアゾリジノン
４−メラチアザノン
ベンズイソチアゾロン
ライブラリーの合成の詳細はＮｅｆｚｉら、Ｃｈｅｍ． Ｒｅｖ．，９７：４４９−７２ （１９９７）を参照、ここに引用した参考文献として組み込む。
非生物発生および他の突然変異ペプチド
予期された細胞基礎アッセイによってスクリーニングされた組合せライブラリーのペプチドはその細胞で発現されるが、したがって生物発生でなければならず（２０個の遺伝学的に符号化されたアミノ酸）、一旦そのように結合ペプチドが同定されると、同様の非生物発生ペプチドを調製でき、それらの活性をテストできる。
【０１０５】
アミノ酸はペプチドとタンパク質が構築される基本的構築ブロックである。アミノ酸はアミノ基（−ＮＨ２）とカルボン酸基（−ＣＯＯＨ）の両方をもつ。多くのアミノ酸は、全部ではないが、構造ＮＨ２−ＣＨＲ−ＣＯＯＨをもち、式中のＲは水素、または種々の官能基のいずれかである。
遺伝学的に符号化されるＡＡｓのうち、全セーブグリシンは光学的に異性体であるが、Ｌ−形態のみがヒトに見出される。にもかかわらず、これらアミノ酸のＤ−形態は生物学上重要である；Ｄ−ｐｈｅは、例えば、既知の鎮痛薬である。
多くの他のアミノ酸も知られており、２−アミノアジピン酸；３−アミノアジピン酸；ベータ−アミノプロピオン酸；２−アミノブチル酸；４−アミノブチル酸（ピペリジン酸）；６−アミノカプロン酸；２−アミノヘプタン酸；２−アミノイソブチル酸；３−アミノイソブチル酸；２−アミノピメリン酸；２，４−ジアミノブチル酸；デスモシン；２，２’−ジアミノピメリン酸；２，３−ジアミノプロピオン酸；Ｎ−エチルグリシン；Ｎ−エチルアスパラギン；ヒドロキシリジン；アロ−ヒドロキシリジン；３−ヒドロキシプロリン；４−ヒドロキシプロリン；イソデスモシン；アロ−イソロイシン；Ｎ−メチルグリシン（サルコシン）；Ｎ−メチルイソロイシン；Ｎ−メチルバリン；ノルバリン；ノルロイシン；およびオルニチンを含む。
【０１０６】
ペプチドはアミノ酸および／またはさらに小さいペプチドの縮合によって構築される。１のアミノ酸（またはペプチド）のアミノ基は第二のアミノ酸（またはペプチド）のカルボン酸基と反応し、ペプチドボンド（−ＮＨＣＯ−）を形成し、１分子の水を放出する。従って、アミノ酸がペプチドに組み込まれるとき、技術的に言うと、アミノ酸残基と称されなければならない。
その残基のコアは他の残基にそれを結合する−ＮＨおよび−ＣＯ結合官能基を除外する部分である。この部分は１またはそれ以上の主鎖原子（下記）および結合した側鎖からなる。
各ＡＡの主鎖部分は−ＮＨおよび−ＣＯ結合官能基およびコア主鎖部分からなる。通常後者は１の炭素原子である。しかし、コア主鎖部分は追加の炭素原子を含み、また窒素、酸素または硫黄原子を含み、共に１本鎖を形成する。好適例ではコア主鎖原子は単に炭素原子からなる。
側鎖はコア主鎖原子に結合する。アルファアミノ酸に対し、側鎖はアルファ炭素に結合し、各残基のＣ−１，Ｃ−２およびＮ−２は主鎖の繰り返しユニットを形成し、「側鎖」の語はＣ−３およびより大きい数の炭素原子およびそれらの置換基である。また主鎖原子に結合したＨ原子を含む。
アミノ酸は、ペプチドボンドに関係するカルボニル炭素とアミノ窒素間の主鎖に現れる炭素原子数により分類される。天然産の１５０またはそれくらいのアミノ酸の中で、アルファ、ベータ、ガンマおよびデルタアミノ酸が知られている。これらは１−４の媒介炭素をもつ。イプシロンアミノ酸（５の媒介炭素）は市販されている。アルファアミノ酸のみがタンパク質中にある。プロリンはアルファアミノ酸の特別な場合である；その側鎖はまたペプチドボンド窒素に結合する。
【０１０７】
ベータおよびさらに高次のアミノ酸は、主鎖コア炭素にＨのほかの側鎖が結合する選択がある。好適な結合部位はＣ−２（アルファ）炭素、すなわち、−ＣＯ結合官能基のカルボキシル炭素に近いものである。また１以上の主鎖原子がＨのほかの側鎖をもつことができる。しかし、好適例では、１の主鎖コア原子のみがＨのほかの側鎖をもつ。
主鎖炭素原子は１または２の側鎖をもつことができる；１がより普通である。側鎖は主鎖炭素原子にシングルまたはダブルのボンドによって結合できる；前者がより一般的である。
ペプチドは、ペプチジル（−ＮＨＣＯ−）ボンドによって共に結合した複数のアミノ酸残基からなる。生物発生ペプチドは残基がすべて遺伝子学的に符号化されたアミノ酸残基であるペプチドである；生物発生ペプチドが実際に遺伝子発現によって生成される必要はない。
【０１０８】
本発明のペプチドは配列がこの明細書に開示されるペプチドを含み、または配列が１以上ではない非保守的置換および／または１またはそれ以上の保守的置換、好ましくは単一より多くない保守的置換によってのみ異なる。置換基は非遺伝学的に符号化された（外来の）アミノ酸であり、その場合、得られたペプチドは非生物発生である。好ましくは、ペプチドは生物発生である。
ペプチドが細胞中で発現されるならば、そのアミノ酸全体は生物発生でなければならない（細胞が発現後一定のアミノ酸に変えるように処理されるか、またはペプチドがインヴィトロで改修され変更されない限り）。非生物学的に（例えば、メリフィールドタイプ合成）または半合成によって生成されるならば、非生物発生アミノ酸を含むことができる。
本発明内の追加のペプチドはリードタンパク質の系統的突然変異生成によって同定される、例えば
（ａ）全ての可能な単一置換（特に遺伝子学的に符号化したＡＡｓ）の、各リードペプチドの突然変異体の分離合成、および／または
（ｂ）各リードペプチドの同時二項式ランダムアラニン−走査突然変異生成、各アミノ酸位置は元のアミノ酸またはアラニンである（アラニンはすべての他のアミノ酸に対し半保守的置換である）、および／または
（ｃ）各リードペプチドの若干または全部の位置の保守的置換をサンプリングする同時ランダム突然変異生成、所定の実験に対する全配列スペースでの配列の数は、任意の配列が、活性であるならば、検出限度内にある（一般的にはこれは約１０１０以下の異なる配列を意味する）。
【０１０９】
好ましくは置換体は上記に示した突然変異誘発性の戦略によって突然変異に耐性があることが示された場所にある。
突然変異体は活性に対しテストされ、活性ならば、「本発明のペプチド」内であると考えられる。まさに不活性突然変異体が構造活性関係の我々の知識に貢献し、従ってペプチド、ペプトイド、およびペプチド擬態の設計を助力する。
ペプチドのコア配列は、Ｎ−末端、Ｃ−末端、または両方で同時にまたは連続して始まり、系統的に先端を切ることによって同定される。先端を切るのは１回に１個のアミノ酸であるが、好ましくはプロセスのスピードアップのため、１回に分子の１０−５０％である。望み通り先端を切ることが不成功ならば、最後の成功したものと最後の不成功のものとの間のあまり劇的ではない平頭の中間体まで再処理する。
多くの伸長は許容されなければならない。しかし、許容されないならば、グリシン（可撓性を導く）、およびプロリン（硬い伸長を導く）、またはタンパク質回転、ループおよびドメイン内境界に有利である他のアミノ酸のようなアミノ酸を主とするリンカーを生成する助けになる。実際に、そのようなセグメントの配列は直接リンカーとして用いられる。
好ましくは、元のアミノ酸に対する外来アミノ酸の置換体は次に示す形態をとる。
【０１１０】
（Ｉ）１またはそれ以上の親水性アミノ酸鎖を別の親水性有機ラジカルと置換、もとの側鎖の容量の２倍以下、または
（ＩＩ）１またはそれ以上の疎水性アミノ酸鎖を別の疎水性有機ラジカルと置換、もとの側鎖の容量の２倍以下。
外来性アミノ酸はアルファまたは非アルファアミノ酸（例えばベータアラニン）である。それらはＣαに２Ｒ基をもつアルファアミノ酸であり、その基は同じかまたは異なる。それらはデヒドロアミノ酸（ＨＯＯＣ−Ｃ（ＮＨ２）＝ＣＨＲ）である。
環状ペプチド
多くの天然産ペプチドは環状である。環化はペプチドコンフォメーションの安定化のための通常のメカニズムであり、これによってそのリガンドとペプチドの結合を改善し、したがって生物活性を改善する。環化は通常イントラ−鎖システイン形成、側鎖間またはＣ末端間のペプチドボンドの形成により行われる。
ペプトイド
１またはそれ以上のペプチドボンドが同じか異なる偽ペプチドボンドによって置換されるペプチドの類似体である。
そのような偽ペプチドボンドは次に挙げる。
【０１１１】
カルバΨ（ＣＨ２−ＣＨ２）
デプシΨ（ＣＯ−Ｏ）
ヒドロキシエチレンΨ（ＣＨＯＨ−ＣＨ２）
ケトメチレンΨ（ＣＯ−ＣＨ２）
メチレン−ｏｃｙ ＣＨ２−Ｏ−
還元したＣＨ２−ＮＨ
チオメチレンＣＨ２−Ｓ−
チオペプチドＣＳ−ＮＨ
Ｎ−変更した−ＮＲＣＯ−
レトロ−Ｉｎｖｅｒｓｏ −ＣＯ−ＮＨ−
単一ペプトイド分子は１種以上の偽ペプチドボンドを含む。それは正常ペプチドボンドを含む。
【０１１２】
１またはそれ以上のリードペプチドに関するペプトイドに対し構成されたペプトイドライブラリーは、 合成またはスクリーニングされる。ペプトイドライブラリーはまた真ペプチドからなる。ペプトイドライブラリーに多様性を導入するため、（１）偽ペプチドボンドによって結合されたモノマーのコア主鎖原子に結合した側鎖、および／または（２）偽ペプチドボンドの側鎖（例えば、−ＮＲＣＯ−の−Ｒ）を変えることができる。従って、１例では、アミノ酸残基ではないモノマーユニットは−ＮＲ１−ＣＲ２−ＣＯ−構造であり、式中の少なくとも１のＲ１およびＲ２は水素ではない。偽ペプチドに変化があるとき、これは−ＮＲＣＯ−またはＲ基をもつ他の偽ペプチドボンドを用いて、Ｒ基を変えることにより都合よく行われる。この場合、Ｒ基は通常は、上記で議論したように、ペプチドのアミノ酸を特徴づける側鎖の任意のものである。
偽ペプチドボンドのＲ基がライブラリーで可変でないならば、通常は小さく例えば、１０以下の原子（例えば、ヒドロキシ、アミノ、カルボキシル、メチル、エチル、プロピル）である。
ペプチド擬態
ペプチド擬態は、ペプチドのコンフォメーションの薬理学的に関連した部分を実質的に重複することによってペプチドの生物活性を模倣する分子であるが、上記のようなペプチドまたはペプトイドではない。好ましくはペプチド擬態は７００ダルトン以下の分子量である。
ペプチド擬態の普通の設計を次に挙げる：
（ａ）活性に対し応答できるファーマコフォア基の同定
（ｂ）ペプチドの活性コンフォメーションでのファーマコフォア基の空間的配列の決定
（ｃ）ペプチドの活性コンフォメーションでの空間配列を保持することができる方法でファーマコフォア基をマウントする際の薬理学的に受け入れられる鋳型の選択。
ステップ（ａ）は活性ペプチドの突然変異体を調製し活性の突然変異の効果を決定することにより行われる。また相互作用の証拠のためペプチドと受容体の複合体の３Ｄ構造、例えば、受容体の裂片へのペプチド側鎖の適合；水素結合のための潜在的部位を考察することができる。
ステップ（ｂ）は一般に、コンプレックスにおいて、ＮＭＲスペクトルまたはＸ−線回折の研究による活性ペプチドの３Ｄ構造の決定を含む。最初の３Ｄモデルはエネルギー最少化および分子動的シミュレーションによって詳細に論じられる。
【０１１３】
ステップ（ｃ）は鋳型データーベースを参照して行われる、Ｗｉｌｓｏｎら、Ｔｅｔｒａｈｅｄｒｏｎ，４９：３６５５−６３（１９９３）参照。鋳型は一般に２−８のファーマコフォアをマウントすることができ、比較的硬い構造である。後者の理由のため、芳香族構造、例えばベンゼン、ビフェニル、フェナントレンおよびベンゾジアゼピンを調製する。直交保護技術について、Ｔｕｃｈｓｃｈｅｒｅｒら、Ｔｅｔｒａｈｅｄｒｏｎ，１７：３５５９−７５（１９９３）参照。
ペプトイドおよびペプチド擬態の更なる情報は、ＵＳＰ ５，８１１，３９２， ＵＳＰ ５，８１１，５１２， ＵＳＰ ５，５，７８，６２９， ＵＳＰ ５，８１７，８７９， ＵＳＰ ５，８１７，７５７， ＵＳＰ ５，８１１，５１５参照。
類似体
開示されたペプチド、および関心のある活性をもつ他の化合物も興味あるものである。
類似体は、その化学構造に基づき、化合物に切り刻んだビットマップ構造のフィンガープリントを割り当て、幅広い化学データーベスでの各化合物のそれをフィンガープリントの類似性を決定することによって同定される。フィンガープリントは１９９９年１月８日現在最新のソフトウェア公開によれば、Ｄａｙｌｉｇｈｔ Ｃｈｅｍｉｃａｌ Ｉｎｆｏｒｍａｔｉｏｎ Ｓｙｓｔｅｍｓ，Ｉｎｃ．によってその目的のために市販されたフィンガープリントソフトウェアによって決定される。本質において、このアルゴリズムは各原子に対し、およびその最近接に対し、７ボンドの長さまでの路を用いて、ビットパターンを生じる。各パターンは擬ランダム数発生器に種として働き、そのアウトプットは１組のビットであり発現するフィンガープリントに論理的に     される。フィンガープリントは固定または大きさが変えられる。
【０１１４】
データーベースはＳＰＲＥＳＩ’９５（ＩｎｆｏＣｈｅｍ ＧｍｂＨ）、Ｉｎｄｅｘ Ｃｈｅｍｉｃｕｓ（ＩＳＩ）、ＭｅｄＣｈｅｍ（Ｐｏｍｏｎａ／Ｂｉｏｂｙｔｅ）、Ｗｏｒｌｄ Ｄｒｕｇ Ｉｎｄｅｘ（Ｄｅｒｗｅｎｔ）、ＴＳＣＡ９３（ＥＰＡ）Ｍａｙ ｂｒｉｄｇｅ ｏｒｇａｎｉｃ ｃｈｅｍｉｃａｌ ｃａｔａｌｏｇ （Ｍａｙｂｒｉｄｇｅ）， Ａｖａｉｌａｂｌｅ Ｃｈｅｍｉｃａｌｓ Ｄｉｒｅｃｔｏｒｙ （ＭＤＬＩＳ Ｉｎｃ．）， ＮＣＩ９６ （ＮＣＩ）， Ａｓｉｎｅｘ ｃａｔａｌｏｇ ｏｆ ｏｒｇａｎｉｃ ｃｏｍｐｏｕｎｄｓ （Ａｓｉｎｅｘ Ｌｔｄ．）， またはＩＢＩＯＳｃｒｅｅｎ ＳＣ ａｎｄ ＮＰ （Ｉｎｔｅｒ ＢｉｏＳｃｒｅｅｎ Ｌｔｄ．）または社内のデーターベースである。
化合物は、参照化合物のデイライトフィンガープリントに少なくとも０．８５の類似性（Ｔａｎａｍｏｔｏ 係数）をもつデイライトフィンガープリントであるならば参照化合物の類似体である。
化合物はまた、アイソスター置換によって参照化合物から概念的に引き出されるならば参照化合物の類似体である。
相同体はアルキル部位のメチレン基の数の増減により異なる化合物である。
【０１１５】
標準的なアイソスターはエルレンマイヤー定義「電子の周辺層が同一と考えられる原子、イオンまたは分子」に合うものである。標準的アイソスターは次のものを含む
2004523726.tif 000012
比標準的アイソスターペアは−ＣＯ−および−ＳＯ２−、−ＣＯＯＨおよび−ＳＯ３Ｈ、−ＳＯ２ＮＨ２ および−ＰＯ（ＯＨ）ＮＨ２、および−Ｈおよび−Ｆ、−ＯＣ（＝Ｏ）−およびＣ（＝Ｏ）Ｏ−、ＯＨおよび−ＮＨ２を含む。
【０１１６】
生物学的アッセイ
本発明の主目的は生物学的アッセイのための必要性を最少にすることであるが、全く回避できない。物質の生物活性を予言するため、参照物質の無理のない数の生物活性を知らねばならない。
生物学アッセイは物質対し生物実在物の生物応答を測定または検出する。本発明は、少なくとも一部分、受容体によって媒介される応答に関係する。
生物実在物は全有機体、単離された器官または組織、新しく単離された細胞、不滅化細胞ライン、または細胞下成分（例えば膜；この語は単離された受容体を含むものとして解釈すべきではない）である。生物実在物は天然産または何らかの方法で変更された有機体であるか、またはそれから誘導される。変更は遺伝子による（放射および化学突然変異体、および遺伝子工学を含む）かまたは体腔（例えば、外科的、化学的等）による。多細胞実在物の場合は、変更は若干または全ての細胞に影響する。実在物は、アッセイ実在物でのバイオアッセイ活性と、標的有機体での生物活性との間に無理のない相互関係があるならば、標的有機体、またはその誘導体である必要はない。
【０１１７】
実在物は、多少自然である特定の環境に置かれる。例えば、培養基は、必ずしも必要ではないが、血清または血清置換物を含み、必ずしも必要ではないが、ある種の支持マトリックスを含み、静止または攪拌できる。特定の生物または化学剤を含み、または特定の物理学的パラメーター（例えば、温度）をもち、生物実在物を育て調べるつもりである。
また応答に対し検出できる生物マーカーでなければならない。細胞レベルでは、最も普通のマーカーは細胞生存および繁殖、細胞挙動（群生、運動性）、細胞形態（形、色）、および生化学活性（全ＤＮＡ合成、全タンパク質合成、および特異的代謝活性、例えば特定の栄養分の利用、例えば、酸素の消費、ＣＯ２の生成、有機酸の生成、イオンの取り込みまたは放棄）である。
生物マーカーにより生成された直接の信号は信号生成システムで、例えば、蛍光または比色信号により観察できる異なる信号に変換される。
実在物、環境、マーカーおよび信号生成システムを選択して臨床的に受け入れられるレベルの感度、特異性および正確性を達成する。
参照物質は標的受容体の組織分布に関連した適当なアッセイでテストする必要がある。例えば、胸上皮、肝臓間葉性細胞、破骨細胞および子宮上皮（特に）で発現するエストロゲン受容体に対し、適当なアッセイは、特に、胸および子宮上皮細胞増殖、破骨細胞ａｐｏｐｔｏｓｉｓ、および高密度リポタンパク質および低密度リポタンパク質のようなリポタンパク質およびトリグリセリドのような脂質の肝細胞生成を含む。
【０１１８】
特に、前立腺上皮、肝細胞または横紋筋細胞で発現するアントロゲン受容体を用いる場合、特に、前立腺肥大、増殖または前立腺上皮細胞増殖、筋細胞増殖または肥大および肝細胞毒等に対しセットした参照物質のアッセイを行うように選択される。
他の例として、心臓、脳および周辺脈管構造で発現するベータ−２−アドレナリン作用の受容体を用いるならば、心臓機能アッセイ（例えば心拍数および心電計の変化）での参照物質のテストに対し、血圧の衝撃のアッセイおよび中枢神経系内のニューロンの活性の衝撃を評価するアッセイを選択できる。
一般的用途
Ｂｉｏｋｅｙｓとしての使用のほかに、本発明のスクリーニングアッセイにより同定されたオリゴマーは、分子を結合するとき、また下記のように薬理学または診断試薬として用いられる。
【０１１９】
薬理学方法および調製
本発明の好ましい動物対象は哺乳類である。「哺乳類」の語は各々が哺乳類クラスに属することを意味する。本発明は、なお獣医学用途を予定しているが、特にヒト対象の治療に有用である。好適な非ヒト対象は霊長目（例えば、サルおよびモンキー）、偶蹄目または奇蹄目（例えば、ウシ、ブタ、ヒツジ、ウマ、ヤギ）、食肉目（例えば、ネコ、イヌ）、ゲッシ目（例えば、ラット、マウス、ギニアピッグ、ハムター）、ウサギ目（例えば、ラビット）または他のペット、農場または実験室哺乳類である。
「保護」の語は、ここでは、「予防」、「抑制」および「治療」を含む。「予防」は病気（または他の不利な臨床状態）の誘発前のタンパク質の投与を含む。「抑制」は病気が臨床的に現れる前の組成物の投与を含む。「治療」は病気が現れた後の保護組成物の投与を含む。保護は、予防を含み、絶対的である必要はない。
ヒトおよび獣医学では、最終的誘導的事象は未知で隠れており、患者は事象が発生する直後まで確かめられないので必ずしも「予防」と「抑制」を区別できない。従って、「治療」と区別するように「防御」の語を用いてここで定義される「予防」と「抑制」を含むようにすることが普通である。ここで用いるように「保護」の語は「防御」を含むことを意味する。また臨床価値をもつために十分であるとの条件で、保護は絶対的である必要はなく、有用であると理解されたい。拮抗的薬剤よりも少ない程度で保護を与える薬剤は、他の薬剤が特定の個体に無効であるならば、保護のレベルを高めるための他の薬剤と組合せて用いられるならば、または拮抗的薬剤よりも安全ならば、まだ価値がある。薬は病気に効く効果、改善効果、または両方を与える。
【０１２０】
目的とする任意の手段によって、本発明の少なくとも１の薬剤を投与して、対象の病気または他の不利な状態から保護することができる。投与形態は系統的または局所的である。例えば、そのような組成物の投与は種々の非経口ルート、例えば皮下、静脈内、皮膚内、筋内、腹膜内、鼻内、経皮、または経口ルートによる。二者択一、または同時に経口ルートによって投与できる。非経口投与は丸薬注入または時間をかけた漸次潅流によって行われる。
代表的摂生は、１回投与から時間、日、週、月、または年の期間に亙る投与まで、有効量の薬剤を投与することからなる。
本発明の薬剤の適当な投与量は患者の年齢、性、健康状態、および体重、同時治療の種類、たとえあるとしても、治療頻度、および望まれる効果の性質に依存する。しかし、最適な投与量は、当業者によって理解され決定されるように、過度の実験をすることなく、各対象に合わせて調節される。これは一般的には標準投与の調節を含み、患者の体重が少ないと投与量は減らされる。
ヒトに使用する前に、薬剤はまず実験動物で安全性と有効性を評価される。ヒトの臨床研究では、問題の薬剤のための臨床前データー、および類似の薬剤（たとえあるとしても）類似の薬剤に対する慣習的投与量に基づき、ヒトで安全であることが期待される投与量で開始される。この投与量が有効ならば、投与量を減らし、所望により、最少有効量を決定する。この投与量が無効であるならば、注意して増加し、患者の副作用のサインをモニターする。例えば、Ｂｅｒｋｏｗら著、Ｔｈｅ Ｍｅｒｃｋ Ｍａｎｕａｌ，１５版、Ｍｅｒｃｋ ａｎｄ Ｃｏ．， Ｒａｈｗａｙ， Ｎ． Ｊ．， １９８７； Ｇｏｏｄｍａｎら著、Ｇｏｏｄｍａｎ ａｎｄ Ｇｉｌｍａｎ’ｓ Ｔｈｅ Ｐｈａｒｍａｃｏｌｏｇｉｃａｌ Ｂａｓｉｓ ｏｆ Ｔｈｅｒａｐｅｕｔｉｃｓ， ８版、Ｐｅｒｇａｍｏｎ Ｐｒｅｓｓ，Ｉｎｃ．，Ｅｌｍｓｆｏｌｄ， Ｎ．Ｙ．， （１９９０）； Ａｖｅｒｙ’ｓ Ｄｒｕｇ Ｔｒｅａｔｍｅｎｔ： Ｐｒｉｎｃｉｐｌｅｓ ａｎｄ Ｐｒａｃｔｉｃｅ ｏｆ Ｃｌｉｎｉｃａｌ Ｐｈａｒｍａｃｏｌｏｇｙ ａｎｄ Ｔｈｅｒａｐｅｕｔｉｃｓ， ３ｒｄ ｅｄｉｔｉｏｎ， ＡＤＩＳ ｐｒｅｓｓ ＬＴＤ．， Ｗｉｌｌｉａｍｓ ａｎｄ Ｗｉｌｋｉｎｓ， Ｂａｌｔｉｍｏｒｅ， ＭＤ． （１９８７）， Ｅｂａｄｉ， Ｐｈａｒｍａｃｏｌｏｇｙ， Ｌｉｔｔｌｅ， Ｂｒｏｗｎ ａｎｄ Ｃｏ．， Ｂｏｓｔｏｎ， （１９８５）参照、これら参照文献および引用文献は参考文献としてここに組み込まれる。
【０１２１】
各治療に用意する全投与量は複数回または一回で投与される。タンパク質は単独または、その病気に向けられまたは他の症状に向けられた他の治療剤と一緒に投与される。
適当な投与形態は病気、タンパク質、および投与方法に依存する；可能性は錠剤、カプセル、トローチ、歯磨ペースト、座薬、吸入薬、溶液、軟膏および非経口貯蔵物を含む。例えば、Ｂｅｒｋｅｒ， 上記， Ｇｏｏｄｍａｎ， 上記， Ａｖｅｒｙ， 上記およびＥｂａｄｉ，上記をここに引用した参考文献を含め、参考文献として組み込む。
ペプチド薬剤の場合、薬剤は、患者の細胞の遺伝子成分に組み込んだ後、ベクターのようなペプチドを符号化する核酸からなる発現ベクターの形で投与され、ペプチド合成に向けられる。適当なベクターは非病原性があるかまたは示した遺伝子工学のポックスビールス（ワクチン）、アデノビールス、アデノ結合ビールス、ハイパースビールスおよびレンチビールスを含む。
ここに記載した少なくとも１の薬剤の他に、薬理学組成物は適当な薬理学的に受け入れられるキャリヤ、例えば補形薬、薬理学的に用いられる製剤に活性化合物を加工処理しやすいキャリヤおよび／または補助薬を含む。例えば、Ｂｅｒｋｅｒ， 上記， Ｇｏｏｄｍａｎ， 上記， Ａｖｅｒｙ， 上記およびＥｂａｄｉ，上記をここに引用した参考文献を含め、参考文献として組み込む。
【０１２２】
診断アッセイ
予備的スクリーニングアッセイを用いて不確実な活性の化合物の活性を決定するが、診断アッセイは診断試薬として、既知の結合活性の結合分子、またはその共役体または誘導体を用いる。
以下の診断方法及び薬品の議論のために、「結合分子」は本発明のペプチド、ペプトイド、ペプチド擬態または他の類似体、または本発明のオリゴヌクレオチドであり、被検体または被検体の結合相手を結合する。被検体は標的タンパク質である。
インヴィトロアッセイ方法および試薬
インヴィトロアッセイは診断アッセイ（既知の結合分子を用いて被検体を検出または測定する）またはスクリーニングアッセイ（潜在的結合分子が実際に標的を結合するかどうかを決定する）である。これら２つのタイプのアッセイは非常に類似しており、以下の記述では被検体に対し１１２の診断アッセイに言及しているが、それは、必要な変更を加えて、標的に結合するため分子をスクリーニングするのに応用する。 本発明のインヴィトロアッセイは任意の適当な被検体を含むサンプルに応用でき、定性的および定量的である。
被検体の存在を検出し、または分量を測定するために、アッセイは信号生成システム（ＳＰＳ）を提供し、そこでは、被検体が存在するかしないかどうか（または、定量的アッセイでは、被検体の量）によって、生成した信号に検出できる差がある。この信号は、１またはそれ以上の観察できる生の信号であるか、またはそれから引き出される。
【０１２３】
特定の状態に対する生の信号（例えば、被検体の存在または量）は観察できるパラメーターのレベル、または１またはそれ以上の観察できるパラメーターのレベルに依存する機能のレベルである。信号は生の信号の差であり、アッセイによって識別される状態に依存する。
信号は直接（被検体が増加すると増加する）または逆（被検体が増加すると生の信号が減少する）である。信号は絶対的（１の状態で、全く生の信号を検出できない）または相対的（生の信号のレベルの変化、または生の信号のレベルの変化の割合）である。信号は値が別個（イエスかノウ、あるしきい値に関係する生の信号のレベルによる）または連続である。信号は単純（単一の生の信号に基づく）または複雑（複数の生の信号に基づく）である。
検出できる生の信号は目視できるか、または機械でのみ検出できるものである。可能な生の信号は着色または蛍光生成物の生成、アッセイ成分または生成物による発光の吸収または放射の特性の変化（振幅または分極を含む）、および成分または生成物の沈殿または凝集を含む。生の信号は手動または自動でモニターされる。
【０１２４】
診断試薬と最も密に結合する信号生成システムの成分は「標識」と呼ばれる。標識は、例えば、放射性同位元素、発蛍光団、酵素、補酵素、酵素基体、電子密集化合物、または凝集可能粒子である。１の診断試薬は、本発明の結合分子と標識の直接または間接の、共有または非共有の共役体である。
放射活性アイソトープはガンマカウンターまたはシンチレーションカウンターを使用するような方法によってまたはオートラジオグラフィによって検出される。本発明のために特に有用なアイソトープは３Ｈ、１２５Ｉ、１３１Ｉ、３５Ｓ、１４Ｃ、および好ましくは、１２５Ｉである。
また化合物を蛍光化合物で標識づけすることも可能である。蛍光標識付けされた抗体を適当な波長の光に曝すとき、その存在は蛍光により検出される。最も普通に用いられる蛍光標識付けする化合物はフルオレセインイソチオシアネート、ローダミン、フィコエリトリン、フィコシアニン、アロフィコシアニン、ｏ−フタルデヒドおよびフルオレスカミンである。
【０１２５】
代わりに、蛍光放射金属、例えば１２５Ｅｕ、またはランタン系列の他のものを、エチレンジアミン四酢酸（ＥＤＴＡ）またはジエチレントリアミン五酢酸（ＤＴＰＡ）のような金属キレート基を用い結合タンパク質に結合することができる。
結合分子はまた化学発光化合物にカップリングすることにより標識付けして検出できる。化学発光化合物の存在を次に、適当な反応物を用意した後、化学反応の最中に生じる発光の存在を検出することによって、検出する。特に有用な化学発光標識付け化合物の例はルミノール、イソルミノール、熱アクリジニウムエステル、イミダゾール、アクリジニウム塩および蓚酸エステルである。
同様に、生物発光化合物を用いて結合分子を標識付けすることができる。生物発光は、触媒作用タンパク質が化学発光反応の効率を増加する生物システムで見出された化学発光のタイプである。生物発光タンパク質の存在はルミネセンスの存在を検出することにより決定される。標識付けするための重要な生物発光化合物はルシフェリン、ルシフェラーゼおよびエクオリンである。
セイヨウワサビパーオキシダーゼおよびアルカリホスファターゼのような酵素標識が好ましい。酵素標識を用いる場合、信号生成システムはまた酵素のための基体を含む必要がある。酵素反応生成物それ自体が検出できないならば、ＳＰＳは検出できる生成物が現れるように１またはそれ以上の追加の反応物を含む。
【０１２６】
アッセイは２つの基本タイプ、不均一および均一に分けられる。不均一アッセイでは、アフィニティ分子と被検体との間の相互作用は標識に影響せず、従って被検体の量または存在を検出するため、結合した標識を標識を含まないものから分離しなければならない。均一アッセイでは、相互作用は標識の活性に影響し、従って被検体レベルは分離ステップを必要とせずに導き出される。
一般に、本発明の標的結合分子は標的結合抗体を用いると同じ方法で診断に用いられる。従って、アッセイフォーマットに依存して、または標的に結合する他の物質を拮抗的に阻害して、標的をアッセイに用いることができる。サンプルは通常生物流体、例えば血液、尿、リンパ液、精液、乳、または脳脊髄液、またはそれらのフラクションまたは誘導体、または、例えば、組織断片またはホモジェネートの形で、生物組織である。しかし、サンプルは、考えられるところでは食物または飲料、薬理学または診断の組成物、土、または表面または地表の水である（かまたはそれらから引き出される）。生物流体または組織であるならば、ヒトまたは他の哺乳類、脊椎動物または動物から、または植物から取り出される。好ましいサンプルは血液、またはそのフラクションまたは誘導体である。
一例では、結合分子は高分子基体に結合することによって不溶化され、サンプル内の標的は既知量の標識を付けたまたは特異的に標識を付けることができる標的類似体と反応させることができる。（結合分子の高分子基体への共役は本発明内の別の診断薬である。）「標的類似体」は結合分子に結合するための標的と反応することができる分子であり、その語は標的それ自体も含むことを意図する。既に標識を付けることができるか、または確実な標的からの標的類似体を区別する部分に、標識を特異的に結合することによって後に標識を付けることができる。土または液体相を分離し、１相の標識を付けた標的類似体を定量する。土の相の標的類似体のレベル、すなわち結合分子への固着が高いほど、サンプル中の標的被検体のレベルが低くなる。
【０１２７】
「サンドイッチアッセイ」では、不溶化標的結合分子、および標識を付けた標的結合分子が用いられる。標的被検体は不溶化標的結合分子によって捕獲され、標識を付けた標的結合分子によって標識を付けられ、第三の複合体を形成する。試薬は順にまたは同時にサンプルに加えられる。標的結合分子は同じかまたは異なり、一つのみが本発明による標的結合分子である必要がある（他は、例えば、抗体またはその特異的結合フラグメントである）。第三の複合体の標識を付けた標的結合分子の量はサンプル中の標的被検体の量に正比例する。
上記の２例は共に不均一アッセイである。しかし、均一アッセイは考えられる。その鍵は標識が複合体を形成するかどうかによって影響されることである。
標識は、共有（例えばＳＰＤＰを用いて）または非共有により標的結合分子に直接または間接に（例えば、標識を付けた抗標的結合分子抗体によって）共役し、診断試薬を生成する。同様に、標的結合分子は土相基体に共役し土相（「捕獲」診断試薬を形成することができる。適当な基体はガラス、ポリスチレン、ポリプロピレン、ポリエチレン、デキストラン、ナイロン、アミラーゼ、天然または変更セルロース、ポリアクリルアミド、アガロース、およびマグネタイトを含む。キャリヤの性質は、本発明のためにある程度まで可溶性または不溶性であることができる。支持体物質は、結合分子がその標的に結合することができるほど長く、任意の可能な構造配置を事実上、有することができる。従って支持体配置はビーズのように球状か、または試験管の内側表面または棒の外側表面のように円筒状である。あるいは、表面はシート、試験片等のように平らである。
【０１２８】
インヴィヴォ診断用途
被検体結合分子はインヴィヴォ結像のために用いられる。
放射性同位元素を使った標識結合分子はヒトまたは動物の被験体に投与される。投与は代表的には注射によって、例えば、適当な放射性同位元素を使った検出デバイスを用いる次の動的および／または静的結像を可能にするために十分な量での静脈内または動脈内または他の手段の投与による。好ましい投与量は診断に有効な像を与えることができる最少量であり、既知の放射性同位元素を使った結像剤をガイドとして用い、当該分野の通常の方法によって決定される。
代表的には、結像は被検体の全身で、または研究下の状態または病気に関連した身体または器官の一部で行われる。放射性同位元素を使った標識結合分子は累積した。放射性同位元素を使った標識結合分子の量は、結局は関連した標的器官での所定の地点で、定量することができる。
特に適当な放射性同位元素を使った検出デバイスはシンチレーションカメラ、例えばガンマカメラである。シンチレーションカメラは固定デバイスであり、放射性同位元素を使った標識結合分子の分布を結像するために用いられる。カメラの検出デバイスは放射性崩壊を検知し、その分布を記録することができる。結像システムにより生じたデーターはデジタル化される。デジタル化された情報は不連続または連続して時間で分析される。デジタル化したデーターは、結局は別々の地点で標的器官中の放射性同位元素を使った標識結合タンパク質の取り込みパターンのフレームと呼ばれる像を生成するように処理される。最も連続した（動的）研究では、定量データーは時間に関して標的器官の放射性崩壊の分布における変化を観察して得られる。換言すれば、データーの時間−活性分析は時間とともに標的器官により放射性同位元素を使った標識結合分子の浄化値によって取り込むことを示す。
【０１２９】
適当な放射性同位元素を選択する際に種々のファクターが考慮される。放射性同位元素は結像の際に良質の分解能を得る観点で選択され、好ましくはヒトおよび哺乳類での診断用には安全でなければならず、好ましくは半減期を短くし、身体が受ける放射線の量を減らすようにしなければならない。使用した放射性同位元素は好ましくは薬理学的に不活性で、投与量において、どんな重要な生理的影響ももたらすべきではない。
結合分子は異なるヨウ素の同位元素、例えば１２３Ｉ、１２５Ｉ、または１３１Ｉ（例えばＵ．Ｓ．特許４，６０９，７２５参照）で放射性同位元素を使った標識を付けることができる。しかし、放射性同位元素を使った標識の範囲は、結像の結果に基づきなされた計算に影響を与えるので、モニターされなければならない（すなわち、二ヨウ素化された結合分子は同じ時間フレームで類似の一ヨウ素化結合分子の放射線カウントが２倍になる）。
ヒト被検者に適用する際に、人体の全線量照射をを減らし、標識を付けた分子（この放射性同位元素は環境が許すならば用いられる）の検出可能性を最適にするために、１２５Ｉとは違う放射性同位元素を用いることが好ましい。迅速に臨床用に入手できることもファクターである。従って、ヒトに適用するため、好ましい放射性同位元素を使った標識はたとえば、９９ｍＴｃ，６７Ｇａ、６８Ｇａ、９０Ｙ、１１１Ｉｎ、１１３ｍＩｎ、１２３Ｉ、１８６Ｒｅ、１８８Ｒｅまたは２１１Ａｔである。
放射性同位元素を使った標識結合分子は種々の方法により調製される。これらは、例えばＪ．Ｇｕｔｋｏｗｓｋａらの「Ｅｎｄｏｃｒｉｎｏｌｏｇｙ ａｎｄ Ｍｅｔａｂｏｌｉｓｍ Ｃｌｉｎｉｃｓ ｏｆ Ａｍｅｒｉｃａ： （１９８７） １６（１）：１８３により記載されたような、クロラミン−Ｔ法またはラクトパーオキシダーゼ法によるラジオハロゲン化、続くＨＰＬＣ（高圧液体クロマトグラフィ）による精製を含む。放射性同位元素を使った標識の他の既知の方法、例えばＩＯＤＯＢＥＡＤＳ（登録商標）が用いられる。
放射性同位元素を使った標識結合分子を最終のユーザーに届ける異なる方法が多くある。活性剤を哺乳類の身体における薬剤の作用する部位に届かせることができる任意の手段によって投与される。分子が経口投与するとき消化できるならば、非経口投与、例えば、静脈内、皮下、または筋内投与が通常、吸収作用を最適にするため用いられる。
【０１３０】
他の用途
本発明の結合分子はまた流体、例えば血液からの標的を精製するために用いられる。このために、標的結合分子は好ましくは固相支持体に固定化される。そのような支持体は固相診断試薬を調製する際に有用であるとして既に述べたものを含む。
一般に、ペプチドは電気泳動またはクロマトグラフィによるペプチドの分離または精製において参照用分子量マーカーとして用いられる。多くの場合、ペプチドは分子量マーカーとして使うために変性する必要がある。ペプチドの第二の一般的用途は栄養源として加水分解したペプチドを使用することである。加水分解したペプチドは通常、微生物を培養するための生長媒体成分、ならびにヒトの消費のための食物成分として用いられる。酵素または酸の加水分解は通常、遊離アミノ酸となって完了するか、または一部、ペプチドとアミノ酸を生成するかのいずれかで行われる。しかし、酸加水分解とは違い、酵素加水分解（タンパク質分解）は存在する非アミノ酸官能基を除去しない。またペプチドを用いて溶液の粘度を増加することができる。
本発明のペプチドは任意の前記目的のため、ならびにこの明細書の前の方で議論したような治療および診断の目的のために用いられる。
【０１３１】
【実施例】
以下、本発明を実施例に基づき説明する。
細胞受容体の活性化を仲介する結合をもつペプチドライブラリーの細胞内スクリーニング
これらの実施例においては、細胞に基づく試験法を用いることで受容体と結合するペプチドをスクリーニングすることが可能であることを示すことができる。さらには、これら試験法の実施例においては、受容体は配位されていて、このため細胞に基づく試験法を用いることで潜在的な生物学的な鍵をスクリーニングすることが可能であることを実施例は示す。我々は、これを細胞内スクリーニングと呼ぶ。なぜならば、結合時、細胞中においては、溶液中に遊離または非生物担体上に固定化されているよりも、受容体はより自然な状況であるからである。
【０１３２】
実施例５０１  エストロゲン受容体
Ｇａｌ４ ＤＮＡ結合領域へのカルボキシ末端融合としてのＬＸＸＬＬモチーフ（前に確認したように、エストロゲン受容体に結合するペプチドに通常である）を含んでいる定方向ペプチドライブラリー（Ｘ５ＬＸＸＬＬＸ５）を、〜×１０７の独立のペプチド混合物全体から構成した。ＬＸＸＬＬモチーフライブラリーペプチドは、変性ＤＮＡ配列（ＮＮＫ）５ＴＴＡ（ＮＮＫ）２（ＴＴＡ）２（ＮＮＫ）５（ＳＥＱ ＩＤ ＮＯ：２６５）によってコード化される。ＴＴＡは酵母菌のＬｅｕコドンから優先される。ＮＮＫは停止コドンをコード化するので、生成される幾つかのペプチドは１５ａ． ａ．よりも短くなるだろう。最も短い相互作用ペプチドは１０−ｍｅｒｓ．になるだろう。このライブラリーは、Ｇａｌ４活性化領域へのカルボキシ末端融合としてエストロゲン受容体（ＥＲ）αを発現するサッカロミセス・セルヴィシエＰＪ６９−α酵母菌株に形質転換される。以下のプラスミドライブラリーとの形質転換、すなわちペプチドおよびＥＲαの相互反応は、１００ｎＭエストラジオールおよび２５ｍＭ  ３−アミノトリアゾールを含むが、ロイシン、トリプトファン、およびヒスチジンは含まない培地を用いて選択した。ＨＩＳ３レポーターに組み込まれたＧＡＬ４を誘発することで成長可能になったこれらのコロニーを、０．５ｍｌブロック中の０．２５ｍｌ富培地へ移動した。この懸濁液の０．２５μｌを、１００ｎＭエストラジオールとともに／またはなしに、上記同様同じ選択培地へ載置した。
ヒスチジン欠乏培地上に成長したエストラジオール−依存性を示したコロニーについて、リガンド依存性を確認するために、β−ガラクトシダーゼ活性を使用して第二のスクリーニングにかけた。細胞懸濁液の希釈液（１：１０）を、５００ｎＭエストラジオールとともに／およびなしに、２００μｌ富培地中に作り、９６−穴プレート中で、３０℃、一夜成長させた。細胞を遠心分離によってペレット化し、培地を除去し、そして細胞を、２．５％ ＣＨＡＰＳ（３−（３−コルアミドプロプル）ジメチルアンモニオ−ｌ−プロパン硫酸）洗浄剤を含む緩衝液によって溶解した。細胞密度をもったそれぞれの穴のβ−ガラクトシダーゼ活性の標準化のために、予備的なＯＤ６００を定量した。基質を含んだ緩衝液（クロロフェノール レッド−β−ガラクトピラノシド、ＣＰＲＧ、ベーリンガー＝マンハイム）を加えて、生成物発生によるＯＤ５９５の増加によって反応をモニターした。各穴のβ−ガラクトシダーゼ活性を最初のＯＤ６００に標準化し、５００ｎＭエストラジオールの存在のもと／および非存在下、標準化したβ−ガラクトシダーゼ活性を用いて定められたリガンドによって誘導された変化を決定した。０．５と等しいかあるいはそれ以上の値を示した酵母菌クローンを、同様の方法を用いて評価した。検証したクローンを、次に、β−ガラクトシダーゼ活性を誘導するリガンドの最終試験にかけた。酵母菌タンパク質抽出物を調製し、エストラジオールとともに／なしの培地からの同量のタンパク質を用いて活性を評価した（Ｆｉｇ．１）。最大のβ−ガラクトシダーゼ活性を誘導されたリガンドを示す１０のクローンを、さらに実験した。
ペプチドを含むプラスミドを、酵母菌細胞から単離し、アミノ酸配列（Ｔａｂｌｅ ５０１）をライブラリーインサートのＤＮＡ配列決定によって推測した。Ｔａｂｌｅ ５０１中、下線を引いた配列は、ベクターＤＮＡによってコード化され、そして”＊”はベクターの内因性停止コドンを表し、そしてクローニング部位の下流である。幾つかのペプチドはベクター−コード化ＬＤＬＱＰＳ（ＳＥＱ ＩＤ ＮＯ：２６６）配列を含んでいる。Ｂ５Ｈ１０は二重挿入の結果であると考えられており、相補性配列によってコード化された第二の部分をもっている。ペプチドＢｌＡｌおよびＢｌＧ８は、他の分離物よりも短く、これはこれらをコード化しているクローンが早発性停止コドン、これはＮＮＫライブラリー中に固有、を持っているためである。フレームシフトのために、ペプチドＢ６ＡｌあるいはＢ３Ｅ２ともに、ベクターＤＮＡによってコード化された配列を含まない。
新しく単離したペプチドは、ファージを用いてこれまでに単離したペプチド表示と高いレベルの相同性をもつ。
これらのペプチドライブラリーメンバー配列を、Ｈｕｈ−７ヒト肝癌細胞中のＥＲαとともに特に相互反応する能力について、変更した哺乳類２−ハイブリッドシステム中で実験した。
用語「変更した」を使用したのは、（１）このシステムがリガンドに依存し、そして（２）核受容体−活性領域構造（酵母菌Ｇａｌ４の）が、通常の（ライブラリーペプチド）−（ＡＤ）構造の代わりに使用されているからである。単離したライブラリープラスミドインサートを、酵母菌Ｇａｌ４ ＤＢＤ哺乳類２−ハイブリッドベクター中へ生成物のサブクローニングを可能とする都合のよい制限部位をもったプライマーを用いて、ＰＣＲ増幅した（ｐＭ、Ｃｌｏｎｅｔｅｃｈ）（クローニング製法）。Ｆｉｇ．２は、これらのペプチドが酵母菌システム中でＥＲαと同じかまたはそれ以上の程度で相互反応することを示し、このペプチドの同定法の使用が適切であることを確証する。酵母菌２−ハイブリッドシステムを使用した特異的ＥＲペプチドを見出すことに我々が成功したことにより、これと同じシステム、または他の酵母もしくは哺乳類２−ハイブリッド分析システムを使用して、他の受容体と結合するペプチドを同定することができるであろう。特筆すべきは、核受容体がそれ自身のＤＮＡ−結合部位および活性化部位を持ち、それゆえ外来性ＤＢＤおよびＡＤの存在と干渉する可能性があるにもかかわらず、このシステムが成功したことである。
【０１３３】
実施例５０２  アンドロゲン受容体
酵母中での発現のために、Ｇａｌ４ ＤＢＤと融合するペプチドの不偏性ライブラリー（Ｘ１５）を産生した。このライブラリーは、核受容体領域と相互反応することのできるモチーフを同定するために、１５の任意のアミノ酸残基／ペプチドを多く含んでいた。リガンドが細胞に供給されると、リガンドと結合した受容体と相互反応するペプチドをスクリーニングすることができる。これらのペプチドのうちいくつかはその結合活性においてリガンド−特異的であるだろう。配列（ＮＮＫ）１５（ＳＥＱ ＩＤ ＮＯ：２６７）の合成オリゴヌクレオチドを使用して任意のライブラリーを作った。ここでＫ＝Ｇ／Ｔである。ＮＮＫは一の停止コドンをコード化し、このため、いくつかのペプチドは１５ａ． ａ．よりも短く、５ａ． ａ．程度の短いペプチドも結合活性を持つ可能性がある。合成制限エンドヌクレアーゼ開裂部位、ＥｃｏＲ１またはＭｆｅ Ｉ（５’末端）およびＳａｌ Ｉ（３’末端）が、オリゴヌクレオチドの末端に含まれていた。オリゴヌクレオチドをアニーリングし、次に過剰の制限エンドヌクレアーゼによって開裂し、アガロースゲル上で精製した。精製したオリゴヌクレオチドのセットを、Ｇａｌ４ ＤＮＡ結合領域（プラスミドベクターｐＭＡ４２４誘導体）へのカルボキシ末端融合の枠組中でサブクローニングした。ライブラリープラスミドバンクを、酢酸リチウム法によって、組み込まれたＨＩＳ３（配列沈着物ＧＩ：３７８０イミダゾールグリセロールリン酸デヒドラターゼＣＡＡ ２７００３）の上流に位置するＧａｌ４ ＤＮＡ結合部位要素を含むサッカロミセス・セレヴィシエ（ＰＪ６９―４α ＭＡＴα ｔｒｐｌ−９０１ ｌｅｕ２−３、１１２ ｕｒａ３−５２ ｈｉｓ３−２００ ｇａｌ４Δ ｇａｌ８０Δ ＬＹＳ２：：ＧＡＬ１−ＨＩＳ３ ＧＡＬ２−ＡＤＥ ｍｅｔ２：：ＧＡＬ７−ｌａｃＺ）に形質転換し、およびＡＲ（プラスミドベクターｐＧＡＤ−Ｃ２、配列沈着物ＧＩ：１５９５８４３ Ｕ７００２５）と同枠に融合する、Ｇａｌ４転写性活性化領域（ＡＤ）を発現するプラスミドに形質転換する。この形質転換混合物を分割し、リガンドおよび２５ｍＭ ３−アミノトリアゾールを含んだ選択的な培地のプレート上で、３０℃にてコロニーが発現する３〜７日間成長させた。選択的な培地には、糖源としてデキストロースを含んでおり、アミノ酸のトリプトファン、ヒスチジン、およびロイシンを欠乏させることでペプチドライブラリーおよび受容体融合プラスミド（プラスミド上にコード化されたＴＲＰ１およびＬＥＵ２遺伝子生成物）を維持するようにし、Ｇａｌ４−Ｈｉｓ３受容体活性を必要とする。ジヒドロテストステロン（ＤＨＴ）およびメドロキシプロゲステロン（ＭＰＡ）を、１００ｎＭ培地に加えて、リガンドの存在下に受容体と相互反応するペプチドを同定した。コロニー出現後、これらを採取してから、富培地を含んでいる９６−穴プレートの穴にそれぞれ撒布した（ＹＰＤ）。
リガンド依存性を決定するために、二つのマイクロリッターアリコットを細胞懸濁液から除去し、そして、一つが１００ｎＭリガンドであり一つがリガンドなしである二つの方形寒天板上にそれぞれ並べて配置した。成長を毎日観察した。
リガンド依存活性化の第二の試験を、ＧＡＬ４を組み込まれたｌａｃＺ遺伝子を用いて行った。当初ポジティブであったクローンの細胞懸濁液を、マイクロプレート中の富培地２０μｌ中に２０倍に希釈して、リガンドの存在／または非存在において３０℃で一晩成長させた。マイクロプレートを揺動台中において３０００ｒｐｍで５分間遠心分離にかけ、酵母菌細胞をペレットし、そして上にある培地を吸引した。細胞を次に２．５％ＣＨＡＰＳを含む緩衝液１０μｌ中に溶解した。ＯＤ６５０密度決定をして、β−ガラクトシダーゼ活性を標準化した。クロロフェノール・レッド−β−ガラクトピラノシド（ＣＰＲＧ）（Ｂｏｅｈｒｉｎｇｅｒ Ｍａｎｎｈｅｉｍ）基質を含んだ緩衝液を最終濃度が０．５ｍＭになるように加えてから、β―ガラクトシダーゼ活性を測定した。実験中の１０分間、Ｖｍａｘ反応速度マイクロプレートリーダーを使用して、ＯＤ５７５（またはＯＤ５９５）およびＯＤ６５０の相違を記録した。本測定の最大傾き値は、ＯＤ６５０の初期の細胞密度に規準化し、また、β−ガラクトシダーゼの相対的リガンド依存性を、リガンドのプラス・マイナス値を比較することによって決定した。Ｆｉｇ．３に示したように、マイクロプレート試験法を使用して検証したクローンを、次にタンパク質抽出物の標準液試験法を用いて、β−ガラクトシダーゼ抽出リガンド活性を試験した（Ｆｉｇ．１参照）。
【０１３４】
既知のアンドロゲン受容体（ＡＲ）リガンドは以下を包含している：
ＤＨＴ：          ジヒドロテストステロン
ＴＥＳＴ：        テストステロン
ＭＰＡ：          メドロキシプロゲステロンアセテート
ＣＰＡ、ＣＹＰ：  シプロテロンアセテート
ＲＵ４８６：      ミフェプリストン
ＤＨＥＡ：        デヒドロエピアンドステロン
ＦＬＵＴ：        フルタミド
Ｆｉｇ．３中、これらリガンドのすべてを試験した。真陽性からのプラスミドを、標準酵母抽出プロトコールを用いて抽出し、再形質転換して陽性表現形を検証した。真陽性からのペプチドは、レスキューしたプラスミドまたはプラスミドから分離したＰＣＲ生成物のＤＮＡ配列分によって推論した（Ｔａｂｌｅ ５０２ＡおよびＴａｂｌｅ ５０２Ｂ参照）。
既知のＡＲ作用薬（たとえば、テストステロン、ジヒドロテストステロン、ミボレロン）および既知の拮抗薬（たとえば、シプロテロンアセテート、フルタミド）を用い、ファージディスプレイまたは修飾二重ハイブリッド酵母発現システムを用いることで単離したペプチドの特異性を決定した。（Ｄ３０／１２６９−ペプチドはファージディスプレイにより分離、他のすべてインヴィヴォ提示の分離による）。以前に、ファージディスプレイを通じてのスクリーニングにより、エストロゲン受容体の３形（非配位、エストラジオール配位、および４−ヒドロキシタモキシフェン配位）のみを用いることで、立体配位特異的なエストロゲン受容体α結合ペプチドを同定可能なことが見出された。類似の幾つかの受容体立体配位を用いてのＡＲペプチドの単離は、修飾ＡＲへの特異的プローブの立体配位を単離するのにも十分なはずである。
哺乳類二重ハイブリッドシステムを使用して、前記酵母ライブラリーのスクリーニングを通じて、その結合活性中ではリガンド特異的である、あらかじめ特定されたＡＲ結合ペプチドの特異性を決定した。リガンドを、相互作用が観察できるように細胞に与えた。ヒト肝癌株化細胞、Ｈｕｈ−７、を二重ハイブリッドベクター、ｐＭおよびｐＶＰ１６（Ｃｌｏｎｔｅｃｈ）（Ｆｉｇ．６Ａおよび６Ｂ）のレシピエントとして使用し、それぞれには、ペプチドおよびＡＲとの融解を含んだ。Ｃｌｏｎｔｅｃｈの文献に従って、哺乳類ＭＭ二重ハイブリッドアッセイキット（Ｋ１６０２−１）中で、ＣｌｏｎｔｅｃｈベクターｐＭおよびＶＰ１６は、ＧＡＬ４  ＤＮＡ−ＢＤをもつプロテインＸの融解および、ＶＰ１６ＡＤをもつプロテインＹの融解を生成する（注：ｐＭおよびＶＰ１６は、それぞれ、同等のオーダーで独自のクローニング部位ならびに、ＤＮＡ−ＢＤおよびＡＤ、酵母適合二重ハイブリッド法のベクター、としての読み枠を持つ）。第三のベクター、ｐＧ５ＣＡＴは、ＣＡＴ受容体遺伝子を、ＧＡＬ４−応答成分のコントロール下に生成し、アデノウイルスＥｌｂの極小のプロモーターを生成する。これら三つのベクターは、標準的な方法で、適したものであれば哺乳類宿主株化細胞のいかなるものにも同時形質移入される。タンパク質ＸおよびＹ間の相互作用を、次に、任意の標準的な方法によってＣＡＴ遺伝子発現を測定することによって測定した。非活性状態では（すなわち、タンパク質−タンパク質の相互作用がない）、極小のＥｌｂプロモーターは、ＣＡＴの有意なレベルを発現しなかった。
独自のクローニング部位（ｐＭ）：  ＥｃｏＲ１、Ｓｍａ １、ＢａｍＨ、Ｓａｌ １、Ｍｌｕ １、Ｐｓｔ １、Ｈｉｎｄ ＩＩＩ、Ｘｂａ １。独自のクローニング部位（ｐＶＰ１６）：ＥｃｏＲ １、ＢａｍＨ、Ｓａｌ １、Ｍｌｕ １、Ｐｓｔ １、Ｈｉｎｄ ＩＩＩ、Ｘｂａ １。
クローニングベクターｐＶＰ１６の完全な配列は、ＮＣＢＩ Ｕ８９９６３に預けられている。クローニングベクターｐＭの完全な配列は、ＮＣＢＩ Ｕ８９９６２に預けられている。
簡単に言えば、細胞を、ウシ胎児血清（１０％）条片化木炭−デキストランを含んでいるフェノールレッド除去培地中へ、５０〜８０％の密度で２４穴培養皿に播種した。続いて一晩インキュベートし、製造者のプロトコールに従ってリポフェクタミン２０００（ＬｉｆｅＴｅｃｈ）を使用して、細胞を、プラスミドｐＭ−ペプチド、ｐＶＰ１６−ＡＲ、ｐＣＭＶ−ｂ−ｇａｌ、およびｐ５ＸＧＡＬ−Ｌｕｃ３ ＤＮＡで形質移入した。形質移入を６時間進行して、形質移入培地を吸引し、回収培地に１８時間置き換えた。続く回収期間中、細胞収集に先立って細胞を２４時間化合物で処理した。細胞をＰＢＳで洗浄し、Ｇａｌａｃｔｏ−Ｌｉｇｈｔ Ｐｌｕｓ β−ガラクトシダーゼ分析キット（Ｔｒｏｐｉｘ）からの溶解緩衝液を使用して溶解した。ルシフェラーゼおよびβ−ガラクトシダーゼの分析は、製造者によって述べられている方法でなされた。ペプチド／ＡＲ相互作用は、β−ガラクトシダーゼ活性を使用して標準化した形質移入効率によってルシフェラーゼ活性の語で記述した（Ｆｉｇ．４Ａ参照）。これらの方法から二つの有用な情報が得られる。すなわち、（１）ＡＲのコンホメーション状態を分析するための有用なペプチドプローブのパネルを生成し、そして（２）ＡＲコンホメーションに関するＡＲモジュレータを「フィンガープリント」した（Ｆｉｇ．４Ｂ参照）。Ｆｉｇ．４Ａは、ペプチド１２６９、Ｂ５Ｇ１１、Ｂ８Ｈ３、およびＢ９Ｅ９のアンドロゲン受容体への相互作用力を、７つの異なるコンホメーションで比較している（リガンドなし、もしくはＤＨＴ−結合、ＭＰＡ−結合、ＣＹＰ−結合、ＲＵ４８６−結合、ＦＬＵＴ−結合、またはＤＨＥＡ−結合）。それ故、これはペプチドのコンホメーションに対する特異性を示す。Ｆｉｇ．４Ｂは、Ｆｉｇ．４Ａの逆である。これは６つのリガンド（ＤＨＴ、ＭＰＡ、ＣＹＰ、ＲＵ４８６、ＦＬＵＴおよびＤＨＥＡｓ）が４つのペプチド（Ｄ３０、５Ｇ１１、Ｂ８Ｈ３、およびＤＨＥＡ）それぞれの存在においてＡＲと相互作用する能力を比較している。このため、これは、四つのペプチドパネルを使用した、六つのリガンドそれぞれの「フィンガープリント」である（１２６９およびＤ３０は同じペプチドであることに注意）。
ひとたびこれらのペプチドについて、これらのリガンド特異性を特徴付けることができると（Ｔａｂｌｅ ５０２Ａ／Ｂ参照）、アンドロゲン受容体のリガンドを同定するために、細胞に基づくスクリーニングのフォーマットとしてこれらを使用することができる。ペプチドＢ８Ｅ９を使用した９６穴分析をフォーマットして新規のステロイド化合物のセットからのアンドロゲン受容体に対するリガンドを同定することができた。Ｂ８Ｅ９ペプチドは、作用薬および既知の拮抗薬ともに存在している状態でアンドロゲン受容体に結合することを示すが、リガンドの不在下では示さなかった。このため、ＡＲの推測される作用薬および拮抗薬を同定するために有用である。現存の２４穴分析を９６穴フォーマットに処理能力を増大するために、ペプチド、受容体、およびレポータープラスミドの形質移入処理バッチを実施した。トリプシン処理したＨｕｈ−７細胞を、リポフェクション試薬を使用した懸濁液中で３つのプラスミドすべてによって形質移入し、９６穴プレートの穴に播種した。このスクリーン中で使用された化合物は、〜１６０の新規のステロイドの収集で、９６穴プレートの２にそれぞれ分散した。このステロイドは、最終濃度１μＭになるよう加えられ、一晩（〜１８時間）細胞とともインキュベートしてから、ルシフェラーゼ分析をしてそれぞれの化合物によって導出した受容体活性を決定した。Ｆｉｇ．５はこのスクリーンの実施例をあらわす。各点は、９６穴分析プレートのそれぞれの穴中で配列した独自の化合物をあらわす。アンドロゲン受容体およびペプチドの相互作用は、ルシフェラーゼ受容体活性の増加信号によって測定され、化合物穴中のアンドロゲン受容体リガンドの存在を示す。Ｂ８Ｅ９ペプチドの存在下におけるこれらのステロイドおよびアンドロゲン受容体の相互作用の多様性によって証拠付けられて、この分析中においては明らかな感受性および特異性が存在する。他のＡＲコンホメーション特異的なペプチドを、Ｂ８Ｅ９の代わりに用いることができる。この実施例においては明らかに、このペプチドに基づくアプローチにより、高処理量および生理学的に関連のある方法で、アンドロゲン受容体と相互作用する化合物を同定することができる。
化合物ライブラリーのスクリーンの高処理量のために、３８４穴プレートの分析を行った。これを促進するために、以下のプロトコールに従うことが望ましい。大きなフラスコで成長したＨｕｈ−７をトリプシン処理して非粘着性にして、そして、９６穴あるいは３８４穴プレートへ播種するに先立ち、リポフェクタミン２０００試薬を使用したバッチ法で、プラスミドを形質移入した。細胞を少なくとも４時間回復させ、化合物を加えて一晩インキュベートした。翌朝、ルシフェラーゼ分析を行って、ペプチド−タンパク質相互作用の程度を決定した。
【０１３５】
９６穴プレートに好ましい手順：
１）リポフェクタミン２０００試薬２１μｌを、４００μｌのＯｐｔｉＭＥＭ−１中に希釈して、ＲＴで５分間インキュベートする。
２）全ＤＮＡを、他の４００μｌのＯｐｔｉＭＥＭ−１中に希釈する。
３）希釈溶液を希釈ＤＮＡと混ぜて、穏やかに混合し、ＲＴで２０分間インキュベートしてＤＮＡ脂質複合体を形成した。
４）インキュベート時には、トリプシン処理および細胞カウントをし、細胞を遠心沈殿（２００００×９６／プレート）し、そして細胞懸濁液を、穴ごとに適当な数の細胞を、形質移入培地の１００μｌ中に含む。
５）そして、ＤＮＡ−ＬＦ２０００試薬への細胞懸濁液混合物を、穏やかに混合し、白色固体９６穴ＴＣプレート（Ｃｏｓｔａｒ）のそれぞれの穴へ１００μｌずつ播種した。ＣＯ２インキュベーター中で少なくとも４時間（から一晩）、３７℃にてインキュベートする。
６）穴からのＤＮＡ脂質試薬を吸引し、１００μｌのＤＭＥＭ（フェノールレッドなし）＋ＦＢＳで処理した１０％の木炭デキストランをそれぞれの穴に添加した（選択的に、細胞を一晩回復する。
７）回収した培地を吸引し、フェノールレッドなしで血清あるいは抗生物質のない培地を加えた。化合物を細胞に加えて、３７℃で４〜２４時間インキュベートした。
８）培地を除去し、細胞をＰＢＳ（Ｍｇ２＋またはＣａ２＋は含まない）で２回洗浄し、４０μｌの溶菌緩衝溶液（Ｔｒｏｐｉｘ Ｇａｌａｃｔｏ−ｌｉｇｈｔ Ｐｌｕｓ ＋ＤＴＴを最終方向ごとに１ｍＭ）を各穴に加えて、振盪しながらＲＴ１０分間インキュベートした。
９）各穴から２０μｌずつを他の白色固形９６穴プレート（無処置アッセイプレート）に移動してβ−ガラクトシダーゼアッセイをした。残りの２０μｌについてルシフェラーゼアッセイをした。
１０）ルシフェラーゼアッセイ：（Ｔｒｏｐｉｘ： Ｌｕｃ−Ｓｃｒｅｅｎキット）緩衝液１および２を同容量まず混合し、ＲＴに暖める。２０μｌの細胞可溶化液に直接この混合液２０μｌの加え、よく混合し、ＲＴ１０分間インキュベートしてから読んだ（照度計：０．１秒／穴）。
１１）β−ガラクトシダーゼアッセイ：（Ｔｒｏｐｉｘ Ｇａｌａｃｔｏ−ｌｉｇｈｔ Ｐｌｕｓ）製造者のプロトコールに従った。
【０１３６】
可能な応用実施例：
必要に応じて、β−ガラクトシダーゼに標準化をせずに行う。細胞をバッチ法により形質移入してから穴に播種すると、再現性が高いことを見出した。もしβ−ガラクトシダーゼアッセイを行わないと、第８工程を吸引、洗浄、および２０μｌのＰＢＳの添加、そして直接第１０工程に進行するよう変更することができる。
形質移入反応を４時間インキュベートし、そして化合物を、吸引または細胞回収なく直接形質移入培養液に添加することができることを見出した。この場合、ルシフェラーゼ活性分析に先立って化合物を一晩静置することが好ましい。
分析される受容体によって、木炭デキストラン処理したフェノールレッドなしの血清培養液中での形質移入に先立ち、２４時間細胞を成長させることが好ましいことがある。ＥＲが最もこれに影響される一方で、ＡＲおよびＧＲはこの処理によって受ける影響が小さいことを見出した。
大量の分析を行う場合は、ＭｕｌｔｉＤｒｏｐ３８４装置を使用して、細胞を３８４穴プレートに播種することができる。
【０１３７】
実施例５０３  糖質コルチコイド受容体（ＧＲ）
全長受容体およびリガンドとしてのデキサメタゾンもしくはメドロキシプロゲステロンアセテートを使用するシステムに基づいて、酵母中のＧＲへのペプチドスクリーニングを、インヴィヴォでは限られた量でしか実施しなかった
酵母中の特異性プロフィールに基づいて調査して、一のペプチド配列を得た。このペプチドは、ＭＰＡリガンドＧＲ上に単離され、そしてＧＲＭＰＡと名付けられた。この配列は以下の通りである：ＥＦＶＡＲＹＧＱＬＬＧＷＲＨＰＣＳ（ＳＥＱ ＩＤ ＮＯ：２６８）。酵母中での試験時には、部分作用薬（ＭＰＡ、コルチバゾル、およびデオキシコルチコステロン）および拮抗薬（ＲＵ４８６）の存在下、全長作用薬（フルチカソンプロピオン酸およびデキサメタゾン）非存在下では、ペプチドはＧＲと相互作用した。しかしながら、哺乳類細胞中での実験時には、ペプチドは、全リガンド（作用薬、部分作用薬、拮抗薬）の存在下に相互作用した。
我々は、ＧＲリガンド結合部位へのファージディスプレイを使用して多数のペプチドを分離し、巨大化合物セットのスクリーニングのための哺乳類細胞中の細胞に基づく分析をフォーマットした。上述したように９６穴プレートおよび３８４穴プレートにアッセイをフォーマットした。３８４穴プレートにアッセイをフォーマットするために、各穴ごとの細胞数を、Ｈｕｈ−７細胞を５，０００／穴に縮小した。ＤＮＡコンストラクトおよび脂肪除去試薬の同様の割合が、アッセイプレートへ細胞を播種するに先立つ形質移入のためのアッセイにともに使用される。この哺乳類細胞に基づくフォーマット中で、ファージディスプレイ単離ペプチドの一つとともに６０，０００化合物セットのスクリーンをも実施した。このペプチドは、作用薬（例えば、プロピオン酸フルチカゾンおよびデキサメタゾン）および拮抗薬（ＲＵ４８６）の両方の存在下に、糖質コルチコイド受容体と相互作用する。化合物スクリーンのために、５，０００細胞／穴で播種するに先立って、上述したようにＤＮＡコンストラクトの懸濁液中で形質移入した。形質移入６時間後、１０μＭに化合物を加えてから一晩３７℃にてインキュベートした。化合物のインキュベーション後、製造者のプロトコールに従ってルシフェラーゼアッセイを行った。
【０１３８】
代替法
上述した方法に加えて、細胞内ペプチドスクリーニングに有用になりうる他の細胞の種類と同様、さらなるフォーマットを考えることができる。
方法１：  核内受容体融合およびペプチド融合と作用する、非融合核内受容体パートナーの使用
現在のところ、核内受容体には二つの広い分類、すなわちステロイド系（ＥＲ、ＡＲ、ＧＲ、ＰＲ、ＭＲ）に属するものおよびヘテロ二量体（ＲＡＲ、ＴＲ、ＶＤＲ、ＬＸＲ、ＦＸＲ、等）に属するものがあるが、ＲＸＲはヘテロ二量体パートナーとして使用される。一般的には、ステロイド受容体系のメンバーは活性状態では二量体化を受け、一方、他の系は、ＲＸＲ受容体および他のメンバー（ＴＲ、ＶＤＲ、等）との間で機能的二量体を形成することが明らかである。この系のメンバーがステロイド受容体系のようにホモ二量体にもなることができる一方、受容体の（生理的に）好ましい形態がヘテロ二量体であることは明らかである。我々が述べてきたステロイド受容体をスクリーニングするための方法は、ヘテロ二量体系のメンバーにも同様に適用することができる。ヘテロ二量体ペア（おそらくパートナー受容体の不存在におけるホモ二量体として）の特異的受容体メンバー（すなわち非ＲＸＲ）、もしくは、ＲＸＲまたは受容体ペアのヘテロ二量体パートナー（ヘテロ二量体との関係で）であるかのいずれかに、ペプチドを同定することができるという事実に相違が存在している。このアプローチは、新規で、未発見の、受容体にも拡張することができる。この方法では、リガンドの存在（あるいは不在）下に既知（あるいは未知）の核内受容体のパートナーと、相互作用するペプチドを選択することが可能であるということを、予想することができる。我々が考えた実施例中、クローン化した受容体（たとえばＴＲ）はｐＧＡＤ−Ｃ２ベクターに結合して融合ベクターを形成する。さらに、ＲＸＲ ｃＤＮＡを含む他のベクターは、たとえば、真核生物のプロモーター、たとえば、恒常的活動プロモーターまたはアルコール脱水素酵素誘導プロモーターと結合する。両プラスミドは酵母中に形質転換して安定な株化細胞を形成する。ＧＡＬ４ ＤＢＤに融合した発現ペプチドのライブラリーは、次に安定な系統に形質転換される。リガンドは、チロキシンのこのケースでは、リガンドの存在において相互作用するペプチドを選択するために、同時発現する細胞に添加することができる。リガンド依存性が、上述したように陽性の形質転換体のために決定される。リガンド依存真陽性は、再試験のための所望のペプチドを発現するプラスミドを得るために抽出される。これらの陽性は、ここに述べた状況下、ＲＸＲまたはＴＲ受容体のいずれかへのペプチドの選択を意味することができる。Ｇａｌ４−核内受容体融合体（例えば、ｐＧＡＤ−Ｃ２−受容体によってエンコードされた、Ｇａｌ４活性領域融合体）に加えて、形質転換した酵母菌株は、つながっていない受容体パートナー（たとえば、ＲＸＲ、ＲＡＲ、または他のパートナー）を発現する他のプラスミドをもつ。同様に、この方法は、ＲＸＲといったヘテロ二量体パートナーを一般には共有しない核内受容体に拡張することができる。これは、たとえば、ＥＲαおよびＥＲβヘテロ二量体ペアー、またはＥＲβおよびＡＲヘテロ二量体ペアーを含むことができ、これは、他では、インビトロで全長プロテインとして形成することが困難である。受容体パートナーによって、リガンドの存在（または不在）に依存する異なるコンホメーションを想定することができ���ので、パートナー複合体（すなわち、融合受容体＋非融合受容体）へのペプチドを選択することができる。これは、別の、従来の、パートナーペアの個々の構成成分であるプロテイン生成によっては得ることのできない、新規の、生物学的に関連のあるペプチドを発見するために特に重要なものである。
この方法を拡張して、リガンド依存様式による、核内受容体と相互作用するプロテイン、または他の任意のプロテインのセットと結合するペプチドを同定することができる。この場合、活性部位に融合した核内受容体を含むベクター構成物、および既知の受容体結合タンパク（たとえば、活性化補助因子：ＳＲＣ−１、ＧＲＩＰ−１；コリプレッサー：ＮｃｏＲ；関連するタンパク：ＡＲＡ７０、ＮＦ−ｋＢ、ｃ−ｊｕｎ。ＴＦＩＩＢ）をエンコードする発現プラスミドによって、酵母菌を形質転換することができる。安定的に形質転換された酵母菌は、次にＧａｌ４ ＤＮＡ結合部位と融合するペプチド配列のライブラリーによって形質転換される。次に、コロニーを、リガンド依存性および受容体結合タンパク依存性成長のために選択する。この方法によって、生物学的機能の立体配座的なプローブをインヴィヴォにて選択することができる。
【０１３９】
方法２：  接合型に依存的なペプチドの選択
実施例５０２に記述した一般的な形質転換プロトコールに加えて、ＭＡＴ ａまたはＭＡＴα接合型酵母菌株いずれかに核内受容体融合ベクターが安定的に形質転換され、融合ペプチドベクターのライブラリーが他の鎖中に安定的に維持されている、相互作用するペプチドの選択をすることも可能である。このため、ペプチドライブラリーは一のハプロイド鎖接合型に発現していて、受容体は他のハプロイド鎖に発現している。鎖が接合すると、各生成二倍体細胞にライブラリーペプチドおよび受容体を同時発現する。この方法では、全ライブラリーを調製し冷凍保存として維持することができる。手順は、実施例５０２．２中に記述したものと類似しているが、核内受容体の貯蔵およびペプチド発現細胞を９６−穴もしくは３８４−穴プレートに分配し、そしてリガンドの存在（および不在）下に接合を進行させるところが異なっている。培養液中の成長は、両接合型の連合を必要とするマーカーの選択に基づく。この方法は、方法１に記述したように、ＡＲといった受容体へのペプチドの選択に使用することができるし、または、ＲＸＲ、ＲＡＲといった受容体パートナーを通じてのペプチド同定にも使用することができる。この方法の短所は、一般的に達成される接合頻度が低いことである。接合型を使用しての二重ハイブリッド選択に基づく方法は以下に記述されている。Ｂｕｃｋｈｏｌｚ， Ｒ．、 Ｓｉｍｍｏｎｓ， Ｃ．、 Ｓｔｕａｒｔ， Ｊ． およびＷｅｉｎｅｒ， Ｍ．、”Ａｕｔｏｍａｔｉｏｎ ｏｆ Ｙｅａｓｔ Ｔｗｏ−Ｈｙｂｒｉｄ Ｓｃｒｅｅｎｉｎｇ”、Ｊ Ｍｏｌｅｃｕｌａｒ Ｍｉｃｒｏｂｉｏｌｏｇｙ ａｎｄ Ｂｉｏｔｅｃｈｎｏｌｏｇｙ、ｖｏｌ． １、ｐ． １３５−１４０。
【０１４０】
方法３：  インヴィヴォでのペプチド選択の実施をするための他の細胞種の利用
酵母細胞は、特異的なタンパク質相互作用を研究するためには遺伝学的かつ生物学的に特に有用であるが、特に核内受容体に関して、他の真核生物細胞が持っている生理学関連の特徴の多くを欠いている。酵母は、核内受容体タンパクまたはそれに関連する活性化補助因子タンパク質を持たず、このため、ペプチド相互作用は、その関連性を決定するために他の細胞中で広範に経過観察される必要がある。代わりに、ショウジョウバエ昆虫細胞（Ｓ２）といった幾つかの細胞は、より哺乳類細胞に類似した性質をもっていて（たとえば、ステロイド受容体、活性化補助因子、等）、ペプチドのライブラリーをより大きく形成し、このため関連の相互作用を同定するのに理想的である。加えて、哺乳類細胞の多くが形質移入された遺伝子の一または二の複製のみを保持するのに比して、これらが、形質移入された遺伝子の複製を、最大数百保持するという特徴の興味深い報告がなされている。
不偏性または偏向の無作為のペプチドをエンコードするＤＮＡとの多くのｐＭベクター融合が、ショウジョウバエＳ２細胞中に形質転換されているというシナリオを我々は考えている。形質移入が比較的容易であること、および各細胞が強力にペプチド配列の数百の異なるコピーを保持することができるという事実により、酵母細胞での可能性に比して、これらの細胞中では実質的に大きなペプチドライブラリーを形成することができる（たとえば、１０７対１０９〜１０１０の複雑性比）。これは、ペプチドライブラリーを形成する。ショウジョウバエ中の安定菌株も、ＡＲといった核内受容体を含んで、活性部位（たとえばｐＶＰ１６）と融合して形成することができる。加えて、受容体遺伝子は、受容体作成物、好ましくはその中に、たとえばプロモーターが細胞表面タンパクといった選択マーカーの遺伝子を保有するＧａｌ４（または他の）ＤＮＡエレメントを含むとともに、同時的に形質移入される。このような安定菌株は、次に、ｐＭベクターのように、ベクター中でＧａｌ４ ＤＮＡ結合部位との融合物を発現するペプチドライブラリーによる大規模な形質移入のレシピエントとして使用される。
我々の計画したシナリオでは、各細胞が数百の異なるペプチド配列を含む１０７〜１０８（またはそれ以上）の細胞ライブラリーを形成することが可能で、従って、酵母中で可能なライブラリーと比して実質的に大規模なライブラリーを産生する。レシピエント細胞へのペプチドベクターの形質移入後、非リガンド依存的レポータータンパクを発現している安定的または過渡的な細胞を除去し（これらは自己活性体であるからである）、そして、残りの細胞をリガンドで処理する。処理後、レポータータンパクを発現している細胞を再選択し、増殖し、そしてそのＤＮＡを抽出した。従来の細胞の基本選択法によって、細胞からのＤＮＡをＡＲ／レポーター安定菌株に前記の通りに再度形質移入した。おそらくこれは、ＤＮＡの所望の性質を濃縮し、所望のレポーター−タンパク質相互作用を示す細胞の濃縮した集合をもたらすこととなる。リガンド依存および非リガンド依存レポータータンパク質発現を再度利用して、相互作用ペプチドをさらに濃縮するために細胞を選択する。この手順をさらに二回繰り返し、各細胞をＦＡＣＳ（蛍光表示式細胞分取）または他の識別方法によって究極的に識別する。クローンは、レポーターのリガンド依存生成について試験され、ＰＣＲまたはＤＮＡのクローニングによってペプチド配列が同定される。ペプチド配列は、さらに実施例５０２に記述した従来の「細胞ブライユ」アッセイに再変換し直すこともでき、または、インビトロ分析のためにペプチド配列を合成ペプチドに変換することもできる。
ここでの文献の引用は、ここで引用された文献のいかなるものについても適切な従来技術であるとの承認をする意図を持つものではなく、また、ここでの引用文献が本出願の請求項のいかなるものについてもその特許性を判断する材料であるとの意図を持つものではない。これら文献の内容について、データまたは表現についての全ての言及は、出願人に利用できる情報に基づいており、これら文献のデータまたは内容の正確さについてのいかなる承認をも形成するものではない。
添付した請求項は、実施例の引例に限定されないものとして扱うべきものである。
【０１４１】
ここまでに述べたものに加えて、以下の参照を、参考のために本明細書に添付する。これらの版は、本願の出願時に直近のものである。
Ｋａｙ， Ｐｈａｇｅ Ｄｉｓｐｌａｙ ｏｆ Ｐｅｐｔｉｄｅｓ ａｎｄ Ｐｒｏｔｅｉｎｓ： Ａ Ｌａｂｏｒａｔｏｒｙ Ｍａｎｕａｌ； ｔｈｅ Ｊｏｈｎ Ｗｉｌｅｙ ａｎｄ Ｓｏｎｓ Ｃｕｒｒｅｎｔ Ｐｒｏｔｏｃｏｌｓ ｓｅｒｉｅｓ， ｉｎｃｌｕｄｉｎｇ Ａｕｓｕｂｅｌ， Ｃｕｒｒｅｎｔ Ｐｒｏｔｏｃｏｌｓ ｉｎ Ｍｏｌｅｃｕｌａｒ Ｂｉｏｌｏｇｙ； Ｃｏｌｉｇａｎ， Ｃｕｒｒｅｎｔ Ｐｒｏｔｏｃｏｌｓ ｉｎ Ｐｒｏｔｅｉｎ Ｓｃｉｅｎｃｅ； Ｃｏｌｉｇａｎ， Ｃｕｒｒｅｎｔ Ｐｒｏｔｏｃｏｌｓ ｉｎ Ｉｍｍｕｎｏｌｏｇｙ； Ｃｕｒｒｅｎｔ Ｐｒｏｔｏｃｏｌｓ ｉｎ Ｈｕｍａｎ Ｇｅｎｅｔｉｃｓ； Ｃｕｒｒｅｎｔ Ｐｒｏｔｏｃｏｌｓ ｉｎ Ｃｙｔｏｍｅｔｒｙ； Ｃｕｒｒｅｎｔ Ｐｒｏｔｏｃｏｌｓ ｉｎ Ｐｈａｒｍａｃｏｌｏｇｙ； Ｃｕｒｒｅｎｔ Ｐｒｏｔｏｃｏｌｓ ｉｎ Ｎｅｕｒｏｓｃｉｅｎｃｅ； Ｃｕｒｒｅｎｔ Ｐｒｏｔｏｃｏｌｓ ｉｎ Ｃｅｌｌ Ｂｉｏｌｏｇｙ； Ｃｕｒｒｅｎｔ Ｐｒｏｔｏｃｏｌｓ ｉｎ Ｔｏｘｉｃｏｌｏｇｙ； Ｃｕｒｒｅｎｔ Ｐｒｏｔｏｃｏｌｓ ｉｎ Ｆｉｅｌｄ Ａｎａｌｙｔｉｃａｌ Ｃｈｅｍｉｓｔｒｙ； Ｃｕｒｒｅｎｔ Ｐｒｏｔｏｃｏｌｓ ｉｎ Ｎｕｃｌｅｉｃ Ａｃｉｄ Ｃｈｅｍｉｓｔｒｙ； およびＣｕｒｒｅｎｔ Ｐｒｏｔｏｃｏｌｓ ｉｎ Ｈｕｍａｎ Ｇｅｎｅｔｉｃｓ； ならびに以下のＣｏｌｄ Ｓｐｒｉｎｇ Ｈａｒｂｏｒ Ｌａｂｏｒａｔｏｒｙ Ｐｕｂｌｉｃａｔｉｏｎｓ： Ｓａｍｂｒｏｏｋ， Ｍｏｌｅｃｕｌａｒ Ｃｌｏｎｉｎｇ： Ａ Ｌａｂｏｒａｔｏｒｙ Ｍａｎｕａｌ； Ｈａｒｌｏｗ， Ａｎｔｉｂｏｄｉｅｓ： Ａ ｌａｂｏｒａｔｏｒｙ Ｍａｎｕａｌ； Ｍａｎｉｐｕｌａｔｉｎｇ ｔｈｅ Ｍｏｕｓｅ Ｅｍｂｒｙｏ： Ａ Ｌａｂｏｒａｔｏｒｙ Ｍａｎｕａｌ； Ｍｅｔｈｏｄｓ ｉｎ Ｙｅａｓｔ Ｇｅｎｅｔｉｃｓ： Ａ Ｃｏｌｄ Ｓｐｒｉｎｇ Ｈａｒｂｏｒ Ｌａｂｏｒａｔｏｒｙ Ｃｏｕｒｓｅ Ｍａｎｕａｌ； Ｄｒｏｓｏｐｈｉｌａ Ｐｒｏｔｏｃｏｌｓ； Ｉｍａｇｉｎｇ Ｎｅｕｒｏｎｓ： Ａ Ｌａｂｏｒａｔｏｒｙ Ｍａｎｕａｌ； Ｅａｒｌｙ Ｄｅｖｅｌｏｐｍｅｎｔ ｏｆ Ｘｅｎｏｐｕｓ ｌａｅｖｉｓ： Ａ Ｌａｂｏｒａｔｏｒｙ Ｍａｎｕａｌ； Ｕｓｉｎｇ Ａｎｔｉｂｏｄｉｅｓ： Ａ ｌａｂｏｒａｔｏｒｙ Ｍａｎｕａｌ； Ａｔ ｔｈｅ Ｂｅｎｃｈ： Ａ Ｌａｂｏｒａｔｏｒｙ Ｎａｖｉｇａｔｏｒ； Ｃｅｌｌｓ： Ａ Ｌａｂｏｒａｔｏｒｙ Ｍａｎｕａｌ； Ｍｅｔｈｏｄｓ ｉｎ Ｙｅａｓｔ Ｇｅｎｅｔｉｃｓ： Ａ Ｌａｂｏｒａｔｏｒｙ Ｃｏｕｒｓｅ Ｍａｎｕａｌ； Ｄｉｓｃｏｖｅｒｉｎｇ Ｎｅｕｒｏｎｓ： Ｔｈｅ Ｅｘｐｅｒｉｍｅｎｔａｌ Ｂａｓｉｓ ｏｆ Ｎｅｕｒｏｓｃｉｅｎｃｅ； Ｇｅｎｏｍｅ Ａｎａｌｙｓｉｓ： Ａ Ｌａｂｏｒａｔｏｒｙ Ｍａｎｕａｌ Ｓｅｒｉｅｓ； Ｌａｂｏｒａｔｏｒｙ ＤＮＡ Ｓｃｉｅｎｃｅ； Ｓｔｒａｔｅｇｉｅｓ ｆｏｒ Ｐｒｏｔｅｉｎ Ｐｕｒｉｆｉｃａｔｉｏｎ ａｎｄ Ｃｈａｒａｃｔｅｒｉｚａｔｉｏｎ： Ａ Ｌａｂｏｒａｔｏｒｙ Ｃｏｕｒｓｅ Ｍａｎｕａｌ； Ｇｅｎｅｔｉｃ Ａｎａｌｙｓｉｓ ｏｆ Ｐａｔｈｏｇｅｎｉｃ Ｂａｃｔｅｒｉａ： Ａ Ｌａｂｏｒａｔｏｒｙ Ｍａｎｕａｌ； ＰＣＲ Ｐｒｉｍｅｒ： Ａ Ｌａｂｏｒａｔｏｒｙ Ｍａｎｕａｌ； Ｍｅｔｈｏｄｓ ｉｎ Ｐｌａｎｔ Ｍｏｌｅｃｕｌａｒ Ｂｉｏｌｏ���ｙ： Ａ Ｌａｂｏｒａｔｏｒｙ Ｃｏｕｒｓｅ Ｍａｎｕａｌ； Ｍａｎｉｐｕｌａｔｉｎｇ ｔｈｅ Ｍｏｕｓｅ Ｅｍｂｒｙｏ： Ａ Ｌａｂｏｒａｔｏｒｙ Ｍａｎｕａｌ； Ｍｏｌｅｃｕｌａｒ Ｐｒｏｂｅｓ ｏｆ ｔｈｅ Ｎｅｒｖｏｕｓ Ｓｙｓｔｅｍ； Ｅｘｐｅｒｉｍｅｎｔｓ ｗｉｔｈ Ｆｉｓｓｉｏｎ Ｙｅａｓｔ： Ａ Ｌａｂｏｒａｔｏｒｙ Ｃｏｕｒｓｅ Ｍａｎｕａｌ； Ａ Ｓｈｏｒｔ Ｃｏｕｒｓｅ ｉｎ Ｂａｃｔｅｒｉａｌ Ｇｅｎｅｔｉｃｓ： Ａ Ｌａｂｏｒａｔｏｒｙ Ｍａｎｕａｌ ａｎｄ Ｈａｎｄｂｏｏｋ ｆｏｒ Ｅｓｃｈｅｒｉｃｈｉａ ｃｏｌｉ ａｎｄ Ｒｅｌａｔｅｄ Ｂａｃｔｅｒｉａ； ＤＮＡ Ｓｃｉｅｎｃｅ： Ａ Ｆｉｒｓｔ Ｃｏｕｒｓｅ ｉｎ Ｒｅｃｏｍｂｉｎａｎｔ ＤＮＡ Ｔｅｃｈｎｏｌｏｇｙ； Ｍｅｔｈｏｄｓ ｉｎ Ｙｅａｓｔ Ｇｅｎｅｔｉｃｓ： Ａ Ｌａｂｏｒａｔｏｒｙ Ｃｏｕｒｓｅ Ｍａｎｕａｌ； Ｍｏｌｅｃｕｌａｒ Ｂｉｏｌｏｇｙ ｏｆ Ｐｌａｎｔｓ： Ａ Ｌａｂｏｒａｔｏｒｙ Ｃｏｕｒｓｅ Ｍａｎｕａｌ。
ここに引用した全ての参照は、学術論文もしくは要約、出版物、対応する、先のもしくは他の米国もしくは外国特許出願、発行された米国もしくは外国特許、または他の任意の参照を含んでいて、全て本願に引用して援用し、また、引用した参照の全データ、表、図、および文章をも含んでいる。さらに、ここに引用した参照において引用されている参照の全ての内容もまた、すべて引用として援用する。
既知の方法段階、従来の方法段階、既知もしくは慣用の方法についての言及は、本発明のいかなる状況、記述もしくは実施例が、当該分野において開示され、教示され、もしくは示唆されていることを承認するものではない。
具体的な実施例についての先にした記述は、本発明の普遍的な性質を以下に完全に明らかにする。すなわち、当業者の知識（ここに引用した参照の内容を含む）を用いることによって、過度の実験をすることなく、本発明の普遍的な概念から離れることなく、容易に変更および／または適応をして特異的な実施について種々の適用をすることができる。
それ故、このような適用および変更は、開示した実施例の同等物の意味するところでありかつ範囲内であり、本発明に示された教示およびガイダンスに基づくものである。本発明における語法または専門用語は、説明の目的のものであり制限の目的ではないと理解されるべきであり、このため、本明細書中の語法または専門用語は、本発明の教示およびガイダンスを踏まえて、当業者の通常の知識と組み合わせて、当業者によって解釈されるべきである。
本発明の実施例における有用もしくは所望なものとしての段階もしくは範囲のいかなる記述についても、任意の段階（たとえば、一の段階には、一またはそれ以上の開示した段階を省略している）もしくは任意の部分的な範囲をすべて包含した記述として判断されるべきであり、前記段階もしくは範囲中の各構成員もしくは各値の個々の記述についても同様である。
好適な実施例の記述はそれぞれ、好適な実施例の任意の可能な組み合わせの一の記述として判断されるべきであるが、不可能な組み合わせ（たとえば、本発明の要素としてともに除外した組み合わせ）もしくは本明細書によって明確に除外したものは除いて判断される。
本発明の実施例が従来技術において開示されているならば、本発明のその記述は、そのような実施例を除外して本明細書において開示した発明を含むと判断されるべきである。
本発明は、出願人によって熟考されたものであり、添付する請求項に記述する内容を含むものではあるがそれに制限するものではなく、かつ、現在請求項に記載していない組み合わせそれ自体も含むものではあるが制限するものではない。さらに、もし今までには制限されていたが、開示した従来技術の欠損の一またはそれ以上を克服することのできる場合には、その内容も含む。
従来技術によって開示または示唆された内容に侵食する請求項については、その範囲に限り、出願人は、侵食する内容を除去した請求項として対応する本発明を考えるものである。
本明細書中、どこにおいても引用されている全ての参照は、引用として本発明に援用し、前記参照中に引用されている任意の参照についても同様である。
【０１４２】
ＴａｂｌｅＡ：  フィンガープリント法分析のためのタンパク質一覧表
2004523726.tif 000013
2004523726.tif 000014
2004523726.tif 000015
2004523726.tif 000016
2004523726.tif 000017
2004523726.tif 000018
2004523726.tif 000019
2004523726.tif 000020
2004523726.tif 000021
2004523726.tif 000022
【０１４４】
【表１】
2004523726.tif 000023
【０１４５】
【表２】
2004523726.tif 000024
【０１４６】
他のＥＲ結合ペプチドは以下を含む
ＳＳＫＹＳＹＳＲＳＳＥＧＨＳＲ（配列ＩＤ ＮＯ：４６）
ＳＳＹＱＷＥＴＨＳＤＫＷＲＳＲ（配列ＩＤ ＮＯ：４７）
ＳＳＶＴＫＫＡＬＴＩＡＫＤＳＲ（配列ＩＤ ＮＯ：４８）
あとの２つはエストラジオールの存在でＥＲの弱い結合体である。
【０１４７】
【表３】
2004523726.tif 000025
【０１４８】
【表４】
2004523726.tif 000026
【０１４９】
【表５】
2004523726.tif 000027
【０１５０】
【表６】
2004523726.tif 000028
【０１５１】
【表７】
2004523726.tif 000029
【０１５２】
【表８】
2004523726.tif 000030
【０１５３】
【表９】
2004523726.tif 000031
【０１５４】
【表１０】
2004523726.tif 000032
【０１５５】
Ｔａｂｌｅ１０：  パネルペプチド（Ｔａｂｌｅ１４Ａ、１４Ｂ参照）
α／β Ｉ， ＳＳＮＨＱＳＳＲＬＩＥＬＬＳＲ（ＡＢ１）［１７β−エストラジオール］（配列ＮＯ ＩＤ：２１１）
α／β ＩＩ， ＳＡＰＲＡＴＩＳＨＹＬＭＧＧ（ＡＢ２）［モジュレータ無し］（配列ＮＯ ＩＤ：２１２）
α／β ＩＩＩ， ＳＳＷＤＭＨＱＦＦＷＥＧＶＳＲ（ＡＢ３）［４−ＯＨタモキシフェン］（配列ＮＯ ＩＤ：２１３）
α／β ＩＶ， ＳＲＬＰＰＳＶＦＳＭＣＧＳＥＶＣＬＳＲ（ＡＢ４）［同じ］（配列ＮＯ ＩＤ：２１４）
α／β Ｖ， ＳＳＰＧＳＲＥＷＦＫＤＭＬＳＲ（ＡＢ５）［同じ］（配列ＮＯ ＩＤ：２１５）
αＩ， ＳＳＥＹＣＦＹＷＤＳＡＨＣＳＲ（Ａ１）［１７β−エストラジオール］（配列ＮＯ ＩＤ：２１６）
αＩＩ， ＳＳＬＴＳＲＤＦＧＳＷＹＡＳＲ（Ａ２）［１７β−エストラジオール］（配列ＮＯ ＩＤ：２１７）
αＩＩＩ， ＳＲＴＷＥＳＰＬＧＴＷＥＷＳＲ（Ａ３）［モジュレータ無し］（配列ＮＯ ＩＤ：２１８）
βＩ， ＳＲＥＷＥＤＧＦＧＧＲＷＬＳＲ （Ｂ１）［４−ＯＨタモキシフェン］（配列ＮＯ ＩＤ：２１９）
βＩＩ， ＳＳＬＤＬＳＱＦＰＭＴＡＳＦＬＲＥＳＲ （Ｂ２）［１７β−エストラジオール］（配列ＮＯ ＩＤ：２２０）
βＩＩＩ， ＳＳＥＡＣＶＧＲＷＭＬＣＥＱＬＧＶＳＲ （Ｂ３）［モジュレータ無し］（配列ＮＯ ＩＤ：２２１）
代替的な名前を挿入することができる。モジュレータは括弧内のペプチドを単離するものである。
【０１５６】
【表１１】
2004523726.tif 000033
【０１５７】
Ｔａｂｌｅ１４についての注意：
（Ａ）ＥＲαおよび（Ｂ）ＥＲβのエストロゲン受容体モジュレータのフィンガープリント分析。固定化したＥＲは、エストラジオール（１μｌ）、エストリオール（１μＭ）、プレマリン（１０μＭ）、４−ＯＨタモキシフェン（１μＭ）、ナホキシジン（１０μＭ）、クロミフェン（１０μＭ）、ラロキシフェン（１μＭ）、ＩＣＩ １８２，７８０（１μＭ）、１６α−ＯＨエストロン（１０μＭ）、ＤＥＳ（１μＭ）またはプロゲステロン（１μＭ）とともにインキュベートした。前記の通り、ファージＥＬＩＳＡｓが行われた。
【０１５８】
【表１２】
2004523726.tif 000034
【０１５９】
ａ：当量は陽性または陰性であることができる。これらはともに、相対的（パーセント）に表現されるが、陽性および陰性基準（１００および−１００％マーク）は異なる設定である。このため、陽性および陰性値は、異なって秤量される。陽性当量は、与えられたペプチドプローブ（Ｔａｂｌｅ１０参照）の単離のために使用される陽性モジュレータで達成された最大刺激に対して、与えられた化合物で達成された最大刺激が何パーセントであるかとして定義される。陰性値は、化合物の濃度を増加させると、緩衝液中のプローブの結合に比して、ペプチドプローブの結合の減少が生じる結果となることを示す。これらは、ＩＣＩ １８２，７８０による減少のパーセンテージとして表現される。ＩＣＩ １８２，７８０はαＩＩについて、作用薬として作用し、その当量はこのため、基準モジュレータβエストラジオールのパーセンテージとして述べられる。全てのケースについて、αＩＩＩの結果はゼロであった。
ｂ：ＥＣ５０は、その化合物について最大信号の５０％を達成するのに要する、与えられた化合物のナノモルの濃度として定義される。
【０１６０】
【表１３】
2004523726.tif 000035
【０１６１】
ａ：陽性当量は、与えられたペプチドプローブの単離のために使用される陽性モジュレータで達成された最大刺激に対して、与えられた化合物で達成された最大刺激が何パーセントであるかとして定義される。これら基準モジュレータの当量数ははっきりしている。Ｔａｂｌｅ１０も参照。陰性値は、化合物の濃度を増加させると、緩衝液中のプローブの結合に比して、ペプチドプローブの結合の減少が生じる結果となることを示す。これら陰性値は、ＩＣＩ １８２，７８０による減少のパーセンテージとして表現されるので、ここではＩＣＩ １８２，７８０を−１００と記録するように定義していて、これもはっきりしたことである。全てのケースについて、αβＩＩの結果はゼロであった。
ｂ：ＥＣ５０は、その化合物について最大信号の５０％を達成するのに要する、与えられた化合物のナノモルの濃度として定義される。
【０１６２】
【表１４】
2004523726.tif 000036
【０１６３】
【表１５】
2004523726.tif 000037
【０１６４】
【表１６】
2004523726.tif 000038
【０１６５】
【表１７】
2004523726.tif 000039
【０１６６】
【表１８】
2004523726.tif 000040
【０１６７】
付加文献
Ａｎｚｉｃｋ， Ｓ． Ｌ．， Ｋｏｎｏｎｅｎ， Ｊ．， Ｗａｌｋｅｒ， Ｒ． Ｌ．， Ａｚｏｒｓａ， Ｄ． Ｏ．， Ｔａｎｎｅｒ， Ｍ． Ｍ．， Ｇｕａｎ， Ｘ．− Ｙ．， Ｓａｕｔｅｒ， Ｇ．， Ｋａｌｌｉｏｎｉｅｍｉ， Ｏ．−Ｐ．， Ｔｒｅｎｔ， Ｊ． Ｍ．， およびＭｅｌｔｚｅｒ， Ｐ． Ｓ． （１９９７）ＡＩＢ１ ａ ｓｔｅｒｏｉｄ ｒｅｃｅｐｔｏｒ ｃｏａｃｔｉｖａｔｏｒ ａｍｐｌｉｆｉｅｄ ｉｎ ｂｒｅａｓｔ ａｎｄ ｏｖａｒｉａｎ ｃａｎｃｅｒ． Ｓｃｉｅｎｃｅ ２７７，９６５−９６８。
Ｃｈａｍｂｒａｕｄ， Ｂ． Ｂｅｒｒｙ， Ｍ．， Ｒｅｄｅｕｉｌｈ， Ｇ．， Ｃｈａｍｂｏｎ， Ｐ．， およびＢａｕｌｉｕｅ， Ｅ．， （１９９０）Ｓｅｖｅｒａｌ ｒｅｇｉｏｎｓ ｏｆ ｔｈｅ ｈｕｍａｎ ｅｓｔｒｏｇｅｎ ｒｅｃｅｐｔｏｒ ａｒｅ ｉｎｖｏｌｖｅｄ ｉｎ ｔｈｅ ｆｏｒｍａｔｉｏｎ ｏｆ ｒｅｃｅｐｔｏｒ−ｈｅａｔｓｈｏｃｋ ｐｒｏｔｅｉｎ ９０ ｃｏｍｐｌｅｘｅｓ。Ｊ． Ｂｉｏｌ． Ｃｈｅｍ． ２６５， ２０６８６−２０６９１。
Ｈｅｅｒｙ， Ｄ． Ｍ．， Ｋａｌｋｈｏｖｅｎ， Ｅ．， Ｈｏａｒｅ， Ｓ．， およびＰａｒｋｅｒ， Ｍ． Ｇ．， （１９９７）Ａ ｓｉｇｎａｔｕｒｅ ｍｏｔｉｆ ｉｎ ｔｒａｎｓｃｒｉｐｔｉｏｎａｌ ｃｏ−ａｃｔｉｖａｔｏｒｓ ｍｅｄｉａｔｅｓ ｂｉｎｄｉｎｇ ｔｏ ｎｕｃｌｅａｒ ｒｅｃｅｐｔｏｒｓ． Ｎａｔｕｒｅ， ３８７， ７３３−７３６。
Ｋｒａｕｓ， Ｗ． Ｌ．， ＭｃＩｎｅｒｎｅｙ， Ｅ． Ｍ．， およびＫａｔｚｅｎｅｌｌｅｎｂｏｇｅｎ， Ｂ． Ｓ．， （１９９５）Ｌｉｇａｎｄ−ｄｅｐｅｎｄｅｎｔ， ｔｒａｎｓｃｒｉｐｔｉｏｎａｌｌｙ ｐｒｏｄｕｃｔｉｖｅ ａｓｓｏｃｉａｔｉｏｎ ｏｆ ｔｈｅ ａｍｉｎｏ− ａｎｄ ｃａｒｂｏｘｙｌ−ｔｅｒｍｉｎａｌ ｒｅｇｉｏｎｓ ｏｆ ａ ｓｔｅｒｏｉｄ ｈｏｒｍｏｎｅ ｎｕｃｌｅａｒ ｒｅｃｅｐｔｏｒ。
Ｐｒｏｃ． Ｎａｔｌ． Ａｃａｄ． Ｓｃｉ．， ＵＳＡ ９２， １２３１４−１２３１８。
Ｍｏｎｔａｎｏ， Ｍ． Ｍ．， Ｍｕｌｌｅｒ， Ｖ．， Ｔｒｏｂａｕｇｈ， Ａ．， およびＫａｔｚｅｎｅｌｌｅｎｂｏｇｅｎ， Ｂ． Ｓ．，（１９９５）Ｔｈｅ ｃａｒｂｏｘｙ−ｔｅｒｍｉｎａｌ Ｆ ｄｏｍａｉｎ ｏｆ ｔｈｅ ｈｕｍａｎ ｅｓｔｒｏｇｅｎ ｒｅｃｅｐｔｏｒ： ｒｏｌｅ ｉｎ ｔｈｅ ｔｒａｎｓｃｒｉｐｔｉｏｎａｌ ａｃｔｉｖｉｔｙ ｏｆ ｔｈｅ ｒｅｃｅｐｔｏｒ ａｎｄ ｔｈｅ ｅｆｆｅｃｔｉｖｅｎｅｓｓ ｏｆ ａｎｔｉｅｓｔｒｏｇｅｎｓ ａｓ ｅｓｔｒｏｇｅｎ ａｎｔａｇｏｎｉｓｔｓ． Ｍｏｌ． Ｅｎｄｏｃｒｉｎｏｌ．， ９ ８１４−８２５。
Ｐａｅｃｈ， Ｋ．， Ｗｅｂｂ， Ｐ．， Ｋｕｉｐｅｒ， Ｇ． Ｇ． Ｊ． Ｍ．， Ｎｉｓｓｏｎ， Ｓ．， Ｇｕｓｔａｆｓｓｏｎ， Ｊ． −Ａ．， Ｋｕｓｈｎｅｒ， Ｐ． Ｊ．， およびＳｃａｎｌａｎ， Ｔ． Ｓ． （１９９７）Ｄｉｆｆｅｒｅｎｔｉａｌ ｌｉｇａｎｄ ａｃｔｉｖａｔｉｏｎ ｏｆ ｅｓｔｒｏｇｅｎ ｒｅｃｅｐｔｏｒｓ ＥＲα ａｎｄ ＥＲβ ａｔ ＡＰ１ ｓｉｔｅｓ． Ｓｃｉｅｎｃｅ ２７７， １５０８−１５１０。
【図面の簡単な説明】
【図１】ＥＲアルファに結合するためのＬＸＸＬＬモチーフ基礎ペプチドライブラリー（１５ ａ．ａ．まで）の酵母２ハイブリッドスクリーニングの結果を示す。種々のクローンのリガンド依存液体ベータガラクトシダーゼ活性が棒グラフで示される。
【図２】Ｆｉｇ．１の活性ペプチドの哺乳類２−ハイブリッドスクリーニングの結果を示す。
【図３】アンドロゲン受容体に結合するための不偏のペプチドライブラリー（１５ ａ．ａ．まで）の酵母２ハイブリッドスクリーニングの結果を示す。
【図４】Ｆｉｇ．３の活性ペプチドの哺乳類２ハイブリッドスクリーニングの結果を示す。
【図５】ペプチドＤ３０、５Ｇ１１、Ｂ８Ｈ３およびＢ８Ｅ９からなるＢＩＯＫＥＹ（登録商標）ペプチドパネルを用いたアンドロゲン受容体リガンド ＤＨＴ、ＭＰＡ、ＣＹＰ、ＲＵ４８６、ＦＬＵＴおよびＤＨＥＡのフィンガープリントの結果を示す。
【図６】ステロイドのコレクションでのアンドロゲン受容体リガンドのためのスクリーニングの結果を示す。
【図７】ｐＶＰ１６の制限マップおよび多重クローニング部位を示す。
【図８】ｐＭのための同じ情報を示す。
【図１】
2004523726.tif 000041
【図２】
2004523726.tif 000042
【図３】
2004523726.tif 000043
【図４】
2004523726.tif 000044
【図５】
2004523726.tif 000045
【図６】
2004523726.tif 000046
【図７】
2004523726.tif 000047
【図８】
2004523726.tif 000048
【国際公開パンフレット】
2004523726.tif 000049
2004523726.tif 000050
2004523726.tif 000051
2004523726.tif 000052
2004523726.tif 000053
2004523726.tif 000054
2004523726.tif 000055
2004523726.tif 000056
2004523726.tif 000057
2004523726.tif 000058
2004523726.tif 000059
2004523726.tif 000060
2004523726.tif 000061
2004523726.tif 000062
2004523726.tif 000063
2004523726.tif 000064
2004523726.tif 000065
2004523726.tif 000066
2004523726.tif 000067
2004523726.tif 000068
2004523726.tif 000069
2004523726.tif 000070
2004523726.tif 000071
2004523726.tif 000072
2004523726.tif 000073
2004523726.tif 000074
2004523726.tif 000075
2004523726.tif 000076
2004523726.tif 000077
2004523726.tif 000078
2004523726.tif 000079
2004523726.tif 000080
2004523726.tif 000081
2004523726.tif 000082
2004523726.tif 000083
2004523726.tif 000084
2004523726.tif 000085
2004523726.tif 000086
2004523726.tif 000087
2004523726.tif 000088
2004523726.tif 000089
2004523726.tif 000090
2004523726.tif 000091
2004523726.tif 000092
2004523726.tif 000093
2004523726.tif 000094
2004523726.tif 000095
2004523726.tif 000096
2004523726.tif 000097
2004523726.tif 000098
2004523726.tif 000099
2004523726.tif 000100
2004523726.tif 000101
2004523726.tif 000102
2004523726.tif 000103
2004523726.tif 000104
2004523726.tif 000105
2004523726.tif 000106
2004523726.tif 000107
2004523726.tif 000108
2004523726.tif 000109
2004523726.tif 000110
2004523726.tif 000111
2004523726.tif 000112
2004523726.tif 000113
2004523726.tif 000114
2004523726.tif 000115
2004523726.tif 000116
2004523726.tif 000117
2004523726.tif 000118
2004523726.tif 000119
2004523726.tif 000120
2004523726.tif 000121
2004523726.tif 000122
2004523726.tif 000123
2004523726.tif 000124
2004523726.tif 000125
2004523726.tif 000126
2004523726.tif 000127
2004523726.tif 000128
2004523726.tif 000129
2004523726.tif 000130
2004523726.tif 000131
2004523726.tif 000132
2004523726.tif 000133
2004523726.tif 000134
2004523726.tif 000135
2004523726.tif 000136
2004523726.tif 000137
2004523726.tif 000138
2004523726.tif 000139
2004523726.tif 000140
2004523726.tif 000141
2004523726.tif 000142
2004523726.tif 000143
2004523726.tif 000144
2004523726.tif 000145
2004523726.tif 000146
2004523726.tif 000147
2004523726.tif 000148
2004523726.tif 000149
2004523726.tif 000150
2004523726.tif 000151
2004523726.tif 000152
2004523726.tif 000153
2004523726.tif 000154
2004523726.tif 000155
2004523726.tif 000156
2004523726.tif 000157
2004523726.tif 000158
2004523726.tif 000159
2004523726.tif 000160
2004523726.tif 000161
2004523726.tif 000162
2004523726.tif 000163
2004523726.tif 000164
2004523726.tif 000165
2004523726.tif 000166
2004523726.tif 000167
2004523726.tif 000168
2004523726.tif 000169
2004523726.tif 000170
2004523726.tif 000171
2004523726.tif 000172
2004523726.tif 000173
2004523726.tif 000174
2004523726.tif 000175
2004523726.tif 000176
2004523726.tif 000177
2004523726.tif 000178
2004523726.tif 000179
2004523726.tif 000180
2004523726.tif 000181
2004523726.tif 000182
2004523726.tif 000183
2004523726.tif 000184
2004523726.tif 000185
2004523726.tif 000186
2004523726.tif 000187
2004523726.tif 000188
2004523726.tif 000189
2004523726.tif 000190
2004523726.tif 000191
2004523726.tif 000192
2004523726.tif 000193
2004523726.tif 000194
2004523726.tif 000195
2004523726.tif 000196
2004523726.tif 000197
2004523726.tif 000198
2004523726.tif 000199
2004523726.tif 000200
2004523726.tif 000201
2004523726.tif 000202
2004523726.tif 000203
2004523726.tif 000204
2004523726.tif 000205
2004523726.tif 000206
2004523726.tif 000207
2004523726.tif 000208
2004523726.tif 000209
2004523726.tif 000210
2004523726.tif 000211
2004523726.tif 000212
2004523726.tif 000213
2004523726.tif 000214
2004523726.tif 000215
2004523726.tif 000216
2004523726.tif 000217
2004523726.tif 000218
2004523726.tif 000219
2004523726.tif 000220
2004523726.tif 000221
2004523726.tif 000222
2004523726.tif 000223
【国際公開パンフレット（コレクトバージョン）】
2004523726.tif 000224
2004523726.tif 000225
2004523726.tif 000226
2004523726.tif 000227
2004523726.tif 000228
2004523726.tif 000229
2004523726.tif 000230
2004523726.tif 000231
2004523726.tif 000232
2004523726.tif 000233
2004523726.tif 000234
2004523726.tif 000235
2004523726.tif 000236
2004523726.tif 000237
2004523726.tif 000238
2004523726.tif 000239
2004523726.tif 000240
2004523726.tif 000241
2004523726.tif 000242
2004523726.tif 000243
2004523726.tif 000244
2004523726.tif 000245
2004523726.tif 000246
2004523726.tif 000247
2004523726.tif 000248
2004523726.tif 000249
2004523726.tif 000250
2004523726.tif 000251
2004523726.tif 000252
2004523726.tif 000253
2004523726.tif 000254
2004523726.tif 000255
2004523726.tif 000256
2004523726.tif 000257
2004523726.tif 000258
2004523726.tif 000259
2004523726.tif 000260
2004523726.tif 000261
2004523726.tif 000262
2004523726.tif 000263
2004523726.tif 000264
2004523726.tif 000265
2004523726.tif 000266
2004523726.tif 000267
2004523726.tif 000268
2004523726.tif 000269
2004523726.tif 000270
2004523726.tif 000271
2004523726.tif 000272
2004523726.tif 000273
2004523726.tif 000274
2004523726.tif 000275
2004523726.tif 000276
2004523726.tif 000277
2004523726.tif 000278
2004523726.tif 000279
2004523726.tif 000280
2004523726.tif 000281
2004523726.tif 000282
2004523726.tif 000283
2004523726.tif 000284
2004523726.tif 000285
2004523726.tif 000286
2004523726.tif 000287
2004523726.tif 000288
2004523726.tif 000289
2004523726.tif 000290
2004523726.tif 000291
2004523726.tif 000292
2004523726.tif 000293
2004523726.tif 000294
2004523726.tif 000295
2004523726.tif 000296
2004523726.tif 000297
2004523726.tif 000298
2004523726.tif 000299
2004523726.tif 000300
2004523726.tif 000301
2004523726.tif 000302
2004523726.tif 000303
2004523726.tif 000304
2004523726.tif 000305
2004523726.tif 000306
2004523726.tif 000307
2004523726.tif 000308
2004523726.tif 000309
2004523726.tif 000310
2004523726.tif 000311
2004523726.tif 000312
2004523726.tif 000313
2004523726.tif 000314
2004523726.tif 000315
2004523726.tif 000316
2004523726.tif 000317
2004523726.tif 000318
2004523726.tif 000319
2004523726.tif 000320
2004523726.tif 000321
2004523726.tif 000322
2004523726.tif 000323
2004523726.tif 000324
2004523726.tif 000325
2004523726.tif 000326
2004523726.tif 000327
2004523726.tif 000328
2004523726.tif 000329
2004523726.tif 000330
2004523726.tif 000331
2004523726.tif 000332
2004523726.tif 000333
2004523726.tif 000334
2004523726.tif 000335
2004523726.tif 000336
2004523726.tif 000337
2004523726.tif 000338
2004523726.tif 000339
2004523726.tif 000340
2004523726.tif 000341
2004523726.tif 000342
2004523726.tif 000343
2004523726.tif 000344
2004523726.tif 000345
2004523726.tif 000346
2004523726.tif 000347
2004523726.tif 000348
2004523726.tif 000349
2004523726.tif 000350
2004523726.tif 000351
2004523726.tif 000352
2004523726.tif 000353
2004523726.tif 000354
2004523726.tif 000355
2004523726.tif 000356
2004523726.tif 000357
2004523726.tif 000358
2004523726.tif 000359
2004523726.tif 000360
2004523726.tif 000361
2004523726.tif 000362
2004523726.tif 000363
2004523726.tif 000364
2004523726.tif 000365
2004523726.tif 000366
2004523726.tif 000367
2004523726.tif 000368
2004523726.tif 000369
2004523726.tif 000370
2004523726.tif 000371
2004523726.tif 000372
2004523726.tif 000373
2004523726.tif 000374
2004523726.tif 000375
2004523726.tif 000376
2004523726.tif 000377
2004523726.tif 000378
2004523726.tif 000379
2004523726.tif 000380
2004523726.tif 000381
2004523726.tif 000382
2004523726.tif 000383
2004523726.tif 000384
2004523726.tif 000385
2004523726.tif 000386
2004523726.tif 000387
2004523726.tif 000388
2004523726.tif 000389
2004523726.tif 000390
2004523726.tif 000391
2004523726.tif 000392
2004523726.tif 000393
2004523726.tif 000394
2004523726.tif 000395
2004523726.tif 000396
2004523726.tif 000397
2004523726.tif 000398
【国際公開パンフレット（コレクトバージョン）】
2004523726.tif 000399
【国際調査報告】
2004523726.tif 000400
2004523726.tif 000401
2004523726.tif 000402